(57)【要約】      （修正有）【課題】’ＰＥＲ  ＣＥＬＬ’単位で（Ｅ）ＰＤＣＣＨ  ＵＳＳ（ＵＥ−ｓｐｅｃｉｆｉｃ  Ｓｅａｒｃｈ  Ｓｐａｃｅ）上の特定アグリゲーションレベル（ＡＬ）関連（Ｅ）ＰＤＣＣＨ  ＣＡＮＤＩＤＡＴＥ個数（関連情報）を知らせる技術を提供する。【解決手段】端末は、基地局に端末能力情報を報告する。基地局は、端末能力情報に基づいてセル別ＵＳＳの各ＡＬに対する（Ｅ）ＰＤＣＣＨ候補の個数を決定し、制御チャネル候補個数情報を端末に提供し、各々のセルに対するスケジューリング情報（ＤＣＩ）を端末に送信する。端末は、特定セル関連ＤＣＩを検出するために、該当セル関連制御チャネル候補個数情報に基づいて、アグリゲーションレベル＃Ｍ関連既存（Ｅ）ＰＤＣＣＨ候補（Ｋ個）のうち最初Ｐ個の（Ｅ）ＰＤＣＣＨ候補をモニタリングする。【選択図】なし【特許請求の範囲】
【請求項１】
ＵＥ（ｕｓｅｒ  ｅｑｕｉｐｍｅｎｔ）によって無線通信システムにおいてＤＣＩ（ｄｏｗｎｌｉｎｋ  ｃｏｎｔｒｏｌ  ｉｎｆｏｒｍａｔｉｏｎ）をモニタリングする方法であって、前記方法は、
１つ以上のリソースブロック内の前記ＤＣＩを受信することと、
サービングセルのアグリゲーションレベルに基づいて前記１つ以上のリソースブロック内の前記ＤＣＩを検出するために複数のＰＤＣＣＨ（ｐｈｙｓｉｃａｌ  ｄｏｗｎｌｉｎｋ  ｃｏｎｔｒｏｌ  ｃｈａｎｎｅｌ）候補をモニタリングすることと
を含み、
ＰＤＣＣＨ候補減少と関連したＰＤＣＣＨ候補情報が前記ＵＥに設定されるときに、前記ＵＥは、前記複数のＰＤＣＣＨ候補の中の前記ＰＤＣＣＨ候補情報に基づいたＰＤＣＣＨ候補をモニタリングする、方法。
【請求項２】
前記ＰＤＣＣＨ候補情報は、前記複数のＰＤＣＣＨ候補以下であるＰＤＣＣＨ候補の数を知らせる、請求項１に記載の方法。
【請求項３】
前記複数のＰＤＣＣＨ候補は、対応するＰＤＣＣＨ候補インデックス数を有し、
ＰＤＣＣＨ候補減少と関連した前記ＰＤＣＣＨ候補情報が前記ＵＥに設定されるときに、前記ＵＥは、最低の連続するＰＤＣＣＨインデックス値を有するＰＤＣＣＨ候補のセットをモニタリングする、請求項１に記載の方法。
【請求項４】
前記ＰＤＣＣＨ候補情報を受信することをさらに含む、請求項１に記載の方法。
【請求項５】
前記ＰＤＣＣＨ候補情報が前記ＵＥに設定されないときに、前記モニタリングすることは、前記ＤＣＩを検出するために前記複数のＰＤＣＣＨ候補の全てのデコーディングを試みることを含む、請求項１に記載の方法。
【請求項６】
前記複数のＰＤＣＣＨ候補の前記数のうちの少なくとも１つのデコーディングに成功すると前記ＤＣＩを検出することと、
前記検出されたＤＣＩに基づいてデータを受信することと
をさらに含む、請求項１に記載の方法。
【請求項７】
前記ＰＤＣＣＨ候補情報は、ＵＥ特定ＰＤＣＣＨ候補情報である、請求項１に記載の方法。
【請求項８】
前記ＰＤＣＣＨ候補情報は、２ビットを含む、請求項１に記載の方法。
【請求項９】
前記ＰＤＣＣＨ候補情報は、値０、０．３３、０．６６および１の中の１つの値を知らせる、請求項１に記載の方法。
【請求項１０】
前記ＰＤＣＣＨ候補情報は、上位階層信号を介して受信される、請求項１に記載の方法。
【請求項１１】
前記上位階層信号は、ＲＲＣ（ｒａｄｉｏ  ｒｅｓｏｕｒｃｅ  ｃｏｎｔｒｏｌ）メッセージである、請求項１に記載の方法。
【請求項１２】
前記ＵＥは、５個より多いセルのアグリゲーションをサポートする、請求項１に記載の方法。
【請求項１３】
無線通信システムにおいてＤＣＩ（ｄｏｗｎｌｉｎｋ  ｃｏｎｔｒｏｌ  ｉｎｆｏｒｍａｔｉｏｎ）をモニタリングするＵＥ（ｕｓｅｒ  ｅｑｕｉｐｍｅｎｔ）であって、前記ＵＥは、
送受信器と、
前記送受信器と作用可能に接続されたプロセッサと
を備え、前記プロセッサは、
１つ以上のリソースブロック内の前記ＤＣＩを受信することと、
サービングセルのアグリゲーションレベルに基づいて前記１つ以上のリソースブロック内の前記ＤＣＩを検出するために複数のＰＤＣＣＨ（ｐｈｙｓｉｃａｌ  ｄｏｗｎｌｉｎｋ  ｃｏｎｔｒｏｌ  ｃｈａｎｎｅｌ）候補をモニタリングすることと
を実行するように構成されており、
ＰＤＣＣＨ候補減少と関連したＰＤＣＣＨ候補情報が前記ＵＥに設定されるときに、前記ＵＥは、前記複数のＰＤＣＣＨ候補の中の前記ＰＤＣＣＨ候補情報に基づいたＰＤＣＣＨ候補をモニタリングする、ＵＥ。
【請求項１４】
前記ＰＤＣＣＨ候補情報は、前記複数のＰＤＣＣＨ候補以下であるＰＤＣＣＨ候補の数を知らせる、請求項１３に記載のＵＥ。
【請求項１５】
前記複数のＰＤＣＣＨ候補は、対応するＰＤＣＣＨ候補インデックス数を有し、
ＰＤＣＣＨ候補減少と関連した前記ＰＤＣＣＨ候補情報が前記ＵＥに設定されるときに、前記ＵＥは、最低の連続するＰＤＣＣＨインデックス値を有するＰＤＣＣＨ候補のセットをモニタリングする、請求項１３に記載のＵＥ。
【請求項１６】
前記プロセッサは、前記ＰＤＣＣＨ候補情報を受信するようにさらに構成されている、請求項１３に記載のＵＥ。
【請求項１７】
前記ＰＤＣＣＨ候補情報が前記ＵＥに設定されないときに、前記モニタリングすることは、前記ＤＣＩを検出するために前記複数のＰＤＣＣＨ候補の全てのデコーディングを試みることを含む、請求項１３に記載のＵＥ。
【請求項１８】
前記プロセッサは、
前記複数のＰＤＣＣＨ候補の前記数のうちの少なくとも１つのデコーディングに成功すると前記ＤＣＩを検出することと、
前記検出されたＤＣＩに基づいてデータを受信することと
を実行するようにさらに構成されている、請求項１３に記載のＵＥ。
【請求項１９】
前記ＰＤＣＣＨ候補情報は、ＵＥ特定ＰＤＣＣＨ候補情報である、請求項１３に記載のＵＥ。
【請求項２０】
前記ＰＤＣＣＨ候補情報は、２ビットを含む、請求項１３に記載のＵＥ。
【請求項２１】
前記ＰＤＣＣＨ候補情報は、値０、０．３３、０．６６および１の中の１つの値を知らせる、請求項１３に記載のＵＥ。
【請求項２２】
前記ＰＤＣＣＨ候補情報は、上位階層信号を介して受信される、請求項１３に記載のＵＥ。
【請求項２３】
前記上位階層信号は、ＲＲＣ（ｒａｄｉｏ  ｒｅｓｏｕｒｃｅ  ｃｏｎｔｒｏｌ）メッセージである、請求項１３に記載のＵＥ。
【請求項２４】
前記ＵＥは、５個より多いセルのアグリゲーションをサポートする、請求項１３に記載のＵＥ。
【発明の詳細な説明】
【技術分野】
【０００１】
本発明は、無線通信に関し、より詳しくは、無線通信システムにおける端末が端末能力情報を送信する方法及びこのような方法を利用する装置に関する。
【背景技術】
【０００２】
ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏ  ｃｏｍｍｕｎｉｃａｔｉｏｎ  ｓｅｃｔｏｒ）では３世代以後の次世代移動通信システムであるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−Ａｄｖａｎｃｅｄの標準化作業を進行している。ＩＭＴ−Ａｄｖａｎｃｅｄは、停止及び低速移動状態で１Ｇｂｐｓ、高速移動状態で１００Ｍｂｐｓのデータ送信率でＩＰ（Ｉｎｔｅｒｎｅｔ  Ｐｒｏｔｏｃｏｌ）ベースのマルチメディアサービスサポートを目標とする。
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）は、ＩＭＴ−Ａｄｖａｎｃｅｄの要求事項を満たすシステム標準としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）／ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）送信方式ベースのＬＴＥ（Ｌｏｎｇ  Ｔｅｒｍ  Ｅｖｏｌｕｔｉｏｎ）を改善したＬＴＥ−Ａｄｖａｎｃｅｄ（ＬＴＥ−Ａ）を提供する。ＬＴＥ−Ａは、ＩＭＴ−Ａｄｖａｎｃｅｄのための有力な候補のうち一つである。
【０００４】
既存ＬＴＥ−Ａでは、最大５個の搬送波（セル）をアグリゲーションしてキャリアアグリゲーション（Ｃａｒｒｉｅｒ  Ａｇｇｒｅｇａｔｉｏｎ：ＣＡ）を提供したが、将来の無線通信システムでは、最大３２個の搬送波（セル）をアグリゲーションするｅＣＡ（ｅｎｈａｎｃｅｄ  ＣＡ）も考慮している。
【０００５】
このようにアグリゲーションされる搬送波（セル）の個数が多くなると、様々な問題点が発生することができる。例えば、制御チャネルを検索するための既存の検索空間（Ｓｅａｒｃｈ  Ｓｐａｃｅ：ＳＳ）設定方法、既存検索空間の各アグリゲーションレベル（Ａｇｇｒｅｇａｔｉｏｎ  Ｌｅｖｅｌ：ＡＬ）別ブラインドデコーディング（Ｂｌｉｎｄ  Ｄｅｃｏｄｉｎｇ：ＢＤ）回数では効率的なダウンリンク制御情報モニタリングが難しく、または不可能になる。
【０００６】
また、既存端末との逆互換性（ｂａｃｋｗａｒｄ  ｃｏｍｐａｔｉｂｉｌｉｔｙ）のために、ダウンリンク制御情報に含まれる既存３ビットの搬送波指示フィールド（Ｃａｒｒｉｅｒ  Ｉｎｄｉｃａｔｉｏｎ  Ｆｉｅｌｄ：ＣＩＦ）の大きさを変更させない場合、既存方式によると、最大８個の搬送波のみを指示することができる。したがって、３２個の搬送波（セル）をどんな方式に指示するかが不明確である。
【０００７】
また、端末能力別にダウンリンク制御情報を検出するためにサポートすることができる最大ブラインドデコーディング回数が異なる。また、チャネル状態、端末が現在要求するデータ量等によって端末に送信すべき制御情報の量も異なる。このような変数は、アグリゲーションされることができる搬送波個数の増加に応じて増加するようになる。
【発明の概要】
【発明が解決しようとする課題】
【０００８】
無線通信システムにおいて、端末の端末能力情報送信方法及び装置を提供することを目標とする。
【課題を解決するための手段】
【０００９】
一側面において、無線通信システムにおける端末（Ｕｓｅｒ  Ｅｑｕｉｐｍｅｎｔ：ＵＥ）の能力情報送信方法を提供する。前記方法は、前記端末の能力（ｃａｐａｂｉｌｉｔｙ）を知らせる端末能力情報（ＵＥ  ｃａｐａｂｉｌｉｔｙ  ｉｎｆｏｒｍａｔｉｏｎ）を生成し、及び前記端末能力情報を基地局に送信し、前記端末能力情報は、前記端末が一つのサブフレームでダウンリンク制御チャネルをブラインドデコーディング（Ｂｌｉｎｄ  Ｄｅｃｏｄｉｎｇ：ＢＤ）することができる回数を示すブラインドデコーディング能力情報（ＢＤ  ＣＡＰＡＢＩＬＩＴＹ  ＩＮＦＯＲＭＡＴＩＯＮ）を含むことを特徴とする。
【００１０】
前記ブラインドデコーディング能力情報は、前記一つのサブフレームに位置した端末特定検索空間（ＵＥ−ｓｐｅｃｉｆｉｃ  Ｓｅａｒｃｈ  Ｓｐａｃｅ：ＵＳＳ）で前記端末がダウンリンク制御チャネルをブラインドデコーディングすることができる回数を示す。
【００１１】
前記ダウンリンク制御チャネルは、ＰＤＣＣＨ（Ｐｈｙｓｉｃａｌ  Ｄｏｗｎｌｉｎｋ  Ｃｏｎｔｒｏｌ  ＣＨａｎｎｅｌ）またはＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  ＣＨａｎｎｅｌ）である。
【００１２】
前記端末は、５個より多いサービングセルのアグリゲーションをサポートすることができる。
【００１３】
他の側面で提供される端末は、無線信号を送受信するＲＦ部及び前記ＲＦ部に連結されるプロセッサを含み、前記プロセッサは、前記端末の能力（ｃａｐａｂｉｌｉｔｙ）を知らせる端末能力情報（ＵＥ  ｃａｐａｂｉｌｉｔｙ  ｉｎｆｏｒｍａｔｉｏｎ）を生成し、及び前記端末能力情報を基地局に送信し、前記端末能力情報は、前記端末が一つのサブフレームでダウンリンク制御チャネルをブラインドデコーディング（Ｂｌｉｎｄ  Ｄｅｃｏｄｉｎｇ：ＢＤ）することができる回数を示すブラインドデコーディング能力情報（ＢＤ  ＣＡＰＡＢＩＬＩＴＹ  ＩＮＦＯＲＭＡＴＩＯＮ）を含むことを特徴とする。
本明細書は、例えば、以下の項目も提供する。
（項目１）
無線通信システムにおける端末（Ｕｓｅｒ  Ｅｑｕｉｐｍｅｎｔ：ＵＥ）の能力情報送信方法において、
前記端末の能力（ｃａｐａｂｉｌｉｔｙ）を知らせる端末能力情報（ＵＥ  ｃａｐａｂｉｌｉｔｙ  ｉｎｆｏｒｍａｔｉｏｎ）を生成し、及び
前記端末能力情報を基地局に送信し、
前記端末能力情報は、前記端末が一つのサブフレームでダウンリンク制御チャネルをブラインドデコーディング（Ｂｌｉｎｄ  Ｄｅｃｏｄｉｎｇ：ＢＤ）することができる回数を示すブラインドデコーディング能力情報（ＢＤ  ＣＡＰＡＢＩＬＩＴＹ  ＩＮＦＯＲＭＡＴＩＯＮ）を含むことを特徴とする方法。
（項目２）
前記ブラインドデコーディング能力情報は、前記一つのサブフレームに位置した端末特定検索空間（ＵＥ−ｓｐｅｃｉｆｉｃ  Ｓｅａｒｃｈ  Ｓｐａｃｅ：ＵＳＳ）で前記端末がダウンリンク制御チャネルをブラインドデコーディングすることができる回数を示すことを特徴とする項目１に記載の方法。
（項目３）
前記ダウンリンク制御チャネルは、ＰＤＣＣＨ（Ｐｈｙｓｉｃａｌ  Ｄｏｗｎｌｉｎｋ  Ｃｏｎｔｒｏｌ  ＣＨａｎｎｅｌ）またはＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  ＣＨａｎｎｅｌ）であることを特徴とする項目１に記載の方法。
（項目４）
前記端末は、５個より多いサービングセルのアグリゲーションをサポートすることができることを特徴とする項目１に記載の方法。
（項目５）
端末は、
無線信号を送受信するＲＦ部；及び、
前記ＲＦ部に連結されるプロセッサ；を含み、前記プロセッサは、
前記端末の能力（ｃａｐａｂｉｌｉｔｙ）を知らせる端末能力情報（ＵＥ  ｃａｐａｂｉｌｉｔｙ  ｉｎｆｏｒｍａｔｉｏｎ）を生成し、及び
前記端末能力情報を基地局に送信し、
前記端末能力情報は、前記端末が一つのサブフレームでダウンリンク制御チャネルをブラインドデコーディング（Ｂｌｉｎｄ  Ｄｅｃｏｄｉｎｇ：ＢＤ）することができる回数を示すブラインドデコーディング能力情報（ＢＤ  ＣＡＰＡＢＩＬＩＴＹ  ＩＮＦＯＲＭＡＴＩＯＮ）を含むことを特徴とする端末。
（項目６）
前記ブラインドデコーディング能力情報は、前記一つのサブフレームに位置した端末特定検索空間（ＵＥ−ｓｐｅｃｉｆｉｃ  Ｓｅａｒｃｈ  Ｓｐａｃｅ：ＵＳＳ）で前記端末がダウンリンク制御チャネルをブラインドデコーディングすることができる回数を示すことを特徴とする項目５に記載の端末。
（項目７）
前記ダウンリンク制御チャネルは、ＰＤＣＣＨ（Ｐｈｙｓｉｃａｌ  Ｄｏｗｎｌｉｎｋ  Ｃｏｎｔｒｏｌ  ＣＨａｎｎｅｌ）またはＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  ＣＨａｎｎｅｌ）であることを特徴とする項目５に記載の端末。
（項目８）
前記端末は、５個より多いサービングセルのアグリゲーションをサポートすることができることを特徴とする項目５に記載の端末。
【発明の効果】
【００１４】
５個より多い搬送波（セル）のアグリゲーションをサポートする無線通信システムにおいて、端末別に各サブフレーム内で検索空間のアグリゲーションレベル別にサポートできるブラインドデコーディング回数は、異なる。基地局は、端末能力情報を介して端末がサポートするブラインドデコーディング回数を知ることができるため、前記端末にこれを考慮したスケジューリングをできる。
【図面の簡単な説明】
【００１５】
【図１】３ＧＰＰ  ＬＴＥにおける無線フレームの構造を示す。
【図２】一つのスロットに対するリソースグリッド（ｒｅｓｏｕｒｃｅ  ｇｒｉｄ）の一例を示す。
【図３】アップリンクサブフレームの構造を示す。
【図４】ダウンリンクサブフレームの構造を示す。
【図５】ＥＰＤＣＣＨを例示する。
【図６】検索空間（Ｓｅａｒｃｈ  Ｓｐａｃｅ：ＳＳ）と制御チャネルのモニタリングを示す例示図である。
【図７】既存の単一搬送波システムとキャリアアグリゲーションシステムの比較例である。
【図８】非交差搬送波スケジューリング及び交差搬送波スケジューリングを例示する。
【図９】例示＃３−３によって検索空間でスケジューリング情報の大きさを決定する例を示す。
【図１０】本発明の一実施例による端末の端末能力情報報告方法を例示する。
【図１１】前述した規則＃１７−Ａまたは例示＃１７−Ａ−１による端末の動作方法を示す。
【図１２】ＳｅｒｖｉｎｇＣｅｌｌＩＤ（または、ＳＣｅｌｌＩＤ）とＣＩＦとの間のマッピングを例示する。
【図１３】ＳＩＣＣ−ＤＣＩとＭＵＣＣ−ＤＣＩを例示する。
【図１４】前述した提案方法＃１４、提案方法＃１５、提案方法＃１６、提案方法＃２０、提案方法＃２１、提案方法＃２３、提案方法＃２４を適用する時、端末の動作方法を示す。
【図１５】端末が特定セル関連既存（ＵＳＳ）（Ｅ）ＰＤＣＣＨ候補のうちシグナリングされた情報に基づいて一部（Ｅ）ＰＤＣＣＨ候補のみをブラインドデコーディングする例を示す。
【図１６】前述した提案方法＃２８を適用する例を示す。
【図１７】基地局及び端末を示すブロック図である。
【発明を実施するための形態】
【００１６】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは，ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの下位互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進化である。説明を明確にするために、ＬＴＥ−Ａシステムに適用される状況を仮定して記述するが、本発明の技術的思想がこれに制限されるものではない。
【００１７】
図１は、３ＧＰＰ  ＬＴＥ／ＬＴＥ−Ａにおける無線フレームの構造を示す。
【００１８】
図１を参照すると、無線フレームは、１０個のサブフレーム（ｓｕｂｆｒａｍｅ）で構成され、一つのサブフレームは、２個のスロット（ｓｌｏｔ）で構成される。無線フレーム内のスロットは、＃０から＃１９までのスロット番号が付けられる。一つのサブフレームの送信にかかる時間をＴＴＩ（Ｔｒａｎｓｍｉｓｓｉｏｎ  Ｔｉｍｅ  Ｉｎｔｅｒｖａｌ）という。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。  前記無線フレームの構造は、一例にすぎない。したがって、無線フレームに含まれるサブフレームの個数やサブフレームに含まれるスロットの個数は、多様に変更されることができる。
【００１９】
図２は、一つのスロットに対するリソースグリッド（ｒｅｓｏｕｒｃｅ  ｇｒｉｄ）の一例を示す。
【００２０】
スロットは、ダウンリンクスロットとアップリンクスロットがある。ダウンリンクスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。ＯＦＤＭシンボルは、特定時間区間を示すものであり、送信方式によってＳＣ−ＦＤＭＡシンボルとも呼ばれる。ダウンリンクスロットは、周波数領域でＮＲＢ個のリソースブロック（ＲＢ；Ｒｅｓｏｕｒｃｅ  Ｂｌｏｃｋ）を含む。リソースブロックは、リソース割当単位であり、時間領域で一つのスロット、周波数領域で複数の連続する副搬送波（ｓｕｂｃａｒｒｉｅｒ）を含む。
【００２１】
ダウンリンクスロットに含まれるリソースブロックの数ＮＲＢは、セルで設定されるダウンリンク送信帯域幅（ｂａｎｄｗｉｄｔｈ）に従属する。例えば、ＬＴＥシステムにおいて、ＮＲＢは６〜１１０のうちいずれか一つである。アップリンクスロットの構造も前記ダウンリンクスロットの構造と同じである。
【００２２】
リソースグリッド上の各要素（ｅｌｅｍｅｎｔ）をリソース要素（ｒｅｓｏｕｒｃｅ  ｅｌｅｍｅｎｔ、ＲＥ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は、周波数領域内の副搬送波インデックスであり、ｌ（ｌ＝０，．．．，６）は、時間領域内のＯＦＤＭシンボルインデックスである。
【００２３】
一つのリソースブロックは、時間領域で７ＯＦＤＭシンボル、周波数領域で１２副搬送波で構成されて７×１２リソース要素を含むことを例示的に記述するが、リソースブロック内のＯＦＤＭシンボルの数と副搬送波の数はこれに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。例えば、ノーマルＣＰ（ｎｏｒｍａｌ  ｃｙｃｌｉｃ  ｐｒｉｆｉｘ）の場合、ＯＦＤＭシンボルの数は７であり、拡張されたＣＰ（ｅｘｔｅｎｄｅｄ  ｃｙｃｌｉｃ  ｐｒｅｆｉｘ）の場合、ＯＦＤＭシンボルの数は６である。一つのＯＦＤＭシンボルで副搬送波の数は１２８、２５６、５１２、１０２４、１５３６及び２０４８のうち一つを選定して使用することができる。
【００２４】
図３は、アップリンクサブフレームの構造を示す。
【００２５】
アップリンクサブフレームは、周波数領域で制御領域とデータ領域とに分けられる。制御領域は、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域は、データが送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。端末は、設定によってＰＵＣＣＨとＰＵＳＣＨを同時に送信しない、または同時に送信できる。
【００２６】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピング（ｆｒｅｑｕｅｎｃｙ−ｈｏｐｐｅｄ）されたという。端末がアップリンク制御情報を時間によって互いに異なる副搬送波を介して送信することによって、周波数ダイバーシティ（ｄｉｖｅｒｓｉｔｙ）利得を得ることができる。
【００２７】
ＰＵＣＣＨ上に送信されるアップリンク制御情報には、ＡＣＫ／ＮＡＣＫ、ダウンリンクチャネル状態を示すＣＳＩ（Ｃｈａｎｎｅｌ  Ｓｔａｔｅ  Ｉｎｆｏｒｍａｔｉｏｎ）、アップリンク無線リソース割当要求であるＳＲ（Ｓｃｈｅｄｕｌｉｎｇ  Ｒｅｑｕｅｓｔ）などがある。ＣＳＩには、プリコーディング行列を指示するＰＭＩ（ｐｒｅｃｏｄｉｎｇ  ｍａｔｒｉｘ  ｉｎｄｅｘ）、端末が選好するランク値を示すＲＩ（ｒａｎｋ  ｉｎｄｉｃａｔｏｒ）、チャネル状態を示すＣＱＩ（ｃｈａｎｎｅｌ  ｑｕａｌｉｔｙ  ｉｎｄｉｃａｔｏｒ）などがある。
【００２８】
ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ、ＡＣＫ／ＮＡＣＫ、ＲＩなどがある。または、アップリンクデータは、制御情報のみで構成されることもできる。
【００２９】
図４は、ダウンリンクサブフレームの構造を示す。
【００３０】
ダウンリンクサブフレームは、時間領域で２個のスロットを含み、各スロットは、ノーマルＣＰで７個（拡張ＣＰでは６個）のＯＦＤＭシンボルを含む。
【００３１】
制御領域で送信される制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）がある。
【００３２】
サブフレームの１番目のＯＦＤＭシンボルで送信されるＰＣＦＩＣＨは、サブフレーム内で制御チャネルの送信に使われるＯＦＤＭシンボルの個数（即ち、制御領域の大きさ）に対する情報であるＣＦＩ（Ｃｏｎｔｒｏｌ  Ｆｏｒｍａｔ  Ｉｎｄｉｃａｔｏｒ）を伝送する。端末は、まず、ＰＣＦＩＣＨ上にＣＦＩを受信した後、ＰＤＣＣＨをモニタリングする。ＰＣＦＩＣＨは、サブフレームの固定されたＰＣＦＩＣＨリソースを介して送信される。
【００３３】
ＰＨＩＣＨは、アップリンクＨＡＲＱ（ｈｙｂｒｉｄ  ａｕｔｏｍａｔｉｃ  ｒｅｐｅａｔ  ｒｅｑｕｅｓｔ）のためのＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）信号を伝送する。端末が送信したアップリンクデータに対するＡＣＫ／ＮＡＣＫ信号は、ＰＨＩＣＨ上に送信される。ＰＨＩＣＨに対しては詳細に後述する。
【００３４】
ＰＤＣＣＨは、ダウンリンク制御情報（Ｄｏｗｎｌｉｎｋ  Ｃｏｎｔｒｏｌ  Ｉｎｆｏｒｍａｔｉｏｎ：ＤＣＩ）を送信する制御チャネルである。ＤＣＩは、ＰＤＳＣＨのリソース割当（これをダウンリンクグラント（ｄｏｗｎｌｉｎｋ  ｇｒａｎｔ：ＤＬグラント）とも呼ぶ）、ＰＵＳＣＨ（ｐｈｙｓｉｃａｌ  ｕｐｌｉｎｋ  ｓｈａｒｅｄ  ｃｈａｎｎｅｌ）のリソース割当（これをアップリンクグラント（ｕｐｌｉｎｋ  ｇｒａｎｔ：ＵＬグラント）とも呼ぶ）、任意の端末グループ内の個別端末に対する送信パワー制御命令のセット及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００３５】
図５は、ＥＰＤＣＣＨを例示する。
【００３６】
図５を参照すると、ＥＰＤＣＣＨは、時間領域で既存の制御領域の以後に位置することができる。例えば、サブフレームの前方部の３個のＯＦＤＭシンボルで既存の制御領域が送信されると、前記３個のＯＦＤＭシンボルの以後に位置するＯＦＤＭシンボルにＥＰＤＣＣＨが位置することができる。周波数領域で既存の制御領域とＥＰＤＣＣＨは、一致する場合もあり、互いに異なるように設定される場合もある。例えば、ＰＤＣＣＨは、全システム帯域で送信されるに対し、ＥＰＤＣＣＨは、特定端末に対して送信されるＰＤＳＣＨと同じ周波数帯域でのみ送信されることができる。図５では、既存の制御領域の一部周波数帯域でのみＥＰＤＣＣＨが送信される例を示した。ＥＰＤＣＣＨでは、改善された端末（ａｄｖａｎｃｅｄ  ＵＥ）のための制御情報が送信されることができる。ＥＰＤＣＣＨでは、ＰＤＳＣＨの復調のために送信される参照信号が送信されることができる。
【００３７】
図６は、検索空間（Ｓｅａｒｃｈ  Ｓｐａｃｅ：ＳＳ）と制御チャネルのモニタリングを示す例示図である。
【００３８】
サブフレーム内の制御領域は、複数のＣＣＥ（ｃｏｎｔｒｏｌ  ｃｈａｎｎｅｌ  ｅｌｅｍｅｎｔ）を含む。ＣＣＥは、無線チャネルの状態による符号化率をＰＤＣＣＨに提供するために使われる論理的割当単位であって、複数のＲＥＧ（ｒｅｓｏｕｒｃｅ  ｅｌｅｍｅｎｔ  ｇｒｏｕｐ）に対応される。ＲＥＧは、複数のリソース要素（ｒｅｓｏｕｒｃｅ  ｅｌｅｍｅｎｔ）を含む。ＣＣＥの数とＣＣＥにより提供される符号化率の関係によってＰＤＣＣＨのフォーマット及び可能なＰＤＣＣＨのビット数が決定される。一つのＲＥＧは４個のＲＥを含み、一つのＣＣＥは９個のＲＥＧを含む。一つのＰＤＣＣＨを構成するために｛１、２、４、８｝個のＣＣＥを使用することができ、｛１、２、４、８｝の各々の要素をＣＣＥアグリゲーションレベル（ａｇｇｒｅｇａｔｉｏｎ  ｌｅｖｅｌ：ＡＬ）という。
【００３９】
３ＧＰＰ  ＬＴＥ／ＬＴＥ−Ａでは、ＰＤＣＣＨの検出のためにブラインドデコーディング（ｂｌｉｎｄ  ｄｅｃｏｄｉｎｇ：ＢＤ）を使用する。端末は、自分のＰＤＣＣＨが制御領域内でどの位置で送信されるかをあらかじめ知らない。したがって、端末は、ＰＤＣＣＨが存在できるリソース（これをＰＤＣＣＨ候補（ｃａｎｄｉｄａｔｅ）という）の各々で受信したＰＤＣＣＨにＣＲＣ（ｃｙｃｌｉｃ  ｒｅｄｕｎｄａｎｃｙ  ｃｈｅｃｋ）エラーをチェックして該当ＰＤＣＣＨが自分の制御チャネルかどうかを確認する。これをブラインドデコーディングという。
【００４０】
即ち、各サブフレーム内の制御領域では、複数のＰＤＣＣＨが送信されることができる。端末は、サブフレーム毎に複数のＰＤＣＣＨをモニタリングする。ここで、モニタリングとは、端末がＰＤＣＣＨのブラインドデコーディングを試みることを意味する。
【００４１】
３ＧＰＰ  ＬＴＥでは、ブラインドデコーディングによる負担を減らすために、検索空間（ｓｅａｒｃｈ  ｓｐａｃｅ：ＳＳ）を使用する。検索空間は、ＰＤＣＣＨのためのＣＣＥのモニタリングセット（ｍｏｎｉｔｏｒｉｎｇ  ｓｅｔ）を意味し、また、ＰＤＣＣＨ候補のセットを意味する。端末は、該当する検索空間内でＰＤＣＣＨをモニタリングする。
【００４２】
検索空間は、共用検索空間（ｃｏｍｍｏｎ  ｓｅａｒｃｈ  ｓｐａｃｅ：ＣＳＳ）と端末特定検索空間（ＵＥ−ｓｐｅｃｉｆｉｃ  ｓｅａｒｃｈ  ｓｐａｃｅ：ＵＳＳ）とに分けられる。共用検索空間は、共用制御情報を有するＰＤＣＣＨを検索する空間であって、ＣＣＥ（Ｃｏｎｔｒｏｌ  Ｃｈａｎｎｅｌ  Ｅｌｅｍｅｎｔ）インデックス０〜１５までの１６個ＣＣＥで構成され、｛４、８｝のＣＣＥアグリゲーションレベルを有するＰＤＣＣＨをサポートする。しかし、共用検索空間にも端末特定情報を伝送するＰＤＣＣＨ（ＤＣＩフォーマット０、１Ａ）が送信されることもできる。端末特定検索空間は｛１、２、４、８｝のＣＣＥアグリゲーションレベルを有するＰＤＣＣＨをサポートする。
【００４３】
検索空間の開始点は、共用検索空間と端末特定検索空間が異なるように定義される。共用検索空間の開始点は、サブフレームに構わずに固定されているが、端末特定検索空間の開始点は、端末識別子（例えば、Ｃ−ＲＮＴＩ）、ＣＣＥアグリゲーションレベル及び／または無線フレーム内のスロット番号によってサブフレーム毎に変わることができる。端末特定検索空間の開始点が共用検索空間内にある場合、端末特定検索空間と共用検索空間は、重複する（ｏｖｅｒｌａｐ）。図６では、ＰＤＣＣＨに対して説明したが、ＥＰＤＣＣＨに対しても同様に検索空間が設定されることができる。ＥＰＤＣＣＨの検索空間は、ＥＣＣＥで構成される。
【００４４】
＜キャリアアグリゲーション（ｃａｒｒｉｅｒ  ａｇｇｒｅｇａｔｉｏｎ：ＣＡ）＞
【００４５】
以下、キャリアアグリゲーションに対して説明する。
【００４６】
図７は、既存の単一搬送波システムとキャリアアグリゲーションシステムの比較例である。
【００４７】
図７を参照すると、単一搬送波システムでは、アップリンクとダウンリンクに一つの搬送波のみを端末にサポートする。  搬送波の帯域幅は多様であるが、端末に割り当てられる搬送波は一つである。それに対し、キャリアアグリゲーション（ｃａｒｒｉｅｒ  ａｇｇｒｅｇａｔｉｏｎ、ＣＡ）システムでは、端末に複数のコンポーネントキャリア（ＤＬ  ＣＣ  Ａ乃至Ｃ、ＵＬ  ＣＣ  Ａ乃至Ｃ）が割り当てられることができる。コンポーネントキャリア（ｃｏｍｐｏｎｅｎｔ  ｃａｒｒｉｅｒ：ＣＣ）は、キャリアアグリゲーションシステムで使われる搬送波を意味し、搬送波と略称できる。例えば、端末に６０ＭＨｚの帯域幅を割り当てるために、３個の２０ＭＨｚのコンポーネントキャリアが割り当てられることができる。
【００４８】
キャリアアグリゲーションシステムは、アグリゲーションされる搬送波が連続する連続（ｃｏｎｔｉｇｕｏｕｓ）キャリアアグリゲーションシステムとアグリゲーションされる搬送波が互いに離れている不連続（ｎｏｎ−ｃｏｎｔｉｇｕｏｕｓ）キャリアアグリゲーションシステムとに区分されることができる。以下、単純にキャリアアグリゲーションシステムという時、これはコンポーネントキャリアが連続な場合と不連続な場合を両方とも含むと理解しなければならない。
【００４９】
１個以上のコンポーネントキャリアをアグリゲーションする時、対象となるコンポーネントキャリアは、既存システムとの下位互換性（ｂａｃｋｗａｒｄ  ｃｏｍｐａｔｉｂｉｌｉｔｙ）のために既存システムで使用する帯域幅をそのまま使用することができる。例えば、３ＧＰＰ  ＬＴＥシステムでは１．４ＭＨｚ、３ＭＨｚ、５ＭＨｚ、１０ＭＨｚ、１５ＭＨｚ及び２０ＭＨｚの帯域幅をサポートし、３ＧＰＰ  ＬＴＥ−Ａシステムでは前記３ＧＰＰ  ＬＴＥシステムの帯域幅のみを利用して２０ＭＨｚ以上の広帯域を構成することができる。または、既存システムの帯域幅をそのまま使用せずに新しい帯域幅を定義して広帯域を構成することもできる。
【００５０】
無線通信システムのシステム周波数帯域は、複数の搬送波周波数（Ｃａｒｒｉｅｒ−ｆｒｅｑｕｅｎｃｙ）に区分される。ここで、搬送波周波数は、セルの中心周波数（Ｃｅｎｔｅｒ  ｆｒｅｑｕｅｎｃｙ  ｏｆ  ａ  ｃｅｌｌ）を意味する。以下、セル（ｃｅｌｌ）は、ダウンリンク周波数リソースとアップリンク周波数リソースを意味する。または、セルは、ダウンリンク周波数リソースと選択的な（ｏｐｔｉｏｎａｌ）アップリンク周波数リソースの組合せ（ｃｏｍｂｉｎａｔｉｏｎ）を意味する。また、一般的にキャリアアグリゲーション（ＣＡ）を考慮しない場合、一つのセル（ｃｅｌｌ）は、アップリンク及びダウンリンク周波数リソースが常に対で存在できる。
【００５１】
特定セルを介してパケット（ｐａｃｋｅｔ）データの送受信が行われるためには、端末は、まず、特定セルに対して設定（ｃｏｎｆｉｇｕｒａｔｉｏｎ）を完了しなければならない。ここで、設定（ｃｏｎｆｉｇｕｒａｔｉｏｎ）とは、該当セルに対するデータ送受信に必要なシステム情報受信を完了した状態を意味する。例えば、設定（ｃｏｎｆｉｇｕｒａｔｉｏｎ）は、データ送受信に必要な共通物理階層パラメータ、またはＭＡＣ（ｍｅｄｉａ  ａｃｃｅｓｓ  ｃｏｎｔｒｏｌ）階層パラメータ、またはＲＲＣ階層で特定動作に必要なパラメータを受信する全般の過程を含むことができる。設定完了したセルは、パケットデータが送信されることができるという情報のみ受信すると、直ちにパケットの送受信が可能になる状態である。
【００５２】
設定完了状態のセルは、活性化（Ａｃｔｉｖａｔｉｏｎ）または非活性化（Ｄｅａｃｔｉｖａｔｉｏｎ）状態に存在できる。ここで、活性化は、データの送信または受信が行なわれ、または準備状態（ｒｅａｄｙｓｔａｔｅ）にあることを意味する。端末は、自分に割り当てられたリソース（周波数、時間など）を確認するために、活性化されたセルの制御チャネル（ＰＤＣＣＨ）及びデータチャネル（ＰＤＳＣＨ）をモニタリングまたは受信することができる。
【００５３】
非活性化は、トラフィックデータの送信または受信が不可能であり、測定や最小情報の送信／受信が可能であることを意味する。端末は、非活性化セルからパケット受信のために必要なシステム情報（ＳＩ）を受信することができる。それに対し、端末は、自分に割り当てられたリソース（周波数、時間など）を確認するために、非活性化されたセルの制御チャネル（ＰＤＣＣＨ）及びデータチャネル（ＰＤＳＣＨ）をモニタリングまたは受信しない。
【００５４】
セルは、プライマリセル（ｐｒｉｍａｒｙ  ｃｅｌｌ）、セカンダリセル（ｓｅｃｏｎｄａｒｙ  ｃｅｌｌ）、サービングセル（ｓｅｒｖｉｎｇ  ｃｅｌｌ）に区分されることができる。
【００５５】
プライマリセルは、プライマリ周波数で動作するセルを意味し、端末が基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するセル、またはハンドオーバ過程でプライマリセルに指示されたセルを意味する。
【００５６】
セカンダリセルは、セカンダリ周波数で動作するセルを意味し、ＲＲＣ接続が確立される場合に設定され、追加的な無線リソースの提供に使われる。
【００５７】
サービングセルは、キャリアアグリゲーションが設定されない、またはキャリアアグリゲーションを提供することができない端末である場合には、プライマリセルで構成される。キャリアアグリゲーションが設定された場合、サービングセルという用語は、端末に設定されたセルを示し、複数で構成されることができる。一つのサービングセルは、一つのダウンリンクコンポーネントキャリアまたは｛ダウンリンクコンポーネントキャリア，アップリンクコンポーネントキャリア｝の対で構成されることができる。複数のサービングセルは、プライマリセル及び全てのセカンダリセルのうち一つまたは複数で構成された集合で構成されることができる。
【００５８】
ＰＣＣ（ｐｒｉｍａｒｙ  ｃｏｍｐｏｎｅｎｔ  ｃａｒｒｉｅｒ）は、プライマリセルに対応するコンポーネントキャリア（ｃｏｍｐｏｎｅｎｔ  ｃａｒｒｉｅｒ：ＣＣ）を意味する。ＰＣＣは、端末が複数のＣＣのうち初期に基地局と接続（ＣｏｎｎｅｃｔｉｏｎまたはＲＲＣ  Ｃｏｎｎｅｃｔｉｏｎ）されるＣＣである。ＰＣＣは、複数のＣＣに対するシグナリングのための接続（ＣｏｎｎｅｃｔｉｏｎまたはＲＲＣ  Ｃｏｎｎｅｃｔｉｏｎ）を担当し、端末と関連した接続情報である端末コンテキスト情報（ＵＥ  Ｃｏｎｔｅｘｔ）を管理する特別なＣＣである。また、ＰＣＣは、端末と接続されてＲＲＣ接続状態（ＲＲＣ  Ｃｏｎｎｅｃｔｅｄ  Ｍｏｄｅ）の場合には、常に活性化状態に存在する。プライマリセルに対応するダウンリンクコンポーネントキャリアをダウンリンクプライマリコンポーネントキャリア（ＤｏｗｎＬｉｎｋ  Ｐｒｉｍａｒｙ  Ｃｏｍｐｏｎｅｎｔ  Ｃａｒｒｉｅｒ、ＤＬ  ＰＣＣ）といい、プライマリセルに対応するアップリンクコンポーネントキャリアをアップリンクプライマリコンポーネントキャリア（ＵＬ  ＰＣＣ）という。
【００５９】
ＳＣＣ（ｓｅｃｏｎｄａｒｙ  ｃｏｍｐｏｎｅｎｔ  ｃａｒｒｉｅｒ）は、セカンダリセルに対応するＣＣを意味する。即ち、ＳＣＣは、ＰＣＣ以外に端末に割り当てられたＣＣであり、端末がＰＣＣ以外に追加的なリソース割当などのために拡張された搬送波（Ｅｘｔｅｎｄｅｄ  Ｃａｒｒｉｅｒ）であり、活性化または非活性化状態に分けられる。セカンダリセルに対応するダウンリンクコンポーネントキャリアをダウンリンクセカンダリコンポーネントキャリア（ＤＬ  Ｓｅｃｏｎｄａｒｙ  ＣＣ、ＤＬ  ＳＣＣ）といい、セカンダリセルに対応するアップリンクコンポーネントキャリアをアップリンクセカンダリコンポーネントキャリア（ＵＬ  ＳＣＣ）という。
【００６０】
プライマリセルとセカンダリセルは、下記のような特徴を有する。
【００６１】
第一に、プライマリセルは、ＰＵＣＣＨの送信のために使われる。第二に、プライマリセルは、常に活性化されており、それに対し、セカンダリセルは、特定条件によって活性化／非活性化される搬送波である。第三に、プライマリセルが無線リンク失敗（Ｒａｄｉｏ  Ｌｉｎｋ  Ｆａｉｌｕｒｅ；以下、ＲＬＦ）を経験する時、ＲＲＣ再接続がトリガリング（ｔｒｉｇｇｅｒｉｎｇ）される。第四に、プライマリセルは、セキュリティキー（ｓｅｃｕｒｉｔｙ  ｋｅｙ）変更やＲＡＣＨ（Ｒａｎｄｏｍ  Ａｃｃｅｓｓ  ＣＨａｎｎｅｌ）手順と伴うハンドオーバ手順により変更されることができる。第五に、ＮＡＳ（ｎｏｎ−ａｃｃｅｓｓ  ｓｔｒａｔｕｍ）情報は、プライマリセルを介して受信する。第六に、ＦＤＤシステムの場合、プライマリセルは、常にＤＬ  ＰＣＣとＵＬ  ＰＣＣが対（ｐａｉｒ）で構成される。第七に、各端末毎に異なるコンポーネントキャリア（ＣＣ）がプライマリセルに設定されることができる。第八に、プライマリセルは、ハンドオーバ、セル選択／セル再選択過程を介してのみ交替されることができる。新規セカンダリセルの追加において、専用（ｄｅｄｉｃａｔｅｄ）セカンダリセルのシステム情報を送信するのにＲＲＣシグナリングが使われることができる。
【００６２】
サービングセルを構成するコンポーネントキャリアは、ダウンリンクコンポーネントキャリアが一つのサービングセルを構成することもでき、ダウンリンクコンポーネントキャリアとアップリンクコンポーネントキャリアが連結設定されて一つのサービングセルを構成することもできる。しかし、一つのアップリンクコンポーネントキャリアのみではサービングセルが構成されない。
【００６３】
コンポーネントキャリアの活性化／非活性化は、サービングセルの活性化／非活性化の概念と同じである。例えば、サービングセル１がＤＬ  ＣＣ１で構成されていると仮定する時、サービングセル１の活性化は、ＤＬ  ＣＣ１の活性化を意味する。もし、サービングセル２がＤＬ  ＣＣ２とＵＬ  ＣＣ２が連結設定されて構成されていると仮定する時、サービングセル２の活性化は、ＤＬ  ＣＣ２とＵＬ  ＣＣ２の活性化を意味する。このような意味で、各コンポーネントキャリアは、サービングセル（ｃｅｌｌ）に対応されることができる。
【００６４】
ダウンリンクとアップリンクとの間にアグリゲーションされるコンポーネントキャリアの数は、異なるように設定されることができる。ダウンリンクＣＣ数とアップリンクＣＣ数が同じ場合を対称的（ｓｙｍｍｅｔｒｉｃ）アグリゲーションといい、その数が異なる場合を非対称的（ａｓｙｍｍｅｔｒｉｃ）アグリゲーションという。また、ＣＣの大きさ（即ち、帯域幅）は互いに異なることがある。例えば、７０ＭＨｚ帯域の構成のために５個のＣＣが使われるとする時、５ＭＨｚ  ＣＣ（ｃａｒｒｉｅｒ  ＃０）＋２０ＭＨｚ  ＣＣ（ｃａｒｒｉｅｒ  ＃１）＋２０ＭＨｚ  ＣＣ（ｃａｒｒｉｅｒ  ＃２）＋２０ＭＨｚ  ＣＣ（ｃａｒｒｉｅｒ  ＃３）＋５ＭＨｚ  ＣＣ（ｃａｒｒｉｅｒ  ＃４）のように構成されることもできる。
【００６５】
前述したように、キャリアアグリゲーションシステムでは、単一搬送波システムと違って、複数のコンポーネントキャリア（ｃｏｍｐｏｎｅｎｔ  ｃａｒｒｉｅｒ、ＣＣ）、即ち、複数のサービングセルをサポートすることができる。
【００６６】
このようなキャリアアグリゲーションシステムは、非交差搬送波スケジューリング及び交差搬送波スケジューリングをサポートすることができる。
【００６７】
図８は、非交差搬送波スケジューリング及び交差搬送波スケジューリングを例示する。
【００６８】
非交差搬送波スケジューリング（ｎｏｎ−ｃｒｏｓｓ  ｃａｒｒｉｅｒ  ｓｃｈｅｄｕｌｉｎｇ）は、従来の単一セル内でのスケジューリング方法を複数個のセルに単純拡張して適用することである。ＰＤＣＣＨによりスケジューリングされるＰＤＳＣＨがある時、前記ＰＤＣＣＨ／ＰＤＳＣＨは、同じコンポーネントキャリアを介して送信され、前記ＰＤＣＣＨは、特定コンポーネントキャリアと基本的にリンクされているコンポーネントキャリアを介して送信されるＰＵＳＣＨをスケジューリングすることができる。非交差搬送波スケジューリングは、セルフスケジューリング（Ｓｅｌｆ  Ｓｃｈｅｄｕｌｉｎｇ）とも呼ぶ。
【００６９】
交差搬送波スケジューリング（ｃｒｏｓｓ−ｃａｒｒｉｅｒ  ｓｃｈｅｄｕｌｉｎｇ）は、特定コンポーネントキャリアを介して送信されるＰＤＣＣＨを介して他のコンポーネントキャリアを介して送信されるＰＤＳＣＨのリソース割当及び／または前記特定コンポーネントキャリアと基本的にリンクされているコンポーネントキャリア以外の他のコンポーネントキャリアを介して送信されるＰＵＳＣＨのリソース割当をすることができるスケジューリング方法である。即ち、ＰＤＣＣＨとＰＤＳＣＨが互いに異なるダウンリンクＣＣを介して送信されることができ、ＵＬグラントを含むＰＤＣＣＨが送信されたダウンリンクＣＣとリンクされたアップリンクＣＣでない他のアップリンクＣＣを介してＰＵＳＣＨが送信されることができる。このように交差搬送波スケジューリングをサポートするシステムでは、ＰＤＣＣＨが制御情報を提供するＰＤＳＣＨ／ＰＵＳＣＨがどのようなＤＬ  ＣＣ／ＵＬ  ＣＣを介して送信されるかを知らせる搬送波指示子が必要である。以下、このような搬送波指示子を含むフィールドを搬送波指示フィールド（ｃａｒｒｉｅｒ  ｉｎｄｉｃａｔｉｏｎ  ｆｉｅｌｄ、ＣＩＦ）という。
【００７０】
交差搬送波スケジューリングをサポートするキャリアアグリゲーションシステムは、従来のＤＣＩ（ｄｏｗｎｌｉｎｋ  ｃｏｎｔｒｏｌ  ｉｎｆｏｒｍａｔｉｏｎ）フォーマットに搬送波指示フィールド（ＣＩＦ）を含むことができる。交差搬送波スケジューリングをサポートするシステム、例えば、ＬＴＥ−Ａシステムでは、既存のＤＣＩフォーマット（即ち、ＬＴＥで使用するＤＣＩフォーマット）にＣＩＦが追加されるため、３ビットが拡張されることができ、ＰＤＣＣＨ構造は、既存のコーディング方法、リソース割当方法（即ち、ＣＣＥベースのリソースマッピング）等を再使用することができる。
【００７１】
以下、本発明に対して説明する。
【００７２】
本発明では、増加するダウンリンク及び／またはアップリンクのデータ需要量をサポートするために、多くの個数のセル（ＣＥＬＬ）がキャリアアグリゲーション技法（ＣＡ）により設定された場合、効率的な検索空間（探索領域）構成／運営方法を提案する。以下、説明の便宜のために、検索空間（探索領域）を“ＳＳ（ＳＥＡＲＣＨ  ＳＰＡＣＥ）”ということができる。ＳＳは、ＰＤＣＣＨまたはＥＰＤＣＣＨのような制御チャネルを端末が探索／検索／モニタリングする領域である。
【００７３】
キャリアアグリゲーション技法により設定される複数のセルは、ライセンス帯域（ＬＩＣＥＮＳＥＤ  ＳＰＥＣＴＲＵＭ）ベースのセル（ＣＥＬＬ、以下、“ＬＣＥＬＬ”ということができる）でのみ構成され、またはアンライセンス（ＵＮＬＩＣＥＮＳＥＤ  ＳＰＥＣＴＲＵＭ）帯域ベースのセル（以下、“ＵＣＥＬＬ”ということができる）とＬＣＥＬＬの組み合わせで構成され、またはＵＣＥＬＬでのみ構成されることができる。ＵＣＥＬＬは、ＬＴＥ−Ｕ方式で動作されるセルである。ＵＣＥＬＬは、セカンダリセル（ＳＣＥＬＬ）にのみ限定的に設定（ＣＯＮＦＩＧＵＲＡＴＩＯＮ）されることができる。または、ＵＣＥＬＬは、ＬＣＥＬＬから“ＣＣＳ（ＣＲＯＳＳ  ＣＡＲＲＩＥＲ  ＳＣＨＥＤＵＬＩＮＧ）”されるように規則が定義されることができる。
【００７４】
ＵＣＥＬＬ上の無線リソースプール（ｒａｄｉｏ  ｒｅｓｏｕｒｃｅ  ｐｏｏｌ：ＲＲＰ）区間がＣＳ（ＣＡＲＲＩＥＲ  ＳＥＮＳＩＮＧ）結果に依存して非周期的または不連続的に構成されるリソースであることを考慮する時、ＵＥ動作及び仮定の観点で該当ＲＲＰ区間は再定義または再解釈されることができる。一例として、ＵＣＥＬＬでのＲＲＰ区間は、ＵＥがＵＣＥＬＬに対する（時間／周波数）同期動作を実行し、または（基地局から）そのための同期信号（即ち、ＰＳＳ、ＳＳＳ）が送信されると仮定される区間そして／またはＵＥがＵＣＥＬＬに対するＣＳＩ測定動作を実行し、または（基地局から）そのための参照信号（即ち、ＣＲＳ、ＣＳＩ−ＲＳ）が送信されると仮定される区間そして／またはＵＥがＵＣＥＬＬでのデータ送信（／受信）関連ＤＣＩ検出動作を実行する区間そして／またはＵＥがＵＣＥＬＬで受信される信号に対して（一時的なまたは臨時的な）バッファリング動作を実行する区間に（再）定義されることができる。
【００７５】
以下、説明の便宜のために、３ＧＰＰ  ＬＴＥ／ＬＴＥ−Ａシステムに基づく提案方式を説明する。しかし、これは制限でなく、本発明が適用されるシステムの範囲は、３ＧＰＰ  ＬＴＥ／ＬＴＥ−Ａシステム外に他のシステムに拡張可能である。
【００７６】
ダウンリンク制御情報が送信される検索空間（ＳＳ）の構成方法に対し、再び詳細に説明する。
【００７７】
制御領域は、複数のＣＣＥ（ｃｏｎｔｒｏｌ  ｃｈａｎｎｅｌ  ｅｌｅｍｅｎｔｓ）である論理的なＣＣＥ列で構成される。ＣＣＥは、複数のリソース要素グループ（ｒｅｓｏｕｒｃｅ  ｅｌｅｍｅｎｔ  ｇｒｏｕｐ：ＲＥＧ）に対応される。例えば、ＣＣＥは、９リソース要素グループに対応されることができる。リソース要素グループは、リソース要素で制御チャネルをマッピングすることを定義するために使われる。例えば、一つのリソース要素グループ（ＲＥＧ）は、４個のリソース要素（ＲＥ）で構成されることができる。ＣＣＥ列は、一つのサブフレーム内で制御領域を構成する全体ＣＣＥのセットである。
【００７８】
制御領域内では複数のＰＤＣＣＨが送信されることができる。ＰＤＣＣＨは、一つまたは複数個の連続的なＣＣＥ（ｃｏｎｔｒｏｌ  ｃｈａｎｎｅｌ  ｅｌｅｍｅｎｔｓ）のアグリゲーション（ａｇｇｒｅｇａｔｉｏｎ）上に送信される。ＣＣＥアグリゲーションを構成するＣＣＥの数（Ｎｕｍｂｅｒ  ｏｆ  ＣＣＥｓ）によってＰＤＣＣＨのフォーマット及び可能なＰＤＣＣＨのビット数が決定される。以下、ＰＤＣＣＨ送信のために使われるＣＣＥの数をＣＣＥアグリゲーションレベル（ａｇｇｒｅｇａｔｉｏｎ  ｌｅｖｅｌ、Ｌ）という。また、ＣＣＥアグリゲーションレベルは、ＰＤＣＣＨを検索するためのＣＣＥ単位である。ＣＣＥアグリゲーションレベルの大きさは、隣接するＣＣＥの数で定義される。例えば、ＣＣＥアグリゲーションレベルは、｛１、２、４、８｝のうちいずれか一つの個数のようなＣＣＥで定義されることができる。
【００７９】
以下の表は、ＣＣＥアグリゲーションレベルによるＰＤＣＣＨのフォーマット、可能なＰＤＣＣＨのビット数の例を示す。
【００８０】
【表１】
2019165461.tif 000002
【００８１】
ＣＣＥアグリゲーションレベルＬ｛１、２、３、４｝で検索空間Ｓ（Ｌ）ｋは、候補ＰＤＣＣＨのセットで定義されることができる。検索空間Ｓ（Ｌ）ｋの候補ＰＤＣＣＨ  ｍに対応するＣＣＥは、以下のように与えられる。
【００８２】
【数１】
2019165461.tif 000003
【００８３】
ここで、ｉ＝０、１、．．．、Ｌ−１、ｍ＝０、．．．、Ｍ（Ｌ）−１、ＮＣＣＥ、ｋは、サブフレームｋの制御領域内でＰＤＣＣＨの送信に使用することができるＣＣＥの全体個数である。制御領域は、０からＮＣＣＥ、ｋ−１でナンバリングされたＣＣＥのセットを含む。Ｍ（Ｌ）は、与えられた検索空間でのＣＣＥアグリゲーションレベルＬで候補ＰＤＣＣＨの個数である。共用検索空間で、Ｙｋは、２個のアグリゲーションレベル、Ｌ＝４及びＬ＝８に対して０にセッティングされる。ＣＣＥアグリゲーションレベルＬの端末特定検索空間で、変数Ｙｋは、以下のように定義される。
【００８４】
【数２】
2019165461.tif 000004
【００８５】
ここで、Ｙ−１＝ｎＲＮＴＩ≠０、Ａ＝３９８２７、Ｄ＝６５５３７、ｋ＝ｆｌｏｏｒ（ｎｓ／２）、ｎｓは、無線フレーム内のスロット番号（ｓｌｏｔ  ｎｕｍｂｅｒ）である。Ｆｌｏｏｒ（ｘ）は、ｘより小さい数のうち最も大きい整数を示す。
【００８６】
以下の表は、共用検索空間と端末特定検索空間でアグリゲーションレベルとＣＣＥの個数、候補ＰＤＣＣＨの個数（Ｍ（Ｌ））を示す。
【００８７】
【表２】
2019165461.tif 000005
【００８８】
一方、端末は、ＥＰＤＣＣＨモニタリングが設定されておらず、ＣＩＦ（ｃａｒｒｉｅｒ  ｉｎｄｉｃａｔｏｒ  ｆｉｅｌｄ）が設定されていない場合、各活性化されたサービングセルの全てのｎｏｎ−ＤＲＸサブフレームでアグリゲーションレベル１、２、４、８の各々で一つのＰＤＣＣＨ端末特定検索空間（ＰＤＣＣＨ  ＵＥ−ｓｐｅｃｉｆｉｃ  ｓｅａｒｃｈ  ｓｐａｃｅ）を検索する。
【００８９】
ＥＰＤＣＣＨモニタリングが設定されておらず、ＣＩＦが設定されている場合、端末は、全てのｎｏｎ−ＤＲＸサブフレームで上位階層信号により設定された一つ以上の活性化されたサービングセルに対してアグリゲーションレベル１、２、４、８の各々で一つ以上の端末特定検索空間（ＵＥ−ｓｐｅｃｉｆｉｃ  ｓｅａｒｃｈ  ｓｐａｃｅ）を検索する。
【００９０】
端末がサービングセルに対してＥＰＤＣＣＨモニタリングが設定されており、前記サービングセルが活性化されており、前記端末がＣＩＦが設定されていない場合、端末は、前記サービングセルでＥＰＤＣＣＨをモニタリングしない全てのｎｏｎ−ＤＲＸサブフレームでアグリゲーションレベル１、２、４、８の各々で一つのＰＤＣＣＨ端末特定検索空間をモニタリングする。
【００９１】
端末がサービングセルに対してＥＰＤＣＣＨモニタリングが設定されており、前記サービングセルが活性化されており、前記端末がＣＩＦが設定されている場合、端末は、上位階層信号により設定されたサービングセルでＥＰＤＣＣＨをモニタリングしない全てのｎｏｎ−ＤＲＸサブフレームでアグリゲーションレベル１、２、４、８の各々で一つ以上のＰＤＣＣＨ端末特定検索空間をモニタリングする。
【００９２】
プライマリセルで共用検索空間（ｃｏｍｍｏｎ  ｓｅａｒｃｈ  ｓｐａｃｅ）とＰＤＣＣＨ端末特定検索空間は、重なることができる。
【００９３】
サービングセルｃでのＰＤＣＣＨモニタリングと関連されたＣＩＦが設定された端末は、ＣＩＦが設定され、Ｃ−ＲＮＴＩでＣＲＣスクランブリングされたＰＤＣＣＨを前記サービングセルｃのＰＤＣＣＨ端末特定検索空間でモニタリングする。
【００９４】
プライマリセルでのＰＤＣＣＨモニタリングと関連されたＣＩＦが設定された端末は、ＣＩＦが設定され、ＳＰＳ  Ｃ−ＲＮＴＩでＣＲＣスクランブリングされたＰＤＣＣＨを前記プライマリセルのＰＤＣＣＨ端末特定検索空間でモニタリングする。
【００９５】
端末は、ＣＩＦがないＰＤＣＣＨを共用検索空間でモニタリングすることができる。
【００９６】
ＰＤＣＣＨがモニタリングされるサービングセルにおいて、端末がＣＩＦが設定されない場合、前記端末は、ＰＤＣＣＨ端末特定検索空間でＣＩＦがないＰＤＣＣＨをモニタリングする。ＣＩＦが設定されている場合、前記端末は、ＰＤＣＣＨ端末特定検索空間でＣＩＦがあるＰＤＣＣＨをモニタリングする。
【００９７】
セカンダリセルに対応するＣＩＦを有するＰＤＣＣＨを他のサービングセルでモニタリングするように設定されると、前記端末は、前記セカンダリセルのＰＤＣＣＨをモニタリングしない（モニタリングすることが期待されない）。ＰＤＣＣＨがモニタリングされるサービングセルのために、端末は、前記サービングセルでＰＤＣＣＨ候補をモニタリングすることができる。
【００９８】
次に、ＥＰＤＣＣＨ割当手順に対して説明する。
【００９９】
各サービングセルに対し、端末のＥＰＤＣＣＨモニタリングのために、一つまたは２個のＥＰＤＣＣＨ  ＰＲＢセットが上位階層信号を介して設定されることができる。ＥＰＤＣＣＨ  ＰＲＢセットに対応するＰＲＢ対（ｐａｉｒ）は、上位階層信号により指示される。各ＥＰＤＣＣＨ  ＰＲＢセットは、０からＮＥＣＣＥ、ｐ、ｋ−１までナンバリングされたＥＣＣＥで構成される。ここで、ＮＥＣＣＥ、ｐ、ｋは、サブフレームｋのＥＰＤＣＣＨ  ＰＲＢセットｐでのＥＣＣＥの個数である。ＥＰＤＣＣＨ  ＰＲＢセットは、ｌｏｃａｌｉｚｅｄまたはｄｉｓｔｒｉｂｕｔｅｄ方式により設定されることができる。端末は、一つ以上のＥＰＤＣＣＨ候補をモニタリングし、ここで、モニタリングとは、モニタリングすべきＤＣＩフォーマットによってＥＰＤＣＣＨの各々に対してデコーディングを試みることを意味する。
【０１００】
モニタリングすべきＥＰＤＣＣＨ候補は、ＥＰＤＣＣＨ端末特定検索空間に定義されることができる。各サービングセルに対し、端末がＥＰＤＣＣＨ端末特定検索空間をモニタリングすべきサブフレームが上位階層信号により設定されることができる。
【０１０１】
端末は、特定の特殊サブフレーム（ＳＰＥＣＩＡＬ  ＳＵＢＦＲＡＭＥ）ではＥＰＤＣＣＨをモニタリングせずに、上位階層によりＰＭＣＨをデコーディングするように指示されたサブフレームでもＥＰＤＣＣＨをモニタリングしない。
【０１０２】
アグリゲーションレベルＬ∈｛１、２、４、８、１６、３２｝で、ＥＰＤＣＣＨ端末特定検索空間をＥＳ（Ｌ）ｋとすると、ＥＰＤＣＣＨ候補のセットに定義されることができ、ＥＰＤＣＣＨ  ＰＲＢセットｐに対し、以下の数式のように表現されることができる。
【０１０３】
【数３】
2019165461.tif 000006
【０１０４】
前記数式において、ｉ＝０、．．．、Ｌ−１であり、ＥＰＤＣＣＨがモニタリングされるサービングセルに対するＣＩＦが設定される場合はｂ＝ｎＣＩであり、そうでない場合はｂ＝０である。ｎＣＩは、ＣＩＦの値である。Ｍ＝０、１、．．．、Ｍ（Ｌ）ｐ−１である。
【０１０５】
ＥＰＤＣＣＨがモニタリングされるサービングセルに対するＣＩＦが設定されない場合、Ｍ（Ｌ）ｐは、ＥＰＤＣＣＨがモニタリングされるサービングセルのＥＰＤＣＣＨ  ＰＲＢセットｐでアグリゲーションレベルＬに対するＥＰＤＣＣＨ候補の個数である。
【０１０６】
そうでない場合、Ｍ（Ｌ）ｐは、ｎＣＩにより指示されるサービングセルのＥＰＤＣＣＨ  ＰＲＢセットｐでアグリゲーションレベルＬに対するＥＰＤＣＣＨ候補の個数である。
【０１０７】
端末は、ＥＰＤＣＣＨ候補に対応するＥＣＣＥが同じサブフレームのＰＢＣＨ、同期化信号（ＰＳＳ、ＳＳＳ）が送信される周波数と重なる（ｏｖｅｒｌａｐ）ＰＲＢセットにマッピングされると、前記ＥＰＤＣＣＨ候補は、モニタリングしない。
【０１０８】
Ｙｐ、ｋは、以下の数式のように定義されることができる。
【０１０９】
【数４】
2019165461.tif 000007
【０１１０】
Ｙｐ、−１＝ｎＲＮＴＩ≠０、Ａ０＝３９８２７、Ａ１＝３９８２９、Ｄ＝６５５３７、ｋ＝ｆｌｏｏｒ（ｎｓ／２）である。
【０１１１】
検索空間を定義するアグリゲーションレベルとＥＰＤＣＣＨ候補の個数は、下記のように与えられることができる。
【０１１２】
端末に分散送信（ｄｉｓｔｒｉｂｕｔｅｄ  ｔｒａｎｓｍｉｓｓｉｏｎ）のための一つのＥＰＤＣＣＨ  ＰＲＢセットが設定される場合、アグリゲーションレベル及びＥＰＤＣＣＨ候補の個数は、以下の表のように定義されることができる。
【０１１３】
【表３】
2019165461.tif 000008
【０１１４】
【表４】
2019165461.tif 000009
【０１１５】
前記表において、Ｃａｓｅ１は、１）ノーマルサブフレーム及びノーマルダウンリンクＣＰでＤＣＩフォーマット２／２Ａ／２Ｂ／２Ｃ／２Ｄをモニタリングし、ダウンリンク帯域のリソースブロックの個数が２５個以上である場合、２）特定特殊サブフレーム及びノーマルダウンリンクＣＰでＤＣＩフォーマット２／２Ａ／２Ｂ／２Ｃ／２Ｄをモニタリングし、ダウンリンク帯域のリソースブロックの個数が２５個以上である場合、３）ノーマルサブフレーム及びノーマルダウンリンクＣＰでＤＣＩフォーマット１Ａ／１Ｂ／１Ｄ／１／２／２Ａ／２Ｂ／２Ｃ／２Ｄ／０／４をモニタリングする場合、４）特定特殊サブフレーム及びノーマルダウンリンクＣＰでＤＣＩフォーマット１Ａ／１Ｂ／１Ｄ／１／２／２Ａ／２Ｂ／２Ｃ／２Ｄ／０／４をモニタリングする場合などである。
【０１１６】
Ｃａｓｅ２は、１）ノーマルサブフレーム及び拡張ダウンリンクＣＰでＤＣＩフォーマット１Ａ／１Ｂ／１Ｄ／１／２Ａ／２／２Ｂ／２Ｃ／２Ｄ／０／４がモニタリングされる場合、２）特定特殊サブフレーム及びノーマルダウンリンクＣＰでＤＣＩフォーマット１Ａ／１Ｂ／１Ｄ／１／２Ａ／２／２Ｂ／２Ｃ／２Ｄ／０／４らがモニタリングされる場合、３）特定特殊サブフレーム及び拡張ダウンリンクＣＰでＤＣＩフォーマット１Ａ／１Ｂ／１Ｄ／１／２Ａ／２／２Ｂ／２Ｃ／２Ｄ／０／４がモニタリングされる場合などである。
【０１１７】
その以外の場合は、Ｃａｓｅ３である。
【０１１８】
そして、ＮＸｐＲＢは、ＥＰＤＣＣＨ  ＰＲＢセットｐを構成するＰＲＢ対の個数である。
【０１１９】
端末に局部的送信（ｌｏｃａｌｉｚｅｄ  ｔｒａｎｓｍｉｓｓｉｏｎ）のための一つのＥＰＤＣＣＨ  ＰＲＢセットが設定される場合、アグリゲーションレベル及びＥＰＤＣＣＨ候補の個数は、以下の表のように定義されることができる。
【０１２０】
【表５】
2019165461.tif 000010
【０１２１】
【表６】
2019165461.tif 000011
【０１２２】
端末に分散送信（ｄｉｓｔｒｉｂｕｔｅｄ  ｔｒａｎｓｍｉｓｓｉｏｎ）のための２個のＥＰＤＣＣＨ  ＰＲＢセットが設定される場合、アグリゲーションレベル及びＥＰＤＣＣＨ候補の個数は、以下の表のように定義されることができる。
【０１２３】
【表７】
2019165461.tif 000012
【０１２４】
【表８】
2019165461.tif 000013
【０１２５】
端末に局部的送信（ｌｏｃａｌｉｚｅｄ  ｔｒａｎｓｍｉｓｓｉｏｎ）のための２個のＥＰＤＣＣＨ  ＰＲＢセットが設定される場合、アグリゲーションレベル及びＥＰＤＣＣＨ候補の個数は、以下の表のように定義されることができる。
【０１２６】
【表９】
2019165461.tif 000014
【０１２７】
【表１０】
2019165461.tif 000015
【０１２８】
端末に分散送信（ｄｉｓｔｒｉｂｕｔｅｄ  ｔｒａｎｓｍｉｓｓｉｏｎ）のための一つのＥＰＤＣＣＨ  ＰＲＢセット及び局部的送信（ｌｏｃａｌｉｚｅｄ  ｔｒａｎｓｍｉｓｓｉｏｎ）のための一つのＥＰＤＣＣＨ  ＰＲＢセットが設定される場合、アグリゲーションレベル及びＥＰＤＣＣＨ候補の個数は、以下の表のように定義されることができる。
【０１２９】
【表１１】
2019165461.tif 000016
【０１３０】
【表１２】
2019165461.tif 000017
【０１３１】
端末にＣＩＦが設定されない場合、ＥＰＤＣＣＨをモニタリングするように設定された活性化されたサービングセルの各々で前記表３乃至表１２で与えられるアグリゲーションレベルの各々に対して一つのＥＰＤＣＣＨ端末特定検索空間をモニタリングする。
【０１３２】
端末は、ＥＰＤＣＣＨモニタリングが設定されてＣＩＦが設定されると、上位階層信号により設定された一つ以上の活性化されたサービングセルの各々で前記表３乃至表１２で与えられるアグリゲーションレベルの各々に対して一つ以上のＥＰＤＣＣＨ端末特定検索空間をモニタリングすることができる。
【０１３３】
サービングセルｃでのＥＰＤＣＣＨモニタリングと関連されたＣＩＦが設定された端末は、ＣＩＦが設定され、Ｃ−ＲＮＴＩでＣＲＣスクランブリングされたＥＰＤＣＣＨを前記サービングセルｃのＥＰＤＣＣＨ端末特定検索空間でモニタリングする。
【０１３４】
プライマリセルでのＥＰＤＣＣＨモニタリングと関連されたＣＩＦが設定された端末は、ＣＩＦが設定され、ＳＰＳ  Ｃ−ＲＮＴＩでＣＲＣスクランブリングされたＥＰＤＣＣＨを前記プライマリセルのＥＰＤＣＣＨ端末特定検索空間でモニタリングする。
【０１３５】
端末は、ＣＩＦがないＰＤＣＣＨを共用検索空間でモニタリングすることができる。
【０１３６】
ＥＰＤＣＣＨがモニタリングされるサービングセルにおいて、端末がＣＩＦが設定されない場合、前記端末は、ＥＰＤＣＣＨ端末特定検索空間でＣＩＦがないＥＰＤＣＣＨをモニタリングする。ＣＩＦが設定されている場合、前記端末は、ＥＰＤＣＣＨ端末特定検索空間でＣＩＦがあるＥＰＤＣＣＨをモニタリングする。
【０１３７】
端末は、他のサービングセルでセカンダリセルに対応するＣＩＦを有するＥＰＤＣＣＨをモニタリングするように設定されると、前記セカンダリセルでＥＰＤＣＣＨをモニタリングしない。
【０１３８】
従来、キャリアアグリゲーションでは、最大５個のセルをアグリゲーションすることを前提とした。しかし、将来の無線通信技術では、５個より多いセル、例えば、最大３２個のセルをアグリゲーションするキャリアアグリゲーションも考慮している。このように、セルの個数が多くなると、様々な考慮すべき事項がある。例えば、交差搬送波スケジューリングを使用する場合、他のセルのスケジューリング情報を送信するスケジューリングセルで最大３２個のセルに対するダウンリンク制御情報（ＤＣＩ）を送信すると、検索空間をどのように構成するかが問題になることができる。
【０１３９】
以下の提案方式は、多くの個数のＣＥＬＬ（Ｓ）がキャリアアグリゲーション技法により設定された場合、制御チャネル（または、制御情報）を検索／探索する検索空間（探索領域またはｓｅａｒｃｈ  ｓｐａｃｅ：ＳＳということができる）を効率的に構成／運営する方法を提示する。該当一部（または、全ての）提案方式の適用を介して、複数個のＣＥＬＬ（Ｓ）関連検索空間（ら）を特定ＣＥＬＬ上で効率的に共有（ＳＳ  ＳＨＡＲＩＮＧ）させることができる。
【０１４０】
また、本発明は、多くの個数のＣＥＬＬ（Ｓ）の設定によって端末のブラインドデコーディング（ＢＤ）回数がそれに比例して増加されることを緩和させることができる。
【０１４１】
第１のセルが第２のセルのスケジューリング情報を送信する場合（第１のセルを介して第２のセルのスケジューリング情報を送信する場合）、第１のセルをスケジューリングセル（ＳＣＨＥＤＵＬＩＮＧ  ＣＥＬＬ）、第２のセルをスケジューリングを受けるセル（ＳＣＨＥＤＵＬＥＤ  ＣＥＬＬ）ということができる。第１及び第２のセルは、同じセルである場合もあり、異なるセルである場合もある。第１及び第２のセルが互いに異なるセルである場合、前述した交差搬送波スケジューリング（ＣＣＳ）に該当する。ＵＣＥＬＬ別ＲＲＰ設定可否は、（各々のＵＣＥＬＬの）ＣＳ（ＣＡＲＲＩＥＲ  ＳＥＮＳＩＮＧ）結果によって非周期的または不連続的に示すため、特定時点で多くの個数のＵＣＥＬＬ（Ｓ）ＲＲＰ（Ｓ）が同時に設定される確率は、相対的に低い。即ち、特定時点で多くの個数のＵＣＥＬＬ（Ｓ）ＲＲＰ（Ｓ）が同時に設定されて該当ＵＣＥＬＬ（Ｓ）ＲＲＰ（Ｓ）でのデータ送信関連した多いスケジューリング情報が同時に送信される確率が低い。即ち、多くの個数のＵＣＥＬＬ（Ｓ）をスケジューリングするＳＣＨＥＤＵＬＩＮＧ  ＣＥＬＬのような特定ＣＥＬＬ上のＳＳで前記ＵＣＥＬＬに対するスケジューリング情報が同時に送信される確率は、あまり高くない。したがって、該当多くの個数のＵＣＥＬＬ（Ｓ）ＳＳ（Ｓ）は、以下の一部（または、全ての）提案方式の適用を介して、特定ＣＥＬＬ（即ち、多くの個数のＵＣＥＬＬ（Ｓ）のＳＣＨＥＤＵＬＩＮＧ  ＣＥＬＬ）のＳＳ上で共有されることができる。ただし、このような方法が適用されるとしても、ＢＬＯＣＫＩＮＧ  ＰＲＯＢＡＢＩＬＴＹ（ＢＰ）は高くない。ここで、一例として、ＵＣＥＬＬ（Ｓ）の（交差搬送波スケジューリング関連した）ＳＣＨＥＤＵＬＩＮＧ  ＣＥＬＬは、ＬＣＥＬＬ（そして／またはＰＣＥＬＬそして／または（事前に設定された（または、シグナリングされた））ＵＣＥＬＬ）そして／または事前に設定された（または、シグナリングされた）ＣＥＬＬ  ＧＲＯＵＰ（ＣＧ）の代表（ＲＥＰＲＥＳＥＮＴＡＴＩＶＥ）ＣＥＬＬ（または、ＣＧのＰＲＩＭＡＲＹ  （Ｓ）ＣＥＬＬ）に限定的に設定されることができる。ここで、一例として、特定ＣＧは、ＳＣＨＥＤＵＬＩＮＧ  ＣＥＬＬを含む（または、含まない）ＵＣＥＬＬ（Ｓ）でのみ構成され、またはＳＣＨＥＤＵＬＩＮＧ  ＣＥＬＬを含む（または、含まない）ＵＣＥＬＬ（Ｓ）／ＬＣＥＬＬ（Ｓ）の組み合わせで構成されることができる。また、一例として、特定ＣＧがＳＣＨＥＤＵＬＩＮＧ  ＣＥＬＬを含まない場合、一つのＳＣＨＥＤＵＬＩＮＧ  ＣＥＬＬ上には事前に設定された（または、シグナリングされた）複数個のＣＧ（Ｓ）関連ＣＥＬＬ（Ｓ）（即ち、ＳＣＨＥＤＵＬＥＤ  ＣＥＬＬ（Ｓ））に対するＳＳが構成されることもできる。
【０１４２】
また、一例として、ＳＣＨＥＤＵＬＩＮＧ  ＣＥＬＬが事前に設定された（または、シグナリングされた）ＣＧのＲＥＰＲＥＳＥＮＴＡＴＩＶＥ  ＣＥＬＬ（または、ＣＧのＰＲＩＭＡＲＹ  （Ｓ）ＣＥＬＬ）に設定される場合、該当ＣＧの余りのＣＥＬＬ（Ｓ）に対するＳＳは、該当ＲＥＰＲＥＳＥＮＴＡＴＩＶＥ  ＣＥＬＬ（または、ＰＲＩＭＡＲＹ  （Ｓ）ＣＥＬＬ）上に構成されることもできる。また、一例として、前記説明したＣＧのＲＥＰＲＥＳＥＮＴＡＴＩＶＥ  ＣＥＬＬ（または、ＣＧのＰＲＩＭＡＲＹ  （Ｓ）ＣＥＬＬ）上には（例外的に）ＣＳＳ（ＣＯＭＭＯＮ  ＳＥＡＲＣＨ  ＳＰＡＣＥ）が定義されるように規則が定義されることもできる。また、一例として、本発明の一部（または、全ての）提案方式は、ＵＣＥＬＬ（Ｓ）のＳＣＨＥＤＵＬＩＮＧ  ＣＥＬＬだけでなく、ＬＣＥＬＬ（Ｓ）のＳＣＨＥＤＵＬＩＮＧ  ＣＥＬＬ上のＳＳ構成にも拡張適用されることができる。
【０１４３】
以下、説明の便宜のために、複数個のＣＥＬＬ（Ｓ）関連ＳＳが構成されるＳＣＨＥＤＵＬＩＮＧ  ＣＥＬＬを“ＳＣＨ＿ＣＥＬＬ”と命名する。即ち、他のセルまたは自分をスケジューリングするＤＣＩをモニタリングする検索空間が構成されるセルを“ＳＣＨ＿ＣＥＬＬ”という。また、一例として、本発明の一部（または、全ての）提案方式は、ＰＤＣＣＨ  ＵＳＳ（端末特定検索空間：ＵＥ−ＳＰＥＣＩＦＩＣ  ＳＥＡＲＣＨ  ＳＰＡＣＥ）／ＣＳＳ（共用検索空間：ＣＯＭＭＯＮ  ＳＥＡＲＣＨ  ＳＰＡＣＥ）（そして／またはＥＰＤＣＣＨ  ＵＳＳ／ＣＳＳ）構成にのみ限定的に適用されるように規則が定義されることもできる。また、一例として、本発明の一部（または、全ての）提案方式は、（同じＣＧに属する（または、属しない））同じシステム帯域幅そして／または送信モード（ＴＭ）（そして／またはＣＰ  ＣＯＮＦＩＧＵＲＡＴＩＯＮそして／またはＳＰＥＣＩＡＬ  ＳＵＢＦＲＡＭＥ  ＣＯＮＦＩＧＵＲＡＴＩＯＮそして／またはＥＰＤＣＣＨ  ＳＥＴの構成ＰＲＢ−ＰＡＩＲ上でＥＰＤＣＣＨ送信に使用可能なＲＥ（Ｓ）個数）のＳＣＨＥＤＵＬＥＤ  ＣＥＬＬ（Ｓ）（そして／またはＳＣＨ＿ＣＥＬＬ）間にのみ限定的に適用されるように規則が定義されることができる。また、一例として、本発明の一部（または、全ての）提案方式で、ＣＧ別代表ＣＩＦ値（そして／または代表ＲＮＴＩ値）は、ＵＥ  ＧＲＯＵＰ−ＳＰＥＣＩＦＩＣ値（または、ＵＥ−ＳＰＥＣＩＦＩＣ値またはＣＧ−ＳＰＥＣＩＦＩＣ値）に定義されることができる。また、一例として、本発明の一部（または、全ての）提案方式は、ＵＣＥＬＬ（Ｓ）（そして／またはＬＣＥＬＬ（Ｓ））が含まれるＣＧにのみ限定的に適用されるように規則が定義（または、ＵＣＥＬＬ（Ｓ）（そして／またはＬＣＥＬＬ（Ｓ））が含まれるＣＧ上のＵＣＥＬＬ（Ｓ）（または、ＬＣＥＬＬ（Ｓ）またはＵＣＥＬＬ（Ｓ）／ＬＣＥＬＬ（Ｓ））にのみ限定的に適用されるように規則が定義またはＵＣＥＬＬ（Ｓ）（または、ＬＣＥＬＬ（Ｓ））でのみ構成されたＣＧにのみ限定的に適用されるように規則が定義）されることもできる。ここで、他の例として、本発明の一部（または、全ての）提案方式は、事前に設定された（または、シグナリングされた）ＳＣＨ＿ＣＥＬＬからＣＣＳされるＵＣＥＬＬ（Ｓ）（または、ＬＣＥＬＬ（Ｓ）またはＵＣＥＬＬ（Ｓ）／ＬＣＥＬＬ（Ｓ））（そして／またはＳＦＳされるＵＣＥＬＬ（Ｓ）（または、ＬＣＥＬＬ（Ｓ）またはＵＣＥＬＬ（Ｓ）／ＬＣＥＬＬ（Ｓ）））にのみ限定的に適用されるように規則が定義されることもできる。
【０１４４】
［提案方法＃１］ＵＥに事前に定義されたシグナリングを介して、セルグループ（ＣＧ）別代表（ＲＥＰＲＥＳＥＮＴＡＴＩＶＥ）ＣＩＦ（ＣＡＲＲＩＥＲ  ＩＮＤＩＣＡＴＯＲ  ＦＩＥＬＤ）値（そして／または代表ＲＮＴＩ値）を知らせることができる。前記代表ＣＩＦ値は、上位階層シグナリングまたは物理階層シグナリングを介して端末に提供されることができる。
【０１４５】
また、一例として、セルグループ別代表ＣＩＦ値（そして／または代表ＲＮＴＩ値）を受信したＵＥは、特定ＳＣＨＥＤＵＬＥＤ  ＣＥＬＬ  ＳＳ（そして／またはＳＣＨ＿ＣＥＬＬ  ＳＳ）を事前に設定された（または、シグナリングされた）ＳＣＨ＿ＣＥＬＬ上で構成／探索する時、該当ＳＣＨＥＤＵＬＥＤ  ＣＥＬＬ（そして／またはＳＣＨ＿ＣＥＬＬ）が属するＣＧの代表ＣＩＦ値（そして／または代表ＲＮＴＩ値）を利用して検索空間（ＳＳ）を構成／探索するようになる。ここで、具体的な一例として、代表ＣＩＦ値は、前述したｎＣＩパラメータに代入され、代表ＲＮＴＩ値は、ｎＲＮＴＩパラメータに代入されることができる。
【０１４６】
また、一例として、前記［提案方法＃１］が適用される場合、特定ＣＧを構成するＳＣＨＥＤＵＬＥＤ  ＣＥＬＬ（Ｓ）（そして／またはＳＣＨ＿ＣＥＬＬ）は、事前に設定された（または、シグナリングされた）ＳＣＨ＿ＣＥＬＬ上で共通されたＳＳ領域を共有するようになる。他の例として、前記［提案方法＃１］が適用される場合、ＵＥは、（事前にシグナリングされた（または、指定された））代表ＣＩＦ値そして／または代表ＲＮＴＩ値に基づいて構成された単一（共通）ＳＳ領域を介して、ＣＧの（全体）構成ＳＣＨＥＤＵＬＥＤ  ＣＥＬＬ（Ｓ）（そして／またはＳＣＨ＿ＣＥＬＬ）関連スケジューリング情報（即ち、（ＵＬ／ＤＬ）ＤＣＩ  ＦＯＲＭＡＴ（または、（ＵＬ／ＤＬ）ＧＲＡＮＴ））に対するＢＤを実行するようになる。他の例として、事前に定義されたシグナリングを介して、ＵＥ  ＧＲＯＵＰ別に代表ＣＩＦ値（そして／または代表ＲＮＴＩ値）を知らせるように規則が定義されることができる。ここで、一例として、該当シグナリングは、上位階層シグナリングまたは物理階層シグナリングに定義されることができる。具体的な一例として、特定ＵＥ  ＧＲＯＵＰに属するＵＥは、該当特定ＵＥ  ＧＲＯＵＰ関連代表ＣＩＦ値（そして／または代表ＲＮＴＩ値）を利用して、自分に設定された複数個のＳＣＨＥＤＵＬＥＤ  ＣＥＬＬ（Ｓ）（そして／またはＳＣＨ＿ＣＥＬＬ）関連ＳＳを事前に設定された（または、シグナリングされた）ＳＣＨ＿ＣＥＬＬ上で構成／探索（代表ＣＩＦ値は、ｎＣＩパラメータに代入され、代表ＲＮＴＩ値は、ｎＲＮＴＩパラメータに代入）するようになる。
【０１４７】
他の例として、前記［提案方法＃１］は、ＵＣＥＬＬ（Ｓ）（そして／またはＬＣＥＬＬ（Ｓ））が含まれるセルグループにのみ限定的に適用されるように規則が定義（または、ＵＣＥＬＬ（Ｓ）（そして／またはＬＣＥＬＬ（Ｓ））が含まれるＣＧ上のＵＣＥＬＬ（Ｓ）（または、ＬＣＥＬＬ（Ｓ）またはＵＣＥＬＬ（Ｓ）／ＬＣＥＬＬ（Ｓ））にのみ限定的に適用されるように規則が定義またはＵＣＥＬＬ（Ｓ）（または、ＬＣＥＬＬ（Ｓ））でのみ構成されたＣＧにのみ限定的に適用されるように規則が定義）されることもできる。ここで、他の例として、前記［提案方法＃１］は、事前に設定された（または、シグナリングされた）ＳＣＨ＿ＣＥＬＬからＣＣＳされるＵＣＥＬＬ（Ｓ）（または、ＬＣＥＬＬ（Ｓ）またはＵＣＥＬＬ（Ｓ）／ＬＣＥＬＬ（Ｓ））（そして／またはＳＦＳされるＵＣＥＬＬ（Ｓ）（または、ＬＣＥＬＬ（Ｓ）またはＵＣＥＬＬ（Ｓ）／ＬＣＥＬＬ（Ｓ）））にのみ限定的に適用されるように規則が定義されることもできる。
【０１４８】
［提案方法＃２］任意のセルグループ（ＣＧ）を構成するＳＣＨＥＤＵＬＥＤ  ＣＥＬＬ（Ｓ）（そして／またはＳＣＨ＿ＣＥＬＬ）のうち、事前にシグナリングされた（または、指定された）特定ＳＣＨＥＤＵＬＥＤ  ＣＥＬＬ（そして／またはＳＣＨ＿ＣＥＬＬ）のＳＳ構成／領域が、該当ＣＧの余りの構成ＳＣＨＥＤＵＬＥＤ  ＣＥＬＬ（Ｓ）（そして／またはＳＣＨ＿ＣＥＬＬ）にも共有（または、同じように仮定）されることができる。
【０１４９】
ここで、一例として、該当シグナリングは、上位階層シグナリングまたは物理階層シグナリングに定義されることができる。また、一例として、このような規則の適用は、ＵＥが該当セルグループ（ＣＧ）の余りの構成ＳＣＨＥＤＵＬＥＤ  ＣＥＬＬ（Ｓ）（そして／またはＳＣＨ＿ＣＥＬＬ）のＳＳ構成／探索時、（事前にシグナリングされた（または、指定された））特定ＳＣＨＥＤＵＬＥＤ  ＣＥＬＬ（そして／またはＳＣＨ＿ＣＥＬＬ）のＣＩＦ値（そして／または事前にシグナリングされたＣＧ別代表ＲＮＴＩ値）を利用（または、代入）すると解釈されることができる。
【０１５０】
一例として、前記［提案方法＃２］が適用される場合、特定ＣＧを構成するＳＣＨＥＤＵＬＥＤ  ＣＥＬＬ（Ｓ）（そして／またはＳＣＨ＿ＣＥＬＬ）は、事前に設定された（または、シグナリングされた）ＳＣＨ＿ＣＥＬＬ上で共通されたＳＳ領域を共有するようになる。他の例として、前記［提案方法＃２］が適用される場合、ＵＥは、（事前にシグナリングされた（または、指定された））特定ＳＣＨＥＤＵＬＥＤ  ＣＥＬＬ（そして／またはＳＣＨ＿ＣＥＬＬ）のＣＩＦ値そして／または（事前にシグナリングされたＣＧ別）代表ＲＮＴＩ値に基づいて構成された単一（共通）ＳＳ領域を介して、該当特定ＳＣＨＥＤＵＬＥＤ  ＣＥＬＬ（そして／またはＳＣＨ＿ＣＥＬＬ）と（特定ＳＣＨＥＤＵＬＥＤ
ＣＥＬＬ（そして／またはＳＣＨ＿ＣＥＬＬ）が属する）ＣＧの余りの構成ＳＣＨＥＤＵＬＥＤ  ＣＥＬＬ（Ｓ）（そして／またはＳＣＨ＿ＣＥＬＬ）（または、該当特定ＳＣＨＥＤＵＬＥＤ  ＣＥＬＬ（そして／またはＳＣＨ＿ＣＥＬＬ）が含まれるＣＧの（全体）構成ＳＣＨＥＤＵＬＥＤ  ＣＥＬＬ（Ｓ）（そして／またはＳＣＨ＿ＣＥＬＬ））関連スケジューリング情報（即ち、（ＵＬ／ＤＬ）ＤＣＩ  ＦＯＲＭＡＴ（または、（ＵＬ／ＤＬ）ＧＲＡＮＴ））に対するＢＤを実行するようになる。他の例として、前記［提案方法＃２］は、ＵＣＥＬＬ（Ｓ）（そして／またはＬＣＥＬＬ（Ｓ））が含まれるＣＧにのみ限定的に適用されるように規則が定義（または、ＵＣＥＬＬ（Ｓ）（そして／またはＬＣＥＬＬ（Ｓ））が含まれるＣＧ上のＵＣＥＬＬ（Ｓ）（または、ＬＣＥＬＬ（Ｓ）またはＵＣＥＬＬ（Ｓ）／ＬＣＥＬＬ（Ｓ））にのみ限定的に適用されるように規則が定義またはＵＣＥＬＬ（Ｓ）（または、ＬＣＥＬＬ（Ｓ））でのみ構成されたＣＧにのみ限定的に適用されるように規則が定義）されることもできる。ここで、他の例として、前記［提案方法＃２］は、事前に設定された（または、シグナリングされた）ＳＣＨ＿ＣＥＬＬからＣＣＳされるＵＣＥＬＬ（Ｓ）（または、ＬＣＥＬＬ（Ｓ）またはＵＣＥＬＬ（Ｓ）／ＬＣＥＬＬ（Ｓ））（そして／またはＳＦＳされるＵＣＥＬＬ（Ｓ）（または、ＬＣＥＬＬ（Ｓ）またはＵＣＥＬＬ（Ｓ）／ＬＣＥＬＬ（Ｓ）））にのみ限定的に適用されるように規則が定義されることもできる。
【０１５１】
［提案方法＃３］前記一部または全ての提案方法（例えば、［提案方法＃１］及び［提案方法＃２］のうち少なくとも一つ）の適用を介して、複数個のＳＣＨＥＤＵＬＥＤ  ＣＥＬＬ（Ｓ）（そして／またはＳＣＨ＿ＣＥＬＬ）関連ＳＳが事前に設定された（または、シグナリングされた）ＳＣＨ＿ＣＥＬＬ上で構成（または、共有）される時、下記の一部または全ての規則が適用されることができる。
【０１５２】
他の例として、［提案方法＃３］は、ＵＣＥＬＬ（Ｓ）（そして／またはＬＣＥＬＬ（Ｓ））が含まれるセルグループ（ＣＧ）にのみ限定的に適用されるように規則が定義されることができる。または、ＵＣＥＬＬ（Ｓ）（そして／またはＬＣＥＬＬ（Ｓ））が含まれるＣＧ上のＵＣＥＬＬ（Ｓ）（または、ＬＣＥＬＬ（Ｓ）またはＵＣＥＬＬ（Ｓ）／ＬＣＥＬＬ（Ｓ））にのみ限定的に適用されるように規則が定義されることができる。または、ＵＣＥＬＬ（Ｓ）（または、ＬＣＥＬＬ（Ｓ））でのみ構成されたＣＧにのみ限定的に適用されるように規則が定義されることができる。ここで、他の例として、［提案方法＃３］は、事前に設定された（または、シグナリングされた）ＳＣＨ＿ＣＥＬＬから交差搬送波スケジューリング（ＣＣＳ）されるＵＣＥＬＬ（Ｓ）（または、ＬＣＥＬＬ（Ｓ）またはＵＣＥＬＬ（Ｓ）／ＬＣＥＬＬ（Ｓ））（そして／またはセルフスケジューリング（ＳＦＳ）されるＵＣＥＬＬ（Ｓ）（または、ＬＣＥＬＬ（Ｓ）またはＵＣＥＬＬ（Ｓ）／ＬＣＥＬＬ（Ｓ）））にのみ限定的に適用されるように規則が定義されることもできる。
【０１５３】
（例示＃３−１）前記［提案方法＃１］で、一例として、セルグループ（ＣＧ）別代表ＣＩＦ値は、特定ＣＧに含まれるＳＣＨＥＤＵＬＥＤ  ＣＥＬＬ（Ｓ）（そして／またはＳＣＨ＿ＣＥＬＬ）のＳＳ構成／探索時（即ち、代表ＣＩＦ値がｎＣＩパラメータに代入）にのみ使用し、個別ＳＣＨＥＤＵＬＥＤ  ＣＥＬＬ（そして／またはＳＣＨ＿ＣＥＬＬ）のスケジューリング情報を知らせる（ＵＬ／ＤＬ）ＤＣＩ  ＦＯＲＭＡＴ（または、（ＵＬ／ＤＬ）ＧＲＡＮＴ、以下、同じ）上のＣＩＦ値は、各々のＳＣＨＥＤＵＬＥＤ  ＣＥＬＬ（そして／またはＳＣＨ＿ＣＥＬＬ）のＳＥＲＶＣＥＬＬＩＮＤＥＸに設定されるように規則が定義されることができる。
【０１５４】
また、一例として、前記［提案方法＃２］で特定ＳＣＨＥＤＵＬＥＤ  ＣＥＬＬ（そして／またはＳＣＨ＿ＣＥＬＬ）のＣＩＦ値は、（該当特定ＳＣＨＥＤＵＬＥＤ  ＣＥＬＬ（そして／またはＳＣＨ＿ＣＥＬＬ）が属する）セルグループ（ＣＧ）の余りＳＣＨＥＤＵＬＥＤ  ＣＥＬＬ（Ｓ）（そして／またはＳＣＨ＿ＣＥＬＬ）のＳＳ構成／探索時（例えば、代表ＣＩＦ値がｎＣＩパラメータに代入）にのみ使用し、個別ＳＣＨＥＤＵＬＥＤ  ＣＥＬＬ（そして／またはＳＣＨ＿ＣＥＬＬ）のスケジューリング情報を知らせる（ＵＬ／ＤＬ）ＤＣＩ  ＦＯＲＭＡＴ（または、（ＵＬ／ＤＬ）ＧＲＡＮＴ）上のＣＩＦ値は、各々のＳＣＨＥＤＵＬＥＤ  ＣＥＬＬ（そして／またはＳＣＨ＿ＣＥＬＬ）のＳＥＲＶＣＥＬＬＩＮＤＥＸに設定されるように規則が定義されることができる。
【０１５５】
他の例として、前記［提案方法＃１］で、ＣＧ別代表ＣＩＦ値は、特定ＣＧの構成ＳＣＨＥＤＵＬＥＤ  ＣＥＬＬ（Ｓ）（そして／またはＳＣＨ＿ＣＥＬＬ）のＳＳを構成／探索（例えば、代表ＣＩＦ値がｎＣＩパラメータに代入）する時だけでなく、個別ＳＣＨＥＤＵＬＥＤ  ＣＥＬＬ（そして／またはＳＣＨ＿ＣＥＬＬ）のスケジューリング情報を知らせる（ＵＬ／ＤＬ）ＤＣＩ  ＦＯＲＭＡＴ（または、（ＵＬ／ＤＬ）ＧＲＡＮＴ）上のＣＩＦ値でも利用されるように規則が定義されることもできる。ここで、一例として、このような提案方法によって、代表ＣＩＦ値に基づいて送信される（ＵＬ／ＤＬ）ＤＣＩ  ＦＯＲＭＡＴ（または、（ＵＬ／ＤＬ）ＧＲＡＮＴ）は、該当代表ＣＩＦ値と連動された（または、リンクされた）セルグループを構成するＳＣＨＥＤＵＬＥＤ  ＣＥＬＬ（Ｓ）（そして／またはＳＣＨ＿ＣＥＬＬ）に共通的に適用されるスケジューリング情報と解釈されることもできる。即ち、一種の多重搬送波スケジューリング（ＭＵＬＴＩ−ＣＡＲＲＩＥＲ  ＳＣＨＥＤＵＬＩＮＧ）の形態で解釈されることができる。
【０１５６】
他の例として、前記［提案方法＃２］で、特定ＳＣＨＥＤＵＬＥＤ  ＣＥＬＬ（そして／またはＳＣＨ＿ＣＥＬＬ）のＣＩＦ値は、（該当特定ＳＣＨＥＤＵＬＥＤ  ＣＥＬＬ（そして／またはＳＣＨ＿ＣＥＬＬ）が属する）セルグループ（ＣＧ）の余りの構成ＳＣＨＥＤＵＬＥＤ  ＣＥＬＬ（Ｓ）（そして／またはＳＣＨ＿ＣＥＬＬ）のＳＳを構成／探索（即ち、代表ＣＩＦ値がｎＣＩパラメータに代入）する時だけでなく、個別ＳＣＨＥＤＵＬＥＤ  ＣＥＬＬ（そして／またはＳＣＨ＿ＣＥＬＬ）のスケジューリング情報を知らせる（ＵＬ／ＤＬ）ＤＣＩ  ＦＯＲＭＡＴ（または、（ＵＬ／ＤＬ）ＧＲＡＮＴ）上のＣＩＦ値でも利用されるように規則が定義されることができる。
【０１５７】
他の例として、前記［提案方法＃１］そして／または［提案方法＃２］で、セルグループ（ＣＧ）別代表ＲＮＴＩ値が設定されない場合（例えば、代表ＣＩＦ値が設定された場合または事前にシグナリングされ、または指定された特定ＳＣＨＥＤＵＬＥＤ  ＣＥＬＬ（そして／またはＳＣＨ＿ＣＥＬＬ）のＣＩＦ値が利用（または、代入される場合）、端末は、Ｃ−ＲＮＴＩを利用して特定ＳＣＨＥＤＵＬＥＤ  ＣＥＬＬ  ＳＳ（そして／またはＳＣＨ＿ＣＥＬＬ  ＳＳ）を事前に設定された（または、シグナリングされた）ＳＣＨ＿ＣＥＬＬ上で構成／探索し、または個別ＳＣＨＥＤＵＬＥＤ  ＣＥＬＬ（そして／またはＳＣＨ＿ＣＥＬＬ）のスケジューリング情報（即ち、（ＵＬ／ＤＬ）ＤＣＩ  ＦＯＲＭＡＴ（または、（ＵＬ／ＤＬ）ＧＲＡＮＴ））関連ＣＲＣ  ＰＡＲＩＴＹ  ＢＩＴ（Ｓ）ＳＣＲＡＭＢＬＩＮＧを実行するようになる。
【０１５８】
（例示＃３−２）前記［提案方法＃１］で、一例として、ＣＧ別代表ＲＮＴＩ値は、特定ＣＧの構成ＳＣＨＥＤＵＬＥＤ  ＣＥＬＬ（Ｓ）（そして／またはＳＣＨ＿ＣＥＬＬ）のＳＳ構成／探索時（例えば、代表ＲＮＴＩ値がｎＲＮＴＩパラメータに代入）にのみ使用し、個別ＳＣＨＥＤＵＬＥＤ  ＣＥＬＬ（そして／またはＳＣＨ＿ＣＥＬＬ）のスケジューリング情報（即ち、（ＵＬ／ＤＬ）ＤＣＩ  ＦＯＲＭＡＴ（または、（ＵＬ／ＤＬ）ＧＲＡＮＴ））関連ＣＲＣ  ＰＡＲＩＴＹ  ＢＩＴ（Ｓ）ＳＣＲＡＭＢＬＩＮＧにはＣ−ＲＮＴＩが利用されるように規則が定義されることができる。
【０１５９】
また、一例として、前記［提案方法＃２］で特定ＳＣＨＥＤＵＬＥＤ  ＣＥＬＬ（そして／またはＳＣＨ＿ＣＥＬＬ）の代表ＲＮＴＩ値は、（該当特定ＳＣＨＥＤＵＬＥＤ  ＣＥＬＬ（そして／またはＳＣＨ＿ＣＥＬＬ）が属する）ＣＧの余りの構成ＳＣＨＥＤＵＬＥＤ  ＣＥＬＬ（Ｓ）（そして／またはＳＣＨ＿ＣＥＬＬ）のＳＳ構成／探索時（即ち、代表ＲＮＴＩ値がｎＲＮＴＩパラメータに代入されることができる）にのみ使用し、個別ＳＣＨＥＤＵＬＥＤ  ＣＥＬＬ（そして／またはＳＣＨ＿ＣＥＬＬ）のスケジューリング情報（即ち、（ＵＬ／ＤＬ）ＤＣＩ  ＦＯＲＭＡＴ（または、（ＵＬ／ＤＬ）ＧＲＡＮＴ））関連ＣＲＣ  ＰＡＲＩＴＹ  ＢＩＴ（Ｓ）ＳＣＲＡＭＢＬＩＮＧにはＣ−ＲＮＴＩが利用されるように規則が定義されることができる。
【０１６０】
他の例として、前記［提案方法＃１］で、ＣＧ別代表ＲＮＴＩ値は、特定ＣＧの構成ＳＣＨＥＤＵＬＥＤ  ＣＥＬＬ（Ｓ）（そして／またはＳＣＨ＿ＣＥＬＬ）のＳＳを構成／探索（例えば、代表ＲＮＴＩ値がｎＲＮＴＩパラメータに代入）する時だけでなく、個別ＳＣＨＥＤＵＬＥＤ  ＣＥＬＬ（そして／またはＳＣＨ＿ＣＥＬＬ）のスケジューリング情報（即ち、（ＵＬ／ＤＬ）ＤＣＩ  ＦＯＲＭＡＴ（または、（ＵＬ／ＤＬ）ＧＲＡＮＴ））関連ＣＲＣ  ＰＡＲＩＴＹ  ＢＩＴ（Ｓ）ＳＣＲＡＭＢＬＩＮＧにも利用されるように規則が定義されることができる。
【０１６１】
他の例として、前記［提案方法＃２］で、特定ＳＣＨＥＤＵＬＥＤ  ＣＥＬＬ（そして／またはＳＣＨ＿ＣＥＬＬ）の代表ＲＮＴＩ値は、（該当特定ＳＣＨＥＤＵＬＥＤ  ＣＥＬＬ（そして／またはＳＣＨ＿ＣＥＬＬ）が属する）ＣＧの余りの構成ＳＣＨＥＤＵＬＥＤ  ＣＥＬＬ（Ｓ）（そして／またはＳＣＨ＿ＣＥＬＬ）のＳＳを構成／探索（例えば、代表ＲＮＴＩ値がｎＲＮＴＩパラメータに代入）する時だけでなく、個別ＳＣＨＥＤＵＬＥＤ  ＣＥＬＬ（そして／またはＳＣＨ＿ＣＥＬＬ）のスケジューリング情報（即ち、（ＵＬ／ＤＬ）ＤＣＩ  ＦＯＲＭＡＴ（または、（ＵＬ／ＤＬ）ＧＲＡＮＴ））関連ＣＲＣ  ＰＡＲＩＴＹ  ＢＩＴ（Ｓ）ＳＣＲＡＭＢＬＩＮＧにも利用されるように規則が定義されることができる。
【０１６２】
他の例として、前記［提案方法＃１］そして／または［提案方法＃２］で、ＣＧ別代表ＣＩＦ値が設定されない場合（即ち、代表ＲＮＴＩ値のみが設定された場合）、端末は、各々のＳＣＨＥＤＵＬＥＤ  ＣＥＬＬ（そして／またはＳＣＨ＿ＣＥＬＬ）のＳＥＲＶＣＥＬＬＩＮＤＥＸを利用して特定ＳＣＨＥＤＵＬＥＤ  ＣＥＬＬ  ＳＳ（そして／またはＳＣＨ＿ＣＥＬＬ  ＳＳ）を事前に設定された（または、シグナリングされた）ＳＣＨ＿ＣＥＬＬ上で構成／探索し、または個別ＳＣＨＥＤＵＬＥＤ  ＣＥＬＬ（そして／またはＳＣＨ＿ＣＥＬＬ）のスケジューリング情報を知らせる（ＵＬ／ＤＬ）ＤＣＩ  ＦＯＲＭＡＴ（または、（ＵＬ／ＤＬ）ＧＲＡＮＴ）上のＣＩＦ値を設定するようになる。
【０１６３】
（例示＃３−３）前述したように、ＳＣＨ＿ＣＥＬＬの検索空間（ＳＳ）ではＳＣＨ＿ＣＥＬＬ自体に対するスケジューリング情報（ＵＬ／ＤＬ  ＤＣＩ  ＦＯＲＭＡＴ（同等な意味でＵＬ／ＤＬ  ＧＲＡＮＴ））と異なるセル、即ち、ＳＣＨＥＤＵＬＥＤ  ＣＥＬＬに対するスケジューリング情報が送信されることができる。ＳＣＨ＿ＣＥＬＬ上の検索空間（ＳＳ）で送信される、複数個のＳＣＨＥＤＵＬＥＤ  ＣＥＬＬ（Ｓ）（そして／またはＳＣＨ＿ＣＥＬＬ）関連（ＵＬ／ＤＬ）ＤＣＩ  ＦＯＲＭＡＴ（または、（ＵＬ／ＤＬ）ＧＲＡＮＴ）の大きさ（または、長さ）は、該当ＳＣＨＥＤＵＬＥＤ  ＣＥＬＬ（Ｓ）（そして／またはＳＣＨ＿ＣＥＬＬ）のうちシステム帯域幅が最も大きいＣＥＬＬ（このセルを“ＭＡＸ＿ＢＷ＿ＣＥＬＬ”という）または該当ＳＣＨＥＤＵＬＥＤ  ＣＥＬＬ（Ｓ）（そして／またはＳＣＨ＿ＣＥＬＬ）のうちシステム帯域幅が最も小さいＣＥＬＬ（このセルを“ＭＩＮ＿ＢＷ＿ＣＥＬＬ”という））の（ＵＬ／ＤＬ）ＤＣＩ  ＦＯＲＭＡＴ（または、（ＵＬ／ＤＬ）ＧＲＡＮＴ）大きさ（または、長さ）と同じように設定されるように規則が定義されることができる。
【０１６４】
具体的な一例として、ＭＡＸ＿ＢＷ＿ＣＥＬＬよりシステム帯域幅が相対的に小さいＳＣＨＥＤＵＬＥＤ  ＣＥＬＬ（そして／またはＳＣＨ＿ＣＥＬＬ）関連（ＵＬ／ＤＬ）ＤＣＩ  ＦＯＲＭＡＴ（または、（ＵＬ／ＤＬ）ＧＲＡＮＴ）の場合、ＭＡＸ＿ＢＷ＿ＣＥＬＬ関連（ＵＬ／ＤＬ）ＤＣＩ  ＦＯＲＭＡＴ（または、（ＵＬ／ＤＬ）ＧＲＡＮＴ）大きさ（または、長さ）と同じようになる時までゼロパディング（ＺＥＲＯ  ＰＡＤＤＩＮＧ）が適用されるようになる。
【０１６５】
他の例として、ＳＣＨ＿ＣＥＬＬ上のＳＳで送信される複数個のＳＣＨＥＤＵＬＥＤ  ＣＥＬＬ（Ｓ）（そして／またはＳＣＨ＿ＣＥＬＬ）関連（ＵＬ／ＤＬ）ＤＣＩ  ＦＯＲＭＡＴ（または、（ＵＬ／ＤＬ）ＧＲＡＮＴ）大きさ（または、長さ）は、該当ＳＣＨＥＤＵＬＥＤ  ＣＥＬＬ（Ｓ）（そして／またはＳＣＨ＿ＣＥＬＬ）のうち事前にシグナリングされた（または、指定された）ＳＣＨＥＤＵＬＥＤ  ＣＥＬＬ（または、ＳＣＨ＿ＣＥＬＬ）の（ＵＬ／ＤＬ）ＤＣＩ  ＦＯＲＭＡＴ（または、（ＵＬ／ＤＬ）ＧＲＡＮＴ）大きさ（または、長さ）と同じように設定されるように規則が定義されることができる。
【０１６６】
他の例として、ＳＣＨ＿ＣＥＬＬ上のＳＳで送信される複数個のＳＣＨＥＤＵＬＥＤ  ＣＥＬＬ（Ｓ）（そして／またはＳＣＨ＿ＣＥＬＬ）関連（ＵＬ／ＤＬ）ＤＣＩ  ＦＯＲＭＡＴ（または、（ＵＬ／ＤＬ）ＧＲＡＮＴ）大きさ（または、長さ）は、このような用途で事前にシグナリングされた（または、設定された）システム帯域幅によって合わせるように規則が定義されることができる。
【０１６７】
他の例として、ＳＣＨ＿ＣＥＬＬ上のＳＳで送信される複数個のＳＣＨＥＤＵＬＥＤ  ＣＥＬＬ（Ｓ）（そして／またはＳＣＨ＿ＣＥＬＬ）関連（ＵＬ／ＤＬ）ＤＣＩ  ＦＯＲＭＡＴ（または、（ＵＬ／ＤＬ）ＧＲＡＮＴ）大きさ（または、長さ）は、該当ＳＣＨＥＤＵＬＥＤ  ＣＥＬＬ（Ｓ）（そして／またはＳＣＨ＿ＣＥＬＬ）関連（ＵＬ／ＤＬ）ＤＣＩ  ＦＯＲＭＡＴ（または、（ＵＬ／ＤＬ）ＧＲＡＮＴ）大きさ（または、長さ）のうち最も長い（または、短い）ものと同じように設定されるように（または、合わせるように）規則が定義されることができる。
【０１６８】
図９は、例示＃３−３によって検索空間でスケジューリング情報の大きさを決定する例を示す。
【０１６９】
図９では、事前に設定され、またはシグナリングされた３個のＣＥＬＬ（Ｓ）（ＣＥＬＬ＃Ａ、ＣＥＬＬ＃Ｂ、ＣＥＬＬ＃Ｃ）が前記一部または全ての提案方法（［提案方法＃１］、［提案方法＃２］、（例示＃３−１）、（例示＃３−２）、（例示＃３−３））によって、ＳＥＡＲＣＨ  ＳＰＡＣＥ（ＳＳ）を共有（ＳＨＡＲＩＮＧ）する状況を仮定した。
【０１７０】
共有されたＳＳは、ＣＥＬＬ＃Ａ上で構成／設定されたと仮定し、また、’ＣＥＬＬ＃Ａ関連（ＤＬ／ＵＬ）ＤＣＩ  ＦＯＲＭＡＴ  ＳＩＺＥ＞ＣＥＬＬ＃Ｂ関連（ＤＬ／ＵＬ）ＤＣＩ  ＦＯＲＭＡＴ  ＳＩＺＥ＞ＣＥＬＬ＃Ｃ関連（ＤＬ／ＵＬ）ＤＣＩ  ＦＯＲＭＡＴ  ＳＩＺＥ’の関係を有すると仮定（即ち、’ＣＥＬＬ＃Ｂ関連ＤＣＩ  ＦＯＲＭＡＴ  ＳＩＺＥ’と’ＣＥＬＬ＃Ｃ関連ＤＣＩ  ＦＯＲＭＡＴ  ＳＩＺＥ’が最も大きい値を有する’ＣＥＬＬ＃Ａ関連ＤＣＩ  ＦＯＲＭＡＴ  ＳＩＺＥ’にＦＩＴＴＩＮＧされる）する。
【０１７１】
端末が最終的に各々のＣＥＬＬ（ＣＥＬＬ＃Ａ、ＣＥＬＬ＃Ｂ、ＣＥＬＬ＃Ｃ）に対する（ＩＮＤＩＶＩＳＵＡＬ）ＤＣＩ  ＦＯＲＭＡＴ（または、スケジューリング情報）を（実際に）受信する時、図１８のように’ＤＣＩ  ＦＯＲＭＡＴ  ＳＩＺＥ  ＦＩＴＴＩＮＧ’が適用されたＤＣＩ  ＦＯＲＭＡＴ（または、スケジューリング情報）を受けるようになる。即ち、ＣＥＬＬ＃Ｂ、ＣＥＬＬ＃Ｃに対するＤＣＩ  ＦＯＲＭＡＴは、ＣＥＬＬ＃ＡのＤＣＩ  ＦＯＲＭＡＴの長さと同じようにＺＥＲＯ  ＰＡＤＤＩＮＧされる。結果的に、ＣＥＬＬ＃Ａ、Ｂ、Ｃの各々に対するＤＣＩ  ＦＯＲＭＡＴの長さが同じようになるため、端末は、一つの長さを有するＤＣＩ  ＦＯＲＭＡＴのみを前提にしてブラインドデコーディングを実行すればすむ。したがって、ブラインドデコーディング試み回数を減らすようになる。
【０１７２】
他の例として、ＳＣＨ＿ＣＥＬＬ上の検索空間（ＳＳ）で送信される複数個のＳＣＨＥＤＵＬＥＤ  ＣＥＬＬ（Ｓ）（そして／またはＳＣＨ＿ＣＥＬＬ）関連（ＵＬ／ＤＬ）ＤＣＩ  ＦＯＲＭＡＴ（または、（ＵＬ／ＤＬ）ＧＲＡＮＴ）大きさ（または、長さ）は、事前にシグナリングされた（または、指定された）システム帯域幅と送信モード（ＴＲＡＮＳＭＩＳＳＩＯＮ  ＭＯＤＥ：ＴＭ）によって決定されることができる。
【０１７３】
他の例として、前記説明した、ＳＣＨ＿ＣＥＬＬ上のＳＳで送信される複数個のＳＣＨＥＤＵＬＥＤ  ＣＥＬＬ（Ｓ）（そして／またはＳＣＨ＿ＣＥＬＬ）関連（ＵＬ／ＤＬ）ＤＣＩ  ＦＯＲＭＡＴ（または、（ＵＬ／ＤＬ）ＧＲＡＮＴ）大きさ（または、長さ）を同じように合わせる過程は、（事前に指定された（または、シグナリングされた）ＴＭ  ＣＯＭＭＯＮ  ＤＣＩ  ＦＯＲＭＡＴと（事前に指定された（または、シグナリングされた）ＴＭ  ＤＥＤＩＣＡＴＥＤ  ＤＣＩ  ＦＯＲＭＡＴに対して別途に（または、独立的に）実行されることができる。ここで、一例として、ＴＭ  ＣＯＭＭＯＮ  ＤＣＩ  ＦＯＲＭＡＴは、ＤＣＩ  ＦＯＲＭＡＴ  ０／１Ａに設定されることができ、ＴＭ  ＤＥＤＩＣＡＴＥＤ  ＤＣＩ  ＦＯＲＭＡＴは、ＤＣＩ  ＦＯＲＭＡＴ  ２Ｃ／２Ｄ／４（／１Ｂ／１Ｄ／１／２Ａ／２／２Ｂ）に設定されることができる。即ち、ＳＣＨ＿ＣＥＬＬ上の検索空間で、ＤＣＩ  ＦＯＲＭＡＴ  ０／１Ａに対しては、第１の長さのＤＣＩ  ＦＯＲＭＡＴに合わせ、ＤＣＩ  ＦＯＲＭＡＴ  ２Ｃ／２Ｄ／４（／１Ｂ／１Ｄ／１／２Ａ／２／２Ｂ）に対しては、第２の長さのＤＣＩ  ＦＯＲＭＡＴに合わせる。前記第１及び第２の長さは、事前に決められ、またはシグナリングされることができる。
【０１７４】
他の例として、前記説明した、ＳＣＨ＿ＣＥＬＬ上のＳＳで送信される複数個のＳＣＨＥＤＵＬＥＤ  ＣＥＬＬ（Ｓ）（そして／またはＳＣＨ＿ＣＥＬＬ）関連（ＵＬ／ＤＬ）ＤＣＩ  ＦＯＲＭＡＴ（または、（ＵＬ／ＤＬ）ＧＲＡＮＴ）大きさ（または、長さ）を同じように合わせる過程は、ＵＣＥＬＬ（Ｓ）でのみ構成されたＣＧ、ＬＣＥＬＬでのみ構成されたＣＧ、ＵＣＥＬＬ及びＬＣＥＬＬが両方とも含まれるＣＧのうち特定ＣＧにのみ適用されるように規則が定義されることができる。
【０１７５】
他の例として、前記（例示＃３−３）は、（ＳＣＨ＿ＣＥＬＬ上のＳＳを共有する複数個のＳＣＨＥＤＵＬＥＤ  ＣＥＬＬ（Ｓ）（そして／またはＳＣＨ＿ＣＥＬＬ）のうち）同じ送信モード（ＴＭ）が設定されたＳＣＨＥＤＵＬＥＤ  ＣＥＬＬ（Ｓ）（そして／またはＳＣＨ＿ＣＥＬＬ）間にのみ限定的に適用されるように規則が定義されることができる。この場合、送信モードは、同じであるが、システム帯域幅が異なることによって、ブラインドデコーディング回数が増加されることを防止することができる。
【０１７６】
（例示＃３−４）ＳＣＨ＿ＣＥＬＬ上の検索空間（ＳＳ）で実行される複数個のＳＣＨＥＤＵＬＥＤ  ＣＥＬＬ（Ｓ）（そして／またはＳＣＨ＿ＣＥＬＬ）関連（ＵＬ／ＤＬ）ＤＣＩ  ＦＯＲＭＡＴ（または、（ＵＬ／ＤＬ）ＧＲＡＮＴ）ブラインドデコーディング（ＢＤ）のための、ＡＬ（ＡＧＧＲＥＧＡＴＩＯＮ  ＬＥＶＥＬ）候補構成そして／またはＡＬ別ＢＤ回数決定に、事前にシグナリングされた（または、指定された）ＳＣＨＥＤＵＬＥＤ  ＣＥＬＬ（または、ＳＣＨ＿ＣＥＬＬまたはＭＡＸ＿ＢＷ＿ＣＥＬＬまたはＭＩＮ＿ＢＷ＿ＣＥＬＬ）の以下の一部（または、全ての）パラメータが考慮されるように規則が定義されることもできる。即ち、ＳＣＨ＿ＣＥＬＬ上の検索空間でスケジューリング情報のブラインドデコーディングのためにアグリゲーションレベル、アグリゲーションレベル別ブラインドデコーディング回数などを決定することができる。この場合、あらかじめ決められ、またはシグナリングされたＳＣＨＥＤＵＬＥＤ  ＣＥＬＬ、ＳＣＨ＿ＣＥＬＬ、ＭＡＸ＿ＢＷ＿ＣＥＬＬまたはＭＩＮ＿ＢＷ＿ＣＥＬＬのパラメータが考慮されることができる。ここで、前記パラメータは、１）システム帯域幅、２）送信モード、３）ＣＰ（ＣＹＣＬＩＣ  ＰＲＥＦＩＸ）設定、特殊サブフレーム設定、ＥＰＤＣＣＨを構成するＰＲＢ対でＥＰＤＣＣＨ送信に使われることができるリソース要素（ＲＥ）の個数（これをＮ＿ＥＰＤＣＣＨと表示）などである。
【０１７７】
ここで、一例として、アグリゲーションレベル候補構成そして／またはアグリゲーションレベル別ブラインドデコーディング回数の最終決定のための、ＣＰ  ＣＯＮＦＩＧＵＲＡＴＩＯＮそして／またはＳＰＥＣＩＡＬ  ＳＵＢＦＲＡＭＥ  ＣＯＮＦＩＧＵＲＡＴＩＯＮそして／またはＮ＿ＥＰＤＣＣＨは、（例外的に）ＳＣＨ＿ＣＥＬＬのパラメータが考慮されることができる。
【０１７８】
他の例として、ＳＣＨ＿ＣＥＬＬ上のＳＳで実行される複数個のＳＣＨＥＤＵＬＥＤ  ＣＥＬＬ（Ｓ）（そして／またはＳＣＨ＿ＣＥＬＬ）関連（ＵＬ／ＤＬ）ＤＣＩ  ＦＯＲＭＡＴ（または、（ＵＬ／ＤＬ）ＧＲＡＮＴ）ＢＤのための、ＡＬ候補構成そして／またはＡＬ別ＢＤ回数決定に、以下の一部（または、全ての）規則によって選定された代表パラメータが考慮されるように定義されることができる。ここで、一例として、ＡＬ候補構成そして／またはＡＬ別ＢＤ回数の最終決定のための、ＣＰ  ＣＯＮＦＩＧＵＲＡＴＩＯＮそして／またはＳＰＥＣＩＡＬ  ＳＵＢＦＲＡＭＥ  ＣＯＮＦＩＧＵＲＡＴＩＯＮそして／またはＮ＿ＥＰＤＣＣＨの代表パラメータは、ＳＣＨ＿ＣＥＬＬのパラメータが考慮されるように規則が定義されることもできる。
【０１７９】
一例として、ＳＣＨＥＤＵＬＥＤ  ＣＥＬＬ（Ｓ）（そして／またはＳＣＨ＿ＣＥＬＬ）のシステム帯域幅のうち、最も大きい（または、小さい）帯域幅が代表システム帯域幅値に設定されることができる。他の例として、ＳＣＨＥＤＵＬＥＤ  ＣＥＬＬ（Ｓ）（そして／またはＳＣＨ＿ＣＥＬＬ）のシステム帯域幅のうち、最も多い（または、少ない）個数の帯域幅が代表システム帯域幅値に設定されることができる。
【０１８０】
一例として、ＳＣＨＥＤＵＬＥＤ  ＣＥＬＬ（Ｓ）（そして／またはＳＣＨ＿ＣＥＬＬ）の送信モード（ＴＭ）のうち、前記代表システム帯域幅値の適用（または、仮定）下に、ＴＭ−ＤＥＰＥＮＤＥＮＴ  ＤＣＩ大きさ（または、長さ）が最も長い（または、短い）ＴＭが代表ＴＭに設定されることができる。他の例として、ＳＣＨＥＤＵＬＥＤ  ＣＥＬＬ（Ｓ）（そして／またはＳＣＨ＿ＣＥＬＬ）のＴＭ（Ｓ）のうち、最も多い（または、少ない）個数のＴＭが代表ＴＭに設定されることができる。
【０１８１】
一例として、ＳＣＨＥＤＵＬＥＤ  ＣＥＬＬ（Ｓ）（そして／またはＳＣＨ＿ＣＥＬＬ）のＣＰ  ＣＯＮＦＩＧＵＲＡＴＩＯＮ（Ｓ）（または、ＳＰＥＣＩＡＬ  ＳＵＢＦＲＡＭＥ  ＣＯＮＦＩＧＵＲＡＴＩＯＮ（Ｓ）またはＮ＿ＥＰＤＣＣＨ（Ｓ））のうち、最も多い（または、少ない）個数のＣＰ  ＣＯＮＦＩＧＵＲＡＴＩＯＮ（または、ＳＰＥＣＩＡＬ  ＳＵＢＦＲＡＭＥ  ＣＯＮＦＩＧＵＲＡＴＩＯＮまたはＮ＿ＥＰＤＣＣＨ）が代表ＣＰ  ＣＯＮＦＩＧＵＲＡＴＩＯＮに設定されることができる。
【０１８２】
他の例として、ＳＣＨ＿ＣＥＬＬ上のＳＳ（Ｓ）で実行される複数個のＳＣＨＥＤＵＬＥＤ  ＣＥＬＬ（Ｓ）（そして／またはＳＣＨ＿ＣＥＬＬ）関連（ＵＬ／ＤＬ）ＤＣＩ  ＦＯＲＭＡＴ（または、（ＵＬ／ＤＬ）ＧＲＡＮＴ）ＢＤのための、ＡＬ候補構成そして／またはＡＬ別ＢＤ回数決定に、このような用途で事前にシグナリングされた（または、設定された）システム帯域幅そして／または送信モードそして／またはＣＰ  ＣＯＮＦＩＧＵＲＡＴＩＯＮそして／またはＳＰＥＣＩＡＬ  ＳＵＢＦＲＡＭＥ  ＣＯＮＦＩＧＵＲＡＴＩＯＮそして／または特定ＥＰＤＣＣＨ  ＳＥＴの構成ＰＲＢ−ＰＡＩＲ上でＥＰＤＣＣＨ送信に使用可能なＲＥ（Ｓ）個数パラメータが考慮されるように規則が定義されることができる。一例として、前記（例示＃３−３）そして／または（例示＃３−４）が適用される場合、ＵＥは、最終導出された（共通された）ＡＬ候補構成そして／またはＡＬ別ＢＤ回数に基づいて、事前に設定された（または、シグナリングされた）ＳＣＨ＿ＣＥＬＬ上のＳＳで複数個のＳＣＨＥＤＵＬＥＤ  ＣＥＬＬ（Ｓ）（そして／またはＳＣＨ＿ＣＥＬＬ）関連（ＵＬ／ＤＬ）ＤＣＩ  ＦＯＲＭＡＴ（または、（ＵＬ／ＤＬ）ＧＲＡＮＴ）に対するＢＤを実行するようになる。
【０１８３】
［提案方法＃２２］（’ＳＳ  ＳＨＡＲＥＤ’または’ＮＯＮ−ＳＳ  ＳＨＡＲＥＤ’）ＣＥＬＬ別に’ＳＩＮＧＬＥ  ＵＮＩＦＩＥＤ  ＤＬ  ＧＲＡＮＴ  ＤＣＩ  ＦＯＲＭＡＴ’を作るために、ＣＥＬＬ関連’ＤＣＩ  ＦＯＲＭＡＴ  １Ａ（／ＤＣＩ  ＦＯＲＭＡＴ  ０）ＳＩＺＥ’と’ＴＭ−ＤＥＰＥＮＤＥＮＴ  ＤＣＩ  ＦＯＲＭＡＴ（例えば、）ＤＣＩ  ＦＯＲＭＡＴ  ２Ｃ／２Ｄ）ＳＩＺＥ’を二つのうち最も長い（または、短い）ものと同じように（再）設定することができる。それによって、ブラインドデコーディング回数を減らすことができる。即ち、検索空間で一つの共通された長さのＤＣＩ  ＦＯＲＭＡＴを使用し、その長さは、ＤＣＩ  ＦＯＲＭＡＴ  ０／１Ａ、送信モードによって長さが変わるＤＣＩ  ＦＯＲＭＡＴのうち、最も長いまたは最も短いＤＣＩ  ＦＯＲＭＡＴによって決定する。
【０１８４】
ここで、一例として、このような規則が適用される場合、’ＳＩＮＧＬＥ  ＵＮＩＦＩＥＤ  ＤＬ  ＧＲＡＮＴ  ＤＣＩ  ＦＯＲＭＡＴ’上に’ＤＣＩ  ＴＹＰＥ  ＩＮＤＩＣＡＴＯＲ’フィールドが追加的に（または、新しく）定義されることができ、該当’ＤＣＩ  ＴＹＰＥ  ＩＮＤＩＣＡＴＯＲ’フィールドは、（送信／受信された）’ＳＩＮＧＬＥ  ＵＮＩＦＩＥＤ  ＤＬ  ＧＲＡＮＴ  ＤＣＩ  ＦＯＲＭＡＴ’が’ＤＣＩ  ＦＯＲＭＡＴ  １Ａ（／ＤＣＩ  ＦＯＲＭＡＴ  ０）（タイプ）’と’ＴＭ−ＤＥＰＥＮＤＥＮＴ  ＤＣＩ  ＦＯＲＭＡＴ（タイプ）’のうち、どちらか一つであるかを知らせる役割を遂行するようになる。ここで、具体的な一例として、端末が最終的に’ＳＩＮＧＬＥ  ＵＮＩＦＩＥＤ  ＤＬ  ＧＲＡＮＴ  ＤＣＩ  ＦＯＲＭＡＴ’を（実際に）受信する時、もし、’ＤＣＩ  ＴＹＰＥ  ＩＮＤＩＣＡＴＯＲ’フィールドが’ＤＣＩ  ＦＯＲＭＡＴ  １Ａ（／ＤＣＩ  ＦＯＲＭＡＴ  ０）（タイプ）’を示す場合、’ＴＭ−ＤＥＰＥＮＤＥＮＴ  ＤＣＩ  ＦＯＲＭＡＴ’に’ＤＣＩ  ＦＯＲＭＺＴ  ＳＩＺＥ  ＦＩＴＴＩＮＧ’された’ＤＣＩ  ＦＯＲＭＡＴ  １Ａ（／ＤＣＩ  ＦＯＲＭＡＴ  ０）’を（実際に）受信（’ＴＭ−ＤＥＰＥＮＤＥＮＴ  ＤＣＩ  ＦＯＲＭＡＴ  ＳＩＺＥ＞ＤＣＩ  ＦＯＲＭＡＴ  １Ａ（／ＤＣＩ  ＦＯＲＭＡＴ  ０）’状況を仮定）するようになり、このとき、’ＳＩＮＧＬＥ  ＵＮＩＦＩＥＤ  ＤＬ  ＧＲＡＮＴ  ＤＣＩ  ＦＯＲＭＡＴ’内の該当ＤＣＩ  ＦＯＲＭＡＴ  １Ａ（／ＤＣＩ  ＦＯＲＭＡＴ  ０）に対応されるスケジューリング情報フィールドを除外した残り部分は、事前に定義された（または、シグナリングされた）値（例えば、’０’）のビットでパディングされる。
【０１８５】
他の例として、（’ＳＳ  ＳＨＡＲＥＤ’または’ＮＯＮ−ＳＳ  ＳＨＡＲＥＤ’）ＣＥＬＬ別に’ＳＩＮＧＬＥ  ＵＮＩＦＩＥＤ  ＵＬ  ＧＲＡＮＴ  ＤＣＩ  ＦＯＲＭＡＴ’を作るために、ＣＥＬＬ関連’ＤＣＩ  ＦＯＲＭＡＴ  ０（／ＤＣＩ  ＦＯＲＭＡＴ  １Ａ）ＳＩＺＥ’と’ＴＭ−ＤＥＰＥＮＤＥＮＴ  ＤＣＩ  ＦＯＲＭＡＴ（例えば、ＤＣＩ  ＦＯＲＭＡＴ  ４）ＳＩＺＥ’を二つのうち最も長い（または、短い）ものと同じように（再）設定するように（または、合わせるように）規則が定義されることができる。
【０１８６】
［提案方法＃４］一例として、同じセルグループ（ＣＧ）に設定されるＣＥＬＬ（Ｓ）は、下の全てのまたは一部パラメータが同じように設定（または、共有）されると解釈されることができる。即ち、ＣＧ単位で下の全ての（または、一部）パラメータが設定されると解釈することも可能である。
【０１８７】
他の例として、下の全ての（または、一部）パラメータが同じＣＥＬＬ（Ｓ）のみが同じセルグループに設定されるように規則が定義されることもできる。
【０１８８】
他の例として、［提案方法＃４］は、ＵＣＥＬＬ（Ｓ）（そして／またはＬＣＥＬＬ（Ｓ））が含まれるＣＧにのみ限定的に適用されるように規則が定義され、またはＵＣＥＬＬ（Ｓ）（そして／またはＬＣＥＬＬ（Ｓ））が含まれるＣＧ上のＵＣＥＬＬ（Ｓ）（または、ＬＣＥＬＬ（Ｓ）またはＵＣＥＬＬ（Ｓ）／ＬＣＥＬＬ（Ｓ））にのみ限定的に適用されるように規則が定義されることができる。または、ＵＣＥＬＬでのみまたはＬＣＥＬＬでのみ構成されたＣＧにのみ限定的に適用されるように規則が定義されることもできる。
【０１８９】
他の例として、［提案方法＃４］は、事前に設定された（または、シグナリングされた）ＳＣＨ＿ＣＥＬＬから交差搬送波スケジューリング（ＣＣＳ）されるＵＣＥＬＬ（Ｓ）（または、ＬＣＥＬＬ（Ｓ）またはＵＣＥＬＬ（Ｓ）／ＬＣＥＬＬ（Ｓ））（そして／またはセルフスケジューリング（ＳＦＳ）されるＵＣＥＬＬ（Ｓ）（または、ＬＣＥＬＬ（Ｓ）またはＵＣＥＬＬ（Ｓ）／ＬＣＥＬＬ（Ｓ）））にのみ限定的に適用されるように規則が定義されることができる。
【０１９０】
［提案方法＃４］におけるパラメータは、下記の通りである。
【０１９１】
１）ＴＭそして／またはシステム帯域幅そして／またはＣＰ  ＣＯＮＦＩＧＵＲＡＴＩＯＮそして／またはＳＰＥＣＩＡＬ  ＳＵＢＦＲＡＭＥ  ＣＯＮＦＩＧＵＲＡＴＩＯＮ（そして／またはＮ＿ＥＰＤＣＣＨ）
【０１９２】
２）ＣＳＩ  ＲＥＱＵＥＳＴ  ＦＩＥＬＤの値（または、ＳＴＡＴＥ）別に連動されたＡＰＥＲＩＯＤＩＣ  ＣＳＩ（Ａ−ＣＳＩ）ＲＥＰＯＲＴＩＮＧ関連ＳＥＲＶＩＮＧ  ＣＥＬＬ（Ｓ）ＳＥＴそして／またはＣＳＩ  ＰＲＯＣＥＳＳ（ＥＳ）  ＳＥＴ
【０１９３】
３）ＰＥＲＩＯＤＩＣ  ＣＳＩ（Ｐ−ＣＳＩ）ＲＥＰＯＲＴＩＮＧ  ＣＯＮＦＩＧＵＲＡＴＩＯＮ
【０１９４】
４）（（Ｅ）ＰＤＣＣＨ）ＵＳＳ（そして／またはＣＳＳ）
【０１９５】
［提案方法＃５］一例として、端末に事前に定義されたシグナリングを介して、セルグループ（ＣＧ）別に（または、ＣＥＬＬ別に）連動された（または、モニタリングすべき）制御チャネル情報（そして／またはＳＳタイプ情報）を知らせることができる。ここで、一例として、該当シグナリングは、上位階層シグナリングまたは物理階層シグナリングに定義されることができる。また、一例として、該当制御チャネル情報は、ＰＤＣＣＨ（ＵＳＳそして／またはＣＳＳ）、ＥＰＤＣＣＨ（ＵＳＳ）のうち一つに指示され、またはＰＤＣＣＨ（ＵＳＳそして／またはＣＳＳ）、ＥＰＤＣＣＨ  ＳＥＴ＃０（ＵＳＳ）、ＥＰＤＣＣＨ  ＳＥＴ＃１（ＵＳＳ）（２個のＥＰＤＣＣＨ  ＳＥＴ（Ｓ）設定された場合）のうち一つに指示され、またはＥＰＤＣＣＨ  ＳＥＴ＃０（ＵＳＳ）、ＥＰＤＣＣＨ  ＳＥＴ＃１（ＵＳＳ）（２個のＥＰＤＣＣＨ  ＳＥＴ（Ｓ）設定された場合）のうち一つに指示されることができる。
【０１９６】
具体的な一例として、２個のＣＧ（Ｓ）（例えば、ＣＧ＃０、ＣＧ＃１）が設定された場合、ＣＧ＃０を構成するＳＣＨＥＤＵＬＥＤ  ＣＥＬＬ（Ｓ）（そして／またはＳＣＨ＿ＣＥＬＬ＃Ｘ）関連スケジューリング情報（即ち、（ＵＬ／ＤＬ）ＤＣＩ  ＦＯＲＭＡＴ（または、（ＵＬ／ＤＬ）ＧＲＡＮＴ））は、事前に設定された（または、シグナリングされた）ＳＣＨ＿ＣＥＬＬ＃Ｘ上のＰＤＣＣＨ（ＵＳＳそして／またはＣＳＳ）を介して受信し、ＣＧ＃１を構成するＳＣＨＥＤＵＬＥＤ  ＣＥＬＬ（Ｓ）（そして／またはＳＣＨ＿ＣＥＬＬ＃Ｙ）関連スケジューリング情報（即ち、（ＵＬ／ＤＬ）ＤＣＩ  ＦＯＲＭＡＴ（または、（ＵＬ／ＤＬ）ＧＲＡＮＴ））は、事前に設定された（または、シグナリングされた）ＳＣＨ＿ＣＥＬＬ＃Ｙ上のＥＰＤＣＣＨ（ＵＳＳ）を介して受信するように設定されることができる。
【０１９７】
ここで、一例として、ＳＣＨ＿ＣＥＬＬ＃ＸとＳＣＨ＿ＣＥＬＬ＃Ｙは、異なる（または、同じ）ＣＥＬＬに設定されることができる。他の例として、ＳＣＨＥＤＵＬＥＤ  ＣＥＬＬ＃Ｗ（そして／またはＳＣＨ＿ＣＥＬＬ＃Ａ）関連スケジューリング情報（即ち、（ＵＬ／ＤＬ）ＤＣＩ  ＦＯＲＭＡＴ（または、（ＵＬ／ＤＬ）ＧＲＡＮＴ））は、事前に設定された（または、シグナリングされた）ＳＣＨ＿ＣＥＬＬ＃Ａ上のＰＤＣＣＨ（ＵＳＳそして／またはＣＳＳ）を介して受信し、ＳＣＨＥＤＵＬＥＤ  ＣＥＬＬ＃Ｑ（そして／またはＳＣＨ＿ＣＥＬＬ＃Ｂ）関連スケジューリング情報（即ち、（ＵＬ／ＤＬ）ＤＣＩ  ＦＯＲＭＡＴ（または、（ＵＬ／ＤＬ）ＧＲＡＮＴ））は、事前に設定された（または、シグナリングされた）ＳＣＨ＿ＣＥＬＬ＃Ｂ上のＥＰＤＣＣＨ（ＵＳＳ）を介して受信するように設定されることができる。ここで、一例として、ＳＣＨＥＤＵＬＥＤ  ＣＥＬＬ＃ＷとＳＣＨＥＤＵＬＥＤ  ＣＥＬＬ＃Ｑは、同じ（または、異なる）ＣＧに属することができる。また、一例として、ＳＣＨ＿ＣＥＬＬ＃ＡとＳＣＨ＿ＣＥＬＬ＃Ｂは、同じ（または、異なる）ＣＥＬＬに設定されることができる。他の例として、事前に定義された（または、シグナリングされた）ＣＥＬＬが属するＣＧを構成するＳＣＨＥＤＵＬＥＤ  ＣＥＬＬ（Ｓ）（そして／またはＳＣＨ＿ＣＥＬＬ＃Ｎ）関連スケジューリング情報（即ち、（ＵＬ／ＤＬ）ＤＣＩ  ＦＯＲＭＡＴ（または、（ＵＬ／ＤＬ）ＧＲＡＮＴ））（または、事前に定義された（または、シグナリングされた）ＳＣＨＥＤＵＬＥＤ  ＣＥＬＬ（そして／またはＳＣＨ＿ＣＥＬＬ＃Ｎ）関連スケジューリング情報）は、ＳＣＨ＿ＣＥＬＬ＃Ｎ上のＰＤＣＣＨ（ＵＳＳそして／またはＣＳＳ）（または、ＥＰＤＣＣＨ（ＵＳＳ）またはＥＰＤＣＣＨ  ＳＥＴ＃０（ＵＳＳ）またはＥＰＤＣＣＨ  ＳＥＴ＃１（ＵＳＳ））を介して受信するように設定されることができる。ここで、一例として、事前に定義された（または、シグナリングされた）ＣＥＬＬは、ＰＣＥＬＬに設定されることができる。
【０１９８】
前記［提案方法＃５］の一部規則適用を介して、一例として、ＳＣＨ＿ＣＥＬＬの特定制御チャネル（そして／またはＳＳ）上に、該当ＳＣＨ＿ＣＥＬＬと連動されたＳＣＨＥＤＵＬＥＤ  ＣＥＬＬ（Ｓ）（そして／またはＳＣＨ＿ＣＥＬ）関連全てのスケジューリング情報送信が過度に集中することを緩和させることができる。
【０１９９】
また、一例として、［提案方法＃５］が適用され、特定ＳＣＨＥＤＵＬＥＤ  ＣＥＬＬ（そして／またはＳＣＨ＿ＣＥＬ）関連ＳＳが事前に定義された（または、シグナリングされた）ＳＣＨ＿ＣＥＬ上で構成／探索される場合、前記説明した一部（または、全ての）提案方法（例えば、［提案方法＃１］、［提案方法＃２］、［提案方法＃３］、［提案方法＃４］）が共に適用されることができる。他の例として、前記［提案方法＃５］は、ＵＣＥＬＬ（Ｓ）（そして／またはＬＣＥＬＬ（Ｓ））が含まれるＣＧにのみ限定的に適用されるように規則が定義（または、ＵＣＥＬＬ（Ｓ）（そして／またはＬＣＥＬＬ（Ｓ））が含まれるＣＧ上のＵＣＥＬＬ（Ｓ）（または、ＬＣＥＬＬ（Ｓ）またはＵＣＥＬＬ（Ｓ）／ＬＣＥＬＬ（Ｓ））にのみ限定的に適用されるように規則が定義またはＵＣＥＬＬ（Ｓ）（または、ＬＣＥＬＬ（Ｓ））でのみ構成されたＣＧにのみ限定的に適用されるように規則が定義）されることもできる。ここで、他の例として、前記［提案方法＃５］は、事前に設定された（または、シグナリングされた）ＳＣＨ＿ＣＥＬＬからＣＣＳされるＵＣＥＬＬ（Ｓ）（または、ＬＣＥＬＬ（Ｓ）またはＵＣＥＬＬ（Ｓ）／ＬＣＥＬＬ（Ｓ））（そして／またはＳＦＳされるＵＣＥＬＬ（Ｓ）（または、ＬＣＥＬＬ（Ｓ）またはＵＣＥＬＬ（Ｓ）／ＬＣＥＬＬ（Ｓ）））にのみ限定的に適用されるように規則が定義されることもできる。
【０２００】
［提案方法＃６］一例として、事前に定義された規則（または、シグナリング）を介して、サブフレーム別にＳＣＨ＿ＣＥＬＬ＃Ｒ上に構成されるＳＣＨＥＤＵＬＥＤ  ＣＥＬＬ（Ｓ）（そして／またはＳＣＨ＿ＣＥＬ＃Ｒ）関連検索空間（ＳＳ）またはセルグループ（ＣＧ）関連検索空間が一部（または、全て）異なるように規則が定義されることができる。
【０２０１】
ここで、一例として、該当ＣＧそして／またはＳＣＨＥＤＵＬＥＤ  ＣＥＬＬ（Ｓ）は、ＳＣＨ＿ＣＥＬＬ＃Ｒが属するＣＧそして／またはＳＣＨ＿ＣＥＬＬ＃Ｒが属するＣＧを構成するＳＣＨＥＤＵＬＥＤ  ＣＥＬＬ（Ｓ）に設定（または、限定）され、または事前に定義された（または、シグナリングされた）規則によってＳＣＨ＿ＣＥＬＬ＃Ｒが属しないＣＧそして／またはＳＣＨ＿ＣＥＬＬ＃Ｒが属しないＣＧを構成するＳＣＨＥＤＵＬＥＤ  ＣＥＬＬ（Ｓ）に設定されることができる。具体的な一例として、サブフレーム＃Ｎ（ＳＦ＃Ｎ）時点ではＳＣＨ＿ＣＥＬＬ＃Ｒ上に（同じ（または、異なる）ＣＧに属する）ＳＣＨＥＤＵＬＥＤ  ＣＥＬＬ＃Ａ（そして／またはＳＣＨ＿ＣＥＬＬ＃Ｒ）関連ＳＳが構成されることと設定され、サブフレーム＃Ｍ（ＳＦ＃Ｍ）時点ではＳＣＨ＿ＣＥＬＬ＃Ｒ上に（同じ（または、異なる）ＣＧに属する）ＳＣＨＥＤＵＬＥＤ  ＣＥＬＬ＃Ｂ（そして／またはＳＣＨ＿ＣＥＬＬ＃Ｒ）関連ＳＳが構成されることと設定されることができる。また、一例として、［提案方法＃６］が適用され、特定ＳＣＨＥＤＵＬＥＤ  ＣＥＬＬ（そして／またはＳＣＨ＿ＣＥＬ＃Ｒ）関連ＳＳが事前に定義された（または、シグナリングされた）ＳＣＨ＿ＣＥＬ＃Ｒ上で構成／探索される場合、前記説明した一部（または、全ての）提案方法（例えば、［提案方法＃１］、［提案方法＃２］、［提案方法＃３］、［提案方法＃４］、［提案方法＃５］）が共に適用されることができる。
【０２０２】
他の例として、前記［提案方法＃６］は、ＵＣＥＬＬ（Ｓ）（そして／またはＬＣＥＬＬ（Ｓ））が含まれるＣＧにのみ限定的に適用されるように規則が定義（または、ＵＣＥＬＬ（Ｓ）（そして／またはＬＣＥＬＬ（Ｓ））が含まれるＣＧ上のＵＣＥＬＬ（Ｓ）（または、ＬＣＥＬＬ（Ｓ）またはＵＣＥＬＬ（Ｓ）／ＬＣＥＬＬ（Ｓ））にのみ限定的に適用されるように規則が定義またはＵＣＥＬＬ（Ｓ）（または、ＬＣＥＬＬ（Ｓ））でのみ構成されたＣＧにのみ限定的に適用されるように規則が定義）されることができる。ここで、他の例として、前記［提案方法＃６］は、事前に設定された（または、シグナリングされた）ＳＣＨ＿ＣＥＬＬからＣＣＳされるＵＣＥＬＬ（Ｓ）（または、ＬＣＥＬＬ（Ｓ）またはＵＣＥＬＬ（Ｓ）／ＬＣＥＬＬ（Ｓ））（そして／またはＳＦＳされるＵＣＥＬＬ（Ｓ）（または、ＬＣＥＬＬ（Ｓ）またはＵＣＥＬＬ（Ｓ）／ＬＣＥＬＬ（Ｓ）））にのみ限定的に適用されるように規則が定義されることができる。
【０２０３】
［提案方法＃７］一例として、事前に定義された規則（または、シグナリング）を介して、制御チャネルを構成するシンボルの個数またはＰＲＢ−ＰＡＩＲの個数を増加させることができる。ここで、一例として、制御チャネルは、ＰＤＣＣＨまたはＥＰＤＣＣＨ（または、ＥＰＤＣＣＨ  ＳＥＴ＃０、ＥＰＤＣＨＳＥＴ＃１）と解釈されることができる。
【０２０４】
提案方法に対する具体的な説明をする前に、既存のＣＦＩ値別ＣＦＩ  ＣＯＤＥ  ＷＯＲＤ（Ｓ）マッピングに対する一例は、以下の表の通りである。
【０２０５】
【表１３】
2019165461.tif 000018
【０２０６】
ＣＦＩは、ＰＤＣＣＨを構成するＯＦＤＭシンボルの個数を知らせるものであり、ＰＣＦＩＣＨを介して送信される。ＣＦＩは、１、２、３の値を有し、システム帯域を構成するリソースブロックの個数が１０個より大きい場合には前記ＣＦＩ値が順に１、２、３ＯＦＤＭシンボルを示す。システム帯域を構成するリソースブロックの個数が１０個以下である場合には前記ＣＦＩ値が順に２、３、４ＯＦＤＭシンボルを示す。
【０２０７】
他の例として、［提案方法＃７］は、ＵＣＥＬＬ（Ｓ）（そして／またはＬＣＥＬＬ（Ｓ））が含まれるＣＧにのみ限定的に適用されるように規則が定義（または、ＵＣＥＬＬ（Ｓ）（そして／またはＬＣＥＬＬ（Ｓ））が含まれるＣＧ上のＵＣＥＬＬ（Ｓ）（または、ＬＣＥＬＬ（Ｓ）またはＵＣＥＬＬ（Ｓ）／ＬＣＥＬＬ（Ｓ））にのみ限定的に適用されるように規則が定義またはＵＣＥＬＬ（Ｓ）（または、ＬＣＥＬＬ（Ｓ））でのみ構成されたＣＧにのみ限定的に適用されるように規則が定義）されることもできる。ここで、他の例として、［提案方法＃７］は事前に設定された（または、シグナリングされた）ＳＣＨ＿ＣＥＬＬからＣＣＳされるＵＣＥＬＬ（Ｓ）（または、ＬＣＥＬＬ（Ｓ）またはＵＣＥＬＬ（Ｓ）／ＬＣＥＬＬ（Ｓ））（そして／またはＳＦＳされるＵＣＥＬＬ（Ｓ）（または、ＬＣＥＬＬ（Ｓ）またはＵＣＥＬＬ（Ｓ）／ＬＣＥＬＬ（Ｓ）））にのみ限定的に適用されるように規則が定義されることもできる。
【０２０８】
具体的な一例として、ＰＤＣＣＨの場合、ＡＤＶＡＮＣＥＤ  ＵＥ（Ａ−ＵＥ）に事前に定義されたシグナリングを介して、ＰＣＦＩＣＨを介して送信されるＣＦＩ値（または、ＣＦＩ  ＳＴＡＴＥ）別に追加的な値をリンクさせることができる。ここで、該当規則適用に対する一例として、既存ＣＦＩ値１、２、３（、４）が順に１、２、４（、５）ＯＦＤＭシンボルを指示し、または２、３、４（、５）ＯＦＤＭシンボルを指示するようにリンクさせることができる。このような場合、一例として、Ａ−ＵＥは、ＣＦＩ値に対応されるＯＦＤＭシンボル個数がＰＤＣＣＨを構成するシンボル個数と仮定することができる。
【０２０９】
以下の表は、ＣＦＩ値とＣＦＩコードワードとの間のマッピングの例を示す。
【０２１０】
【表１４】
2019165461.tif 000019
【０２１１】
以下、前記表１４を例示＃７−１という。
【０２１２】
【表１５】
2019165461.tif 000020
【０２１３】
以下、前記表１５を例示＃７−２という。
【０２１４】
Ｌ−ＵＥは既存端末を意味し、Ａ−ＵＥは改善された端末を意味する。前記表１４及び表１５に示すように、同じＣＦＩコードワードであるとしても、Ｌ−ＵＥとＡ−ＵＥを各々異なるＣＦＩ値と解釈することができる。
【０２１５】
他の例として、ＰＤＣＣＨの場合、Ａ−ＵＥにＰＣＦＩＣＨを介してＲＥＳＥＲＶＥＤ  ＳＴＡＴＥ（例えば、前記表において、４番目のＣＩＦコードワード）を知らせ、Ａ−ＵＥが、該当ＲＥＳＥＲＶＥＤ  ＳＴＡＴＥを事前に定義された（または、シグナリングされた）ＣＦＩ値（例えば、４）と解釈するように設定することもできる。ここで、一例として、該当ＲＥＳＥＲＶＥＤ  ＳＴＡＴＥ（例えば、４）を除外した残りＳＴＡＴＥ（Ｓ）（例えば、１、２、３）に対する解釈は、既存と同じように仮定されることができる。以下の表は、このような提案技法が適用された一例を示す。
【０２１６】
【表１６】
2019165461.tif 000021
【０２１７】
以下、前記表１６を例示＃７−３という。
【０２１８】
他の例として、ＰＤＣＣＨの場合、Ａ−ＵＥに事前に定義されたシグナリングを介してオフセット値（即ち、“ＯＦＦＳＥＴ”と命名）を知らせ、ＰＣＦＩＣＨを介して送信されるＣＦＩ値（例えば、’Ｌ’）の解釈時に、該当ＯＦＦＳＥＴを加えて最終ＣＦＩ値（例えば、’Ｌ＋ＯＦＦＳＥＴ’）を仮定するようにすることもできる。
【０２１９】
以下の表は、このような提案技法が適用された一例を示す。ここで、該当ＯＦＦＳＥＴ値は、（事前に定義されたシグナリングを介して）’１’に設定された例を示す。
【０２２０】
【表１７】
2019165461.tif 000022
【０２２１】
以下、前記表１７を例示＃７−４という。
【０２２２】
他の例として、前記説明した一部（または、全ての）提案規則が適用される場合、該当サブフレーム上に、既存端末（Ｌ−ＵＥ）と改善された端末（Ａ−ＵＥ）の制御（／スケジューリング）情報多重化（ＭＵＬＴＩＰＬＥＸＩＮＧ）が可能な領域（即ち、“ＬＡ＿ＲＥＧＩＯＮ”と命名）と、Ａ−ＵＥの制御（／スケジューリング）情報送信のみが可能な領域（即ち、“Ａ＿ＲＥＧＩＯＮ”と命名）が独立的に構成されるように定義されることができる。
【０２２３】
ここで、一例として、ＬＡ＿ＲＥＧＩＯＮは、既存ＣＦＩ値ベースの（ＰＤＣＣＨ）領域で構成されることができ、Ａ＿ＲＥＧＩＯＮは、追加的に設定された（または、拡張された）ＣＦＩ値ベースの（ＰＤＣＣＨ）領域から既存ＣＦＩ値ベースの（ＰＤＣＣＨ）領域を引いた残り（ＰＤＣＣＨ）領域で構成されることができる。
【０２２４】
ここで、一例として、（ＤＣＩ送信関連）（Ｅ）ＣＣＥ／（Ｅ）ＲＥＧインデクシング（そして／またはマッピング）は、ＬＡ＿ＲＥＧＩＯＮ／Ａ＿ＲＥＧＩＯＮ別に独立的に実行されることができる。具体的な一例として、前記説明した（例示＃７−２）が設定／適用された場合、もし、ＣＦＩ値が’１’を示す場合、Ｌ−ＵＥは、該当ＣＦＩ値を（同じように）’１’と解釈し（または、見なし）、Ａ−ＵＥは、該当ＣＦＩ値を（事前にシグナリングされた）’２’と解釈する（または、見なす）ようになる。このような状況下で、一例として、前記説明した提案方法が適用される場合、１番目の（ＯＦＤＭ）シンボルで構成された領域と２番目の（ＯＦＤＭ）シンボルで構成された領域は、各々、ＬＡ＿ＲＥＧＩＯＮ、Ａ＿ＲＥＧＩＯＮと解釈され（または、見なされ）、個別領域は、（ＤＣＩ送信関連）（Ｅ）ＣＣＥ／（Ｅ）ＲＥＧインデクシング（そして／またはマッピング）が独立的に実行されるようになる。
【０２２５】
他の例として、前記説明した例示＃７−２が設定／適用された場合、もし、ＣＦＩ値が’３’を示す場合、Ｌ−ＵＥは、該当ＣＦＩ値を（同じように）’３’と解釈し（または、見なし）、Ａ−ＵＥは、該当ＣＦＩ値を（事前にシグナリングされた）’４’と解釈する（または、見なす）ようになる。このような状況下で、一例として、前記説明した提案方法が適用される場合、１番目／２番目／３番目の（ＯＦＤＭ）シンボルで構成された領域と４番目の（ＯＦＤＭ）シンボルで構成された領域は、各々、ＬＡ＿ＲＥＧＩＯＮ、Ａ＿ＲＥＧＩＯＮと解釈され（または、見なされ）、個別領域は、（ＤＣＩ送信関連）（Ｅ）ＣＣＥ／（Ｅ）ＲＥＧインデクシング（そして／またはマッピング）が独立的に実行されるようになる。
【０２２６】
他の例として、Ａ−ＵＥに送信されるＣＦＩ値がＲＥＳＥＲＶＥＤ  ＳＴＡＴＥを示し、事前に定義された規則（または、シグナリング）を介して該当ＲＥＳＥＲＶＥＤ  ＳＴＡＴＥが’４’と解釈される（または、見なされる）ように設定された場合、１番目／２番目／３番目の（ＯＦＤＭ）シンボルで構成された領域と４番目の（ＯＦＤＭ）シンボルで構成された領域は、各々、ＬＡ＿ＲＥＧＩＯＮ、Ａ＿ＲＥＧＩＯＮと解釈され（または、見なされ）、個別領域は、（ＤＣＩ送信関連）（Ｅ）ＣＣＥ／（Ｅ）ＲＥＧインデクシング（そして／またはマッピング）が独立的に実行されるようになる。
【０２２７】
他の例として、Ａ−ＵＥに送信されるＣＦＩ値がＲＥＳＥＲＶＥＤ  ＳＴＡＴＥを示し、事前に定義された規則（または、シグナリング）を介して該当ＲＥＳＥＲＶＥＤ  ＳＴＡＴＥが’４’と解釈される（または、見なされる）ように設定された場合、１番目／２番目／３番目／４番目の（ＯＦＤＭ）シンボルで構成された領域は、（全ての）Ａ＿ＲＥＧＩＯＮ（または、ＬＡ＿ＲＥＧＩＯＮ）と解釈され（または、見なされ）、該当領域上で（ＤＣＩ送信関連）（Ｅ）ＣＣＥ／（Ｅ）ＲＥＧインデクシング（そして／またはマッピング）が実行されるようになる。
【０２２８】
また、一例として、（Ｌ−ＵＥ／Ａ−ＵＥ）ＰＣＦＩＣＨそして／またはＰＨＩＣＨ関連リソース構成／マッピングは、ＬＡ＿ＲＥＧＩＯＮ上で実行されるように規則が定義（または、ＰＨＩＣＨ関連リソース構成／マッピングは、ＰＢＣＨを介してシグナリングされるＰＨＩＣＨ  ＤＵＲＡＴＩＯＮ値に基づいて実行されるように規則が定義）されることができる。ここで、他の例として、Ｌ−ＵＥのＰＨＩＣＨ関連リソース構成／マッピングは、ＬＡ＿ＲＥＧＩＯＮ上で実行され、Ａ−ＵＥのＰＨＩＣＨ関連リソース構成／マッピングは、Ａ＿ＲＥＧＩＯＮ上で実行されるように規則が定義される（即ち、ＰＣＦＩＣＨ関連リソース構成／マッピングは、ＬＡ＿ＲＥＧＩＯＮ上で実行される）ことができる。他の例として、ＰＤＣＣＨ  ＣＳＳは、（例外的に）ＬＡ＿ＲＥＧＩＯＮ上で構成されるように規則が定義されることができる。他の例として、前記説明した一部（または、全ての）提案規則が適用される場合、該当サブフレーム上でＬ−ＵＥとＡ−ＵＥが仮定するようになるＣＦＩ値が異なることを考慮し、Ｌ−ＵＥに送信される（既存ＣＦＩ値（即ち、ＰＤＳＣＨ  ＳＴＡＲＴＩＮＧ  ＳＹＭＢＯＬ位置）ベースの）ＰＤＳＣＨ領域のうち、追加的に設定された（または、拡張された）ＣＦＩ値ベースの（ＰＤＣＣＨ）領域から既存ＣＦＩ値ベースの（ＰＤＣＣＨ）領域を引いた残り（ＰＤＣＣＨ）領域がパンチャリング（ＰＵＮＣＴＵＲＩＮＧ）されるように規則が定義されることができる。
【０２２９】
他の例として、前記説明した一部（または、全ての）提案規則が適用される場合、該当サブフレーム上にはＡ−ＵＥ関連スケジューリング情報送信そして／またはＰＤＳＣＨ送信のみが実行されると仮定されるように規則が定義されることができる。ここで、一例として、該当サブフレーム情報は、事前に定義されたシグナリングを介して、Ｌ−ＵＥに知らせるように規則が定義されることができる。このような規則が適用される場合、一例として、（Ｌ−ＵＥ関連制御（／スケジューリング）情報送信がないため）Ａ−ＵＥ関連（ＤＣＩ送信関連）（Ｅ）ＣＣＥ／（Ｅ）ＲＥＧインデクシング（そして／またはマッピング）そして／またはＰＣＦＩＣＨそして／またはＰＨＩＣＨ関連リソース構成／マッピングは、追加的に設定された（または、拡張された）ＣＦＩ値ベースの（ＰＤＣＣＨ）領域上で実行されるように設定されることができる。他の例として、前記説明した一部（または、全ての）提案規則は、ＳＩＢそして／またはＲＡＲそして／またはＰＢＣＨそして／またはＰＡＧＩＮＧが受信されるサブフレーム上で適用されないように規則が定義されることができる。
【０２３０】
以下の表は、一つのＥＰＤＣＣＨ  ＳＥＴが１２ＰＲＢ−ＰＡＩＲ（Ｓ）で構成される場合、アグリゲーションレベル（ＡＬ）別ブラインドデコーディング（ＢＤ）回数設定に対する例示を示す。
【０２３１】
【表１８】
2019165461.tif 000023
【０２３２】
前記表は、一つの分散ＥＰＤＣＣＨ−ＰＲＢセットに対してＣａｓｅ１及び２の各々に対して端末によりモニタリングされるＥＰＤＣＣＨ候補の個数を示す。
【０２３３】
【表１９】
2019165461.tif 000024
【０２３４】
前記表は、一つの分散ＥＰＤＣＣＨ−ＰＲＢセットに対し、Ｃａｓｅ３に対して端末によりモニタリングされるＥＰＤＣＣＨ候補の個数を示す。
【０２３５】
【表２０】
2019165461.tif 000025
【０２３６】
前記表は、一つの局部的ＥＰＤＣＣＨ−ＰＲＢセットに対し、Ｃａｓｅ１及び２の各々に対して端末によりモニタリングされるＥＰＤＣＣＨ候補の個数を示す。
【０２３７】
【表２１】
2019165461.tif 000026
【０２３８】
前記表は、一つの局部的ＥＰＤＣＣＨ−ＰＲＢセットに対してＣａｓｅ３に対して端末によりモニタリングされるＥＰＤＣＣＨ候補の個数を示す。
【０２３９】
［提案方法＃８］一例として、前記説明した一部（全ての）提案方式（例えば、［提案方法＃１〜＃７］）上で、同じ代表ＣＩＦ値（そして／または代表ＲＮＴＩ値）を有するＳＣＨＥＤＵＬＥＤ  ＣＥＬＬ（Ｓ）（そして／またはＳＣＨ＿ＣＥＬ）は、事前に定義された（または、シグナリングされた）ＳＣＨ＿ＣＥＬ上のＳＳを共有するだけでなく、ＡＬ候補構成そして／またはＡＬ別ＢＤ回数も共有すると設定されることができる。
【０２４０】
ここで、一例として、該当方式が適用される場合、同じ代表ＣＩＦ値（そして／または代表ＲＮＴＩ値）を有するＳＣＨＥＤＵＬＥＤ  ＣＥＬＬ（Ｓ）（そして／またはＳＣＨ＿ＣＥＬ）は、一つの仮想的なＣＥＬＬと解釈されることができる。
【０２４１】
一例として、同じ代表ＣＩＦ値（そして／または代表ＲＮＴＩ値）を有するＫ個のＳＣＨＥＤＵＬＥＤ  ＣＥＬＬ（Ｓ）の場合（例えば、同じ（ＤＬ／ＵＬ）ＴＭ（Ｓ）／ＵＳＳ仮定）、該当ＣＥＬＬ（Ｓ）関連スケジューリング情報（（ＵＬ／ＤＬ）ＤＣＩ  ＦＯＲＭＡＴ（または、（ＵＬ／ＤＬ）ＧＲＡＮＴ））に対するＢＤを実行する時、’｛ＡＬ、ＢＤ｝＝｛１、６＊Ｋ｝、｛２、６＊Ｋ｝、｛４、２＊Ｋ｝、｛８、２＊Ｋ｝’でない’｛ＡＬ、ＢＤ｝＝｛１、６｝、｛２、６｝、｛４、２｝、｛８、２｝’（または、’｛ＡＬ、ＢＤ｝＝｛１、３｝、｛２、３｝、｛４、１｝、｛８、１｝’（例えば、ＡＬ別ＢＤ回数が半に縮小（ＢＤ（ＮＵＭＢＥＲ）ＲＥＤＵＣＴＩＯＮ）された場合と解釈可能）または’｛ＡＬ、ＢＤ｝＝｛１、６｝、｛２、６｝、｛４、１（または、０）｝、｛８、１（または、０）｝’（例えば、相対的に高いＡＬ別ＢＤ回数が減った場合と解釈可能）または’｛ＡＬ、ＢＤ｝＝｛１、１（または、０）｝、｛２、１（または、０）｝、｛４、２｝、｛８、２｝’（例えば、相対的に低いＡＬ別ＢＤ回数が減った場合と解釈可能））を適用するようになる。
【０２４２】
他の例として、前記説明した一部（全ての）提案方式（例えば、［提案方法＃１〜＃７］）上で、同じ代表ＣＩＦ値（そして／または代表ＲＮＴＩ値）を有するＳＣＨＥＤＵＬＥＤ  ＣＥＬＬ（Ｓ）（そして／またはＳＣＨ＿ＣＥＬ）は、事前に定義された（または、シグナリングされた）ＳＣＨ＿ＣＥＬ上のＳＳのみを共有し、ＡＬ候補構成そして／またはＡＬ別ＢＤ回数は、独立的である（または、共有しない）と見なされる（または、設定される）ことができる。ここで、一例として、該当方式が適用される場合、同じ代表ＣＩＦ値（そして／または代表ＲＮＴＩ値）を有するＳＣＨＥＤＵＬＥＤ  ＣＥＬＬ（Ｓ）（そして／またはＳＣＨ＿ＣＥＬ）は、ＳＳのみを共有するだけであり、独立的なＣＥＬＬ（Ｓ）と解釈されることができる。
【０２４３】
一例として、同じ代表ＣＩＦ値（そして／または代表ＲＮＴＩ値）を有するＫ個のＳＣＨＥＤＵＬＥＤ  ＣＥＬＬ（Ｓ）の場合（例えば、同じ（ＤＬ／ＵＬ）ＴＭ（Ｓ）／ＵＳＳ仮定）、該当ＣＥＬＬ（Ｓ）関連スケジューリング情報（（ＵＬ／ＤＬ）ＤＣＩ  ＦＯＲＭＡＴ（または、（ＵＬ／ＤＬ）ＧＲＡＮＴ））に対するＢＤを実行する時、’｛ＡＬ、ＢＤ｝＝｛１、６＊Ｋ｝、｛２、６＊Ｋ｝、｛４、２＊Ｋ｝、｛８、２＊Ｋ｝’（または、’｛ＡＬ、ＢＤ｝＝｛１、３＊Ｋ｝、｛２、３＊Ｋ｝、｛４、１＊Ｋ｝、｛８、１＊Ｋ｝’（例えば、ＡＬ別ＢＤ回数が半に縮小された場合と解釈可能）または’｛ＡＬ、ＢＤ｝＝｛１、６＊Ｋ｝、｛２、６＊Ｋ｝、｛４、１＊Ｋ（または、０）｝、｛８、１＊Ｋ（または、０）｝’（例えば、相対的に高いＡＬ別ＢＤ回数が減った場合と解釈可能）または’｛ＡＬ、ＢＤ｝＝｛１、１＊Ｋ（または、０）｝、｛２、１＊Ｋ（または、０）｝、｛４、２＊Ｋ｝、｛８、２＊Ｋ｝’（例えば、相対的に低いＡＬ別ＢＤ回数が減った場合と解釈可能））を適用するようになる。
【０２４４】
他の例として、同じ代表ＣＩＦ値（そして／または代表ＲＮＴＩ値）を有するＫ個のＳＣＨＥＤＵＬＥＤ  ＣＥＬＬ（Ｓ）の場合（例えば、同じ（ＤＬ／ＵＬ）ＴＭ（Ｓ）／ＵＳＳ仮定）、該当ＣＥＬＬ（Ｓ）関連スケジューリング情報（（ＵＬ／ＤＬ）ＤＣＩ  ＦＯＲＭＡＴ（または、（ＵＬ／ＤＬ）ＧＲＡＮＴ））に対するＢＤを実行する時、’｛ＡＬ、ＢＤ｝＝｛１、１＊Ｋ｝、｛２、１＊Ｋ｝、｛４、１＊Ｋ｝、｛８、１＊Ｋ｝’を適用するように設定されることができる。ここで、一例として、該当規則は、（特定ＵＥの観点で）ＳＣＨＥＤＵＬＥＤ  ＣＥＬＬ別に相対的に少ない個数（例えば、１）のスケジューリング情報（（ＵＬ／ＤＬ）ＤＣＩ  ＦＯＲＭＡＴ（または、（ＵＬ／ＤＬ）ＧＲＡＮＴ））が送信される場合に有用である。
【０２４５】
また、一例として、このような規則は、Ｋ個のＳＣＨＥＤＵＬＥＤ  ＣＥＬＬ（Ｓ）がＵＣＥＬＬ（Ｓ）（または、ＬＣＥＬＬ（Ｓ）またはＵＣＥＬＬ（Ｓ）とＬＣＥＬＬ（Ｓ）の組み合わせ）でのみ構成された場合に限定的に適用されることができる。追加的な一例として、［提案方法＃８］は、同じ（そして／または異なる）ＣＧに属するＣＥＬＬ（Ｓ）間にのみ限定的に適用されるように規則が定義されることができる。
【０２４６】
他の例として、前記［提案方法＃８］は、ＵＣＥＬＬ（Ｓ）（そして／またはＬＣＥＬＬ（Ｓ））が含まれるＣＧにのみ限定的に適用されるように規則が定義（または、ＵＣＥＬＬ（Ｓ）（そして／またはＬＣＥＬＬ（Ｓ））が含まれるＣＧ上のＵＣＥＬＬ（Ｓ）（または、ＬＣＥＬＬ（Ｓ）またはＵＣＥＬＬ（Ｓ）／ＬＣＥＬＬ（Ｓ））にのみ限定的に適用されるように規則が定義またはＵＣＥＬＬ（Ｓ）（または、ＬＣＥＬＬ（Ｓ））でのみ構成されたＣＧにのみ限定的に適用されるように規則が定義）されることができる。
【０２４７】
他の例として、前記［提案方法＃８］は、事前に設定された（または、シグナリングされた）ＳＣＨ＿ＣＥＬＬからＣＣＳされるＵＣＥＬＬ（Ｓ）（または、ＬＣＥＬＬ（Ｓ）またはＵＣＥＬＬ（Ｓ）／ＬＣＥＬＬ（Ｓ））（そして／またはＳＦＳされるＵＣＥＬＬ（Ｓ）（または、ＬＣＥＬＬ（Ｓ）またはＵＣＥＬＬ（Ｓ）／ＬＣＥＬＬ（Ｓ）））にのみ限定的に適用されるように規則が定義されることができる。
【０２４８】
［提案方法＃９］一例として、前記説明した一部（全ての）提案方式（例えば、［提案方法＃１〜＃８］）上で、複数個のＳＣＨＥＤＵＬＥＤ  ＣＥＬＬ（Ｓ）（そして／またはＳＣＨ＿ＣＥＬ＃Ｔ）関連ＳＳが事前に設定された（または、シグナリングされた）ＳＣＨ＿ＣＥＬＬ＃Ｔ上で構成（または、共有）される時、ＣＥＬＬタイプによって、スケジューリング情報（（ＵＬ／ＤＬ）ＤＣＩ  ＦＯＲＭＡＴ（または、（ＵＬ／ＤＬ）ＧＲＡＮＴ））ＢＤのための、ＡＬ候補構成そして／またはＡＬ別ＢＤ回数が一部（または、全て）異なるように設定（または、仮定）されるように規則が定義されることができる。
【０２４９】
ここで、一例として、該当ＳＣＨＥＤＵＬＥＤ  ＣＥＬＬ（Ｓ）そして／またはＳＣＨ＿ＣＥＬ＃Ｔは、同じ（または、異なる）ＣＧに属することができる。提案方式の適用に対する具体的な一例として、ＣＧ＃ＮにＳＣＨＥＤＵＬＥＤ  ＵＣＥＬＬ＃Ｘ、ＳＣＨＥＤＵＬＥＤ  ＵＣＥＬＬ＃Ｙ、ＳＣＨＥＤＵＬＩＮＧ  ＬＣＥＬＬ＃Ｔが属し、ＳＣＨＥＤＵＬＥＤ  ＵＣＥＬＬ＃Ｘ、ＳＣＨＥＤＵＬＥＤ  ＵＣＥＬＬ＃Ｙ、ＳＣＨＥＤＵＬＩＮＧ  ＬＣＥＬＬ＃Ｔ関連ＳＳがＳＣＨＥＤＵＬＩＮＧ  ＬＣＥＬＬ＃Ｔ上で共有（／構成）される時、ＳＣＨＥＤＵＬＥＤ  ＵＣＥＬＬ＃ＸとＳＣＨＥＤＵＬＥＤ  ＵＣＥＬＬ＃Ｙのためには’｛ＡＬ、ＢＤ｝＝｛１、３｝、｛２、３｝、｛４、１｝、｛８、１｝’（例えば、ＬＣＥＬＬに比べてＡＬ別ＢＤ回数が半に縮小された場合と解釈可能）（または、’｛ＡＬ、ＢＤ｝＝｛１、６｝、｛２、６｝、｛４、０｝、｛８、０｝’（例えば、ＬＣＥＬＬに比べて相対的に高いＡＬ（Ｓ）に対するＢＤが実行されない場合と解釈可能）または’｛ＡＬ、ＢＤ｝＝｛１、０｝、｛２、０｝、｛４、２｝、｛８、２｝’（例えば、ＬＣＥＬＬに比べて相対的に低いＡＬ（Ｓ）に対するＢＤが実行されない場合と解釈可能））に設定され、ＳＣＨＥＤＵＬＩＮＧ  ＬＣＥＬＬ＃Ｔのためには’｛ＡＬ、ＢＤ｝＝｛１、６｝、｛２、６｝、｛４、２｝、｛８、２｝’に設定されることができる。
【０２５０】
ここで、一例として、該当例示では同じ代表ＣＩＦ値（そして／または代表ＲＮＴＩ値）を有するＳＣＨＥＤＵＬＥＤ  ＣＥＬＬ（Ｓ）（そして／またはＳＣＨ＿ＣＥＬ）が、事前に定義された（または、シグナリングされた）ＳＣＨ＿ＣＥＬ上のＳＳのみを共有し、ＡＬ候補構成そして／またはＡＬ別ＢＤ回数は、独立的である（または、共有しない）と見なす場合を仮定（即ち、［提案方法＃８］参照）した。
【０２５１】
他の例として、前記一部（または、全ての）提案方式（例えば、［提案方法＃１〜＃８］）が適用され、ＳＣＨＥＤＵＬＥＤ  ＵＣＥＬＬ＃Ｘ、ＳＣＨＥＤＵＬＥＤ  ＵＣＥＬＬ＃Ｙ、ＳＣＨＥＤＵＬＩＮＧ  ＬＣＥＬＬ＃Ｔ（即ち、ＣＧ＃Ｎ）関連ＳＳがＳＣＨＥＤＵＬＩＮＧ  ＬＣＥＬＬ＃Ｔ上で共有（／構成）され、該当ＣＥＬＬ（Ｓ）のスケジューリング情報（（ＵＬ／ＤＬ）ＤＣＩ  ＦＯＲＭＡＴ（または、（ＵＬ／ＤＬ）ＧＲＡＮＴ））ＢＤのためのＡＬ候補構成そして／またはＡＬ別ＢＤ回数が’｛ＡＬ、ＢＤ｝＝｛１、６｝、｛２、６｝、｛４、２｝、｛８、２｝’に共有（または、設定）される場合、ＳＣＨＥＤＵＬＥＤ  ＵＣＥＬＬ＃ＸとＳＣＨＥＤＵＬＥＤ  ＵＣＥＬＬ＃Ｙのためには’｛ＡＬ、ＢＤ｝＝｛１、２｝、｛２、２｝、｛４、１｝、｛８、１｝’（例えば、ＬＣＥＬＬに比べて全体ＢＤ回数が相対的に小さく設定された場合と解釈可能）に設定され、ＳＣＨＥＤＵＬＩＮＧ  ＬＣＥＬＬ＃Ｔのためには’｛ＡＬ、ＢＤ｝＝｛１、４｝、｛２、４｝、｛４、１｝、｛８、１｝’に設定（即ち、全体ＡＬ別ＢＤ回数は’｛ＡＬ、ＢＤ｝＝｛１、６｝、｛２、６｝、｛４、２｝、｛８、２｝’に維持）されることができる。ここで、一例として、該当例示では同じ代表ＣＩＦ値（そして／または代表ＲＮＴＩ値）を有するＳＣＨＥＤＵＬＥＤ  ＣＥＬＬ（Ｓ）（そして／またはＳＣＨ＿ＣＥＬ）が、事前に定義された（または、シグナリングされた）ＳＣＨ＿ＣＥＬ上のＳＳを共有するだけでなく、ＡＬ候補構成そして／またはＡＬ別ＢＤ回数も共有する場合を仮定（即ち、［提案方法＃８］参照）した。
【０２５２】
他の例として、前記［提案方法＃９］は、ＵＣＥＬＬ（Ｓ）（そして／またはＬＣＥＬＬ（Ｓ））が含まれるＣＧにのみ限定的に適用されるように規則が定義され、またはＵＣＥＬＬ（Ｓ）（そして／またはＬＣＥＬＬ（Ｓ））が含まれるＣＧ上のＵＣＥＬＬ（Ｓ）（または、ＬＣＥＬＬ（Ｓ）またはＵＣＥＬＬ（Ｓ）／ＬＣＥＬＬ（Ｓ））にのみ限定的に適用されるように規則が定義されることができる。または、ＵＣＥＬＬ（Ｓ）（または、ＬＣＥＬＬ（Ｓ））でのみ構成されたＣＧにのみ限定的に適用されるように規則が定義されることができる。ここで、他の例として、前記［提案方法＃９］は、事前に設定された（または、シグナリングされた）ＳＣＨ＿ＣＥＬＬから交差搬送波スケジューリング（ＣＣＳ）されるＵＣＥＬＬ（Ｓ）（または、ＬＣＥＬＬ（Ｓ）またはＵＣＥＬＬ（Ｓ）／ＬＣＥＬＬ（Ｓ））（そして／またはＳＦＳされるＵＣＥＬＬ（Ｓ）（または、ＬＣＥＬＬ（Ｓ）またはＵＣＥＬＬ（Ｓ）／ＬＣＥＬＬ（Ｓ）））にのみ限定的に適用されるように規則が定義されることができる。
【０２５３】
既存のＰＤＳＣＨ開始位置（ＳＴＡＲＴＩＮＧ  ＰＯＳＩＴＩＯＮ）（即ち、“ＰＤＳＣＨ＿ＳＰ”と命名）とＥＰＤＣＣＨ開始位置（ＳＴＡＲＴＩＮＧ  ＰＯＳＩＴＩＯＮ）（即ち、“ＥＰＤＣＣＨ＿ＳＰ”と命名）は、下記のように定義されることができる。
【０２５４】
各活性化されたサービングセルのＰＤＳＣＨの開始ＯＦＤＭシンボル（サブフレームの最初スロットに位置）は、ｌＤａｔａＳｔａｒｔというインデックスにより与えられることができる。
【０２５５】
送信モード１−９に設定された端末は、与えられた活性化されたサービングセルに対して、ＰＤＳＣＨが同じサービングセルで受信したＥＰＤＣＣＨにより割り当てられ、またはサブフレームでＥＰＤＣＣＨをモニタリングするように設定され、ＰＤＳＣＨがＰＤＣＣＨ／ＥＰＤＣＣＨにより割り当てられない場合で上位階層パラメータであるｅｐｄｃｃｈ−ＳｔａｒｔＳｙｍｂｏｌ−ｒ１１が設定されている場合、ｌＤａｔａＳｔａｒｔは、前記ｅｐｄｃｃｈ−ＳｔａｒｔＳｙｍｂｏｌ−ｒ１１により与えられる。
【０２５６】
もし、ＰＤＳＣＨ及び該当ＰＤＣＣＨ／ＥＰＤＣＣＨが互いに異なるサービングセルで受信されると、ｌＤａｔａＳｔａｒｔは、ＰＤＳＣＨが受信されるサービングセルに対する上位階層パラメータであるｐｄｓｃｈ−Ｓｔａｒｔ−ｒ１０により与えられる。
【０２５７】
その以外の場合、ｌＤａｔａＳｔａｒｔ  は、ＣＦＩ値により与えられる。（ダウンリンク）システム帯域のリソースブロックの個数が１０より大きい場合、ｌＤａｔａＳｔａｒｔ  は、ＣＩＦ値に与えられ、（ダウンリンク）システム帯域のリソースブロックの個数が１０以下の場合、ｌＤａｔａＳｔａｒｔは、ＣＦＩ値＋１に与えられる。
【０２５８】
ＥＰＤＣＣＨの開始位置は、下記のように与えられることができる。
【０２５９】
サービングセルで端末が上位階層信号により送信モード１−９によるＰＤＳＣＨデータ送信を受信するように設定されており、上位階層信号ｅｐｄｃｃｈ−ＳｔａｒｔＳｙｍｂｏｌ−ｒ１１が設定されている場合、ＥＰＤＣＣＨの開始ＯＦＤＭシンボルは、インデックスｌＥＰＤＣＣＨＳｔａｒｔにより与えられる。一方、ｌＥＰＤＣＣＨＳｔａｒｔにより与えられるＥＰＤＣＣＨの開始ＯＦＤＭシンボルは、ＣＦＩ値により決定される。
【０２６０】
一例として、前記説明した提案方法（即ち、［提案方法＃７］）が適用され、ＰＤＣＣＨを構成するシンボル個数が増加される場合、相対的に増加されたＰＤＣＣＨ領域を考慮し、ＥＰＤＣＣＨ＿ＳＰとＰＤＳＣＨ＿ＳＰが再定義される必要がある。即ち、既存ＥＰＤＣＣＨ＿ＳＰそして／またはＰＤＳＣＨ＿ＳＰは、上位階層シグナリングを介して、１（１番目のシンボル）から４（４番目のシンボル）までの値のうち一つに指定されることができる。しかし、もし、ＰＤＣＣＨ領域が１番目のシンボルから５番目のシンボルまでの領域に増加（または、指定）される場合、既存ＥＰＤＣＣＨ＿ＳＰそして／またはＰＤＳＣＨ＿ＳＰの最大値は、４（４番目のシンボル）であるため、該当増加されたＰＤＣＣＨ領域とＥＰＤＣＣＨ領域そして／またはＰＤＳＣＨ＿ＳＰ領域が重なる問題が発生できる。このような問題は、下記の提案方法の適用を介して解決されることができる。一例として、下記の提案方法は、ＥＰＤＣＣＨ＿ＳＰ関連ＥＰＤＣＣＨ−ＳＴＡＲＴＳＹＭＢＯＬ−Ｒ１１が設定された場合そして／または同じＳＥＲＶＩＮＧ  ＣＥＬＬ＃Ｘ上のＥＰＤＣＣＨ（ＣＥＬＬ＃Ｘ）からスケジューリング（ＳＥＬＦ  ＳＣＨＥＤＵＬＩＮＧ（ＳＦＳ））されるＰＤＳＣＨ（ＣＥＬＬ＃Ｘ）の場合そして／または異なるＳＥＲＶＩＮＧ  ＣＥＬＬ＃Ｙ上のＥＰＤＣＣＨ／ＰＤＣＣＨ（ＣＥＬＬ＃Ｙ）からスケジューリング（ＣＲＯＳＳ  ＣＡＲＲＩＥＲ  ＳＣＨＥＤＵＬＩＮＧ（ＣＣＳ））されるＰＤＳＣＨ（ＣＥＬＬ＃Ｘ）の場合そして／または（ＰＤＳＣＨ−ＳＴＡＲＴ−Ｒ１１が設定され、該当ＰＤＳＣＨ−ＳＴＡＲＴ−Ｒ１１が｛１、２、３、４｝のうち一つを示す時）ＴＭ  １０  ＰＤＳＣＨをスケジューリングするＥＰＤＣＣＨ  ＳＥＴの場合そして／または事前に定義されたＴＭ（例えば、ＴＭ１〜９、ＴＭ１０）が設定された場合そして／または事前に定義されたＲＮＴＩ（Ｓ）（例えば、Ｐ−ＲＮＴＩ／ＲＡ−ＲＮＴＩ／ＳＩ−ＲＮＴＩ／ＴＥＭＰＯＲＡＲＹ  Ｃ−ＲＮＴＩ、Ｃ−ＲＮＴＩ）に基づいてＰＤＣＣＨ  ＣＲＣ  ＳＣＲＡＭＢＬＩＮＧが実行される場合そして／または事前に定義されたＤＣＩ  ＦＯＲＭＡＴ（例えば、ＤＣＩ  ＦＯＲＭＡＴ  １Ｃ、ＤＣＩ  ＦＯＲＭＡＴ  １Ａ）を介してＰＤＳＣＨがスケジューリングされる場合そして／またはＭＢＳＦＮ  ＳＦの場合そして／またはＳＰＥＣＩＡＬ  ＳＦ（または、ＴＤＤ  ＳＦ＃１またはＳＦ＃６）の場合そして／または事前に定義された制御チャネル（例えば、ＰＤＣＣＨ、ＥＰＤＣＣＨ）からＰＤＳＣＨがスケジューリングされる場合そして／またはＳＦＳ（または、ＣＣＳ）に基づいてＰＤＳＣＨがスケジューリングされる場合そして／または事前に定義されたＣＥＬＬ（例えば、ＰＣＥＬＬ、ＳＣＥＬＬ、ＬＣＥＬＬ、ＵＣＥＬＬ）上で（Ｅ）ＰＤＣＣＨ／ＰＤＳＣＨが送信される場合にのみ限定的に適用されるように規則が定義されることができる。
【０２６１】
［提案方法＃１０］（特定ＳＥＲＶＩＮＧ  ＣＥＬＬ＃ＮでＥＰＤＣＣＨをモニタリングするように設定されたサブフレームをＥＰＤＣＣＨ  ＭＯＮＩＴＯＲＩＮＧ  ＳＦ＃Ｋとする時、前記ＳＦ＃Ｋで）増加されたＰＤＣＣＨ領域の最後のシンボル位置値（即ち、“ＩＮＣ＿ＰＤＣ＿ＬＳ”と命名）が事前に定義されたシグナリング（または、規則）を介して設定される（ＳＥＲＶＩＮＧ  ＣＥＬＬ＃Ｎ関連）ＥＰＤＣＣＨ＿ＳＰ値（または、事前に定義された（または、シグナリングされた）閾値（例えば、４））より大きい場合、該当ＥＰＤＣＣＨ＿ＳＰ値は、ＩＮＣ＿ＰＤＣ＿ＬＳ値に仮定（または、代替）されるように規則が定義されることができる。
【０２６２】
一例として、もし、ＳＥＲＶＩＮＧ  ＣＥＬＬ＃ＮのＥＰＤＣＣＨ  ＭＯＮＩＴＯＲＩＮＧ  ＳＦ＃ＫでＩＮＣ＿ＰＤＣ＿ＬＳ値と（ＳＥＲＶＩＮＧ  ＣＥＬＬ＃Ｎ関連）ＥＰＤＣＣＨ＿ＳＰ値が各々５、３に設定されている場合、ＥＰＤＣＣＨ＿ＳＰ値は５と仮定されることができる。
【０２６３】
他の例として、（特定ＳＥＲＶＩＮＧ  ＣＥＬＬ＃ＮのＳＦ＃Ｋ時点で）ＩＮＣ＿ＰＤＣ＿ＬＳ値が事前に定義されたシグナリング（または、規則）を介して設定される（ＳＥＲＶＩＮＧ  ＣＥＬＬ＃Ｎ関連）ＰＤＳＣＨ＿ＳＰ値（または、事前に定義された（または、シグナリングされた）閾値（例えば、４））より大きい場合、該当ＰＤＳＣＨ＿ＳＰ値は、ＩＮＣ＿ＰＤＣ＿ＬＳ値に仮定（または、代替）されるように規則が定義されることができる。
【０２６４】
ここで、一例として、ＰＤＳＣＨ＿ＳＰ値は、ＰＤＳＣＨ−ＳＴＡＲＴ−Ｒ１１またはＰＤＳＣＨ−ＳＴＡＲＴ−Ｒ１０を介して設定されることができる。具体的な一例として、もし、ＳＥＲＶＩＮＧ  ＣＥＬＬ＃ＮのＳＦ＃ＫでＩＮＣ＿ＰＤＣ＿ＬＳ値と（ＳＥＲＶＩＮＧ  ＣＥＬＬ＃Ｎ関連）ＰＤＳＣＨ＿ＳＰ値が各々５、３に設定されている場合、ＰＤＳＣＨ＿ＳＰ値は５と仮定されることができる。
【０２６５】
［提案方法＃１１］（特定ＳＥＲＶＩＮＧ  ＣＥＬＬ＃ＮのＥＰＤＣＣＨ  ＭＯＮＩＴＯＲＩＮＧ  ＳＦ＃Ｋ時点で）ＩＮＣ＿ＰＤＣ＿ＬＳ値が事前に定義されたシグナリング（または、規則）を介して設定される（ＳＥＲＶＩＮＧ  ＣＥＬＬ＃Ｎ関連）ＥＰＤＣＣＨ＿ＳＰ値（または、事前に定義された（または、シグナリングされた）閾値（例えば、４））より大きい場合そして／または（特定ＳＥＲＶＩＮＧ  ＣＥＬＬ＃ＮのＳＦ＃Ｋ時点で）ＩＮＣ＿ＰＤＣ＿ＬＳ値が事前に定義されたシグナリング（または、規則）を介して設定される（ＳＥＲＶＩＮＧ  ＣＥＬＬ＃Ｎ関連）ＰＤＳＣＨ＿ＳＰ値（または、事前に定義された（または、シグナリングされた）閾値（例えば、４））より大きい場合、該当ＥＰＤＣＣＨ＿ＳＰ値そして／またはＰＤＳＣＨ＿ＳＰ値に事前に設定された（または、シグナリングされた）オフセット値（即ち、“ＳＴ＿ＯＦＦＳＥＴ”と命名）を適用し、（ＳＥＲＶＩＮＧ  ＣＥＬＬ＃Ｎ関連）最終ＥＰＤＣＣＨ＿ＳＰ値（即ち、’（ＥＰＤＣＣＨ＿ＳＰ＋ＳＴ＿ＯＦＦＳＥＴ）’）そして／または最終ＰＤＳＣＨ＿ＳＰ値（即ち、’（ＰＤＳＣＨ＿ＳＰ＋ＳＴ＿ＯＦＦＳＥＴ）’）を計算するように規則が定義されることができる。
【０２６６】
一例として、ＳＴ＿ＯＦＦＳＥＴが２に設定された（または、シグナリングされた）場合、もし、ＳＥＲＶＩＮＧ  ＣＥＬＬ＃ＮのＥＰＤＣＣＨ  ＭＯＮＩＴＯＲＩＮＧ  ＳＦ＃ＫでＩＮＣ＿ＰＤＣ＿ＬＳ値と（ＳＥＲＶＩＮＧ  ＣＥＬＬ＃Ｎ関連）ＥＰＤＣＣＨ＿ＳＰ値が各々５、３に設定されている場合、最終ＥＰＤＣＣＨ＿ＳＰ値は’（３＋２）’の演算を介して５に計算される。また、一例として、該当ＳＴ＿ＯＦＦＳＥＴ値が（暗黙的に）ＩＮＣ＿ＰＤＣ＿ＬＳ値に仮定されるように規則が定義されることができる。ここで、一例として、このような規則が適用される場合、（ＩＮＣ＿ＰＤＣ＿ＬＳ＋１）地点が（ＳＥＲＶＩＮＧ  ＣＥＬＬ＃Ｎ）ＳＦ＃Ｋの仮想的な（ＶＩＲＴＵＡＬ）１番目のシンボルと見なされることができ、該当仮想的な１番目のシンボルを基準にして事前に定義されたシグナリング（または、規則）を介して設定される（ＳＥＲＶＩＮＧ  ＣＥＬＬ＃Ｎ関連）ＥＰＤＣＣＨ＿ＳＰ値そして／または事前に定義されたシグナリング（または、規則）を介して設定される（ＳＥＲＶＩＮＧ  ＣＥＬＬ＃Ｎ関連）ＰＤＳＣＨ＿ＳＰ値が適用され、最終ＥＰＤＣＣＨ＿ＳＰ位置そして／または最終ＰＤＳＣＨ＿ＳＰ位置が決定される。また、一例として、（特定ＳＥＲＶＩＮＧ  ＣＥＬＬ＃ＮのＥＰＤＣＣＨ  ＭＯＮＩＴＯＲＩＮＧ  ＳＦ＃Ｋ時点で）ＩＮＣ＿ＰＤＣ＿ＬＳ値が事前に定義されたシグナリング（または、規則）を介して設定される（ＳＥＲＶＩＮＧ  ＣＥＬＬ＃Ｎ関連）ＥＰＤＣＣＨ＿ＳＰ値（または、事前に定義された（または、シグナリングされた）閾値（例えば、４））より大きい場合そして／または（特定ＳＥＲＶＩＮＧ  ＣＥＬＬ＃ＮのＳＦ＃Ｋ時点で）ＩＮＣ＿ＰＤＣ＿ＬＳ値が事前に定義されたシグナリング（または、規則）を介して設定される（ＳＥＲＶＩＮＧ  ＣＥＬＬ＃Ｎ関連）ＰＤＳＣＨ＿ＳＰ値（または、事前に定義された（または、シグナリングされた）閾値（例えば、４））より大きい場合、事前に定義された（または、シグナリングされた）特定値によって最終ＥＰＤＣＣＨ＿ＳＰ位置そして／または最終ＰＤＳＣＨ＿ＳＰ位置が決定されるように規則が定義されることができる。
【０２６７】
以下、複数のセルのアグリゲーションをサポートすることができるＣＡ状況または増加する（ＤＬそして／またはＵＬ）データ需要量をサポートするために、多くの個数のＣＥＬＬ（Ｓ）がＣＡ技法により設定された状況で端末がネットワークに報告する端末能力情報（ＵＥ  ＣＡＰＡＢＩＬＩＴＹ  ＩＮＦＯＲＭＡＴＩＯＮ）に対して説明する。従来ＣＡでは最大５個のセルのアグリゲーションをサポートしたが、将来ＣＡでは５個より多いセル（例えば、最大３２個）のアグリゲーションをサポートすることができる。ここで、５個より多いセルのアグリゲーションをサポートするという意味は、ＣＡのとき、常に５個より多いセルを実際にアグリゲーションするということを意味するものではない。即ち、端末は、５個以下のセルのアグリゲーションもサポートできる。本発明は、設定されたセルの個数に関わらずに適用されることができる。
【０２６８】
端末能力情報は、ＣＡ  ＣＡＰＡＢＩＬＩＴＹ  ＩＮＦＯＲＭＡＴＩＯＮ（例えば、端末がキャリアアグリゲーションをサポートする最大ＣＣ（ＣＯＭＰＯＮＥＮＴ  ＣＡＲＲＩＥＲ）の個数及び／またはＣＣ組み合わせなどに対する情報）だけでなく、（１）ＢＤ（ＢＬＩＮＤ  ＤＥＣＯＤＩＮＧ）ＣＡＰＡＢＩＬＩＴＹ  ＩＮＦＯＲＭＡＴＩＯＮ、（２）ＢＵＦＦＥＲＩＮＧ  ＣＡＰＡＢＩＬＩＴＹ  ＩＮＦＯＲＭＡＴＩＯＮ、（３）ＲＲＭ  ＣＡＰＡＢＩＬＩＴＹ  ＩＮＦＯＲＭＡＴＩＯＮのうち少なくとも一つを含むことができる。端末は、端末能力情報を事前に定義されたシグナルを介して（独立的に）報告できる。
【０２６９】
前記ＢＤ  ＣＡＰＡＢＩＬＩＴＹ  ＩＮＦＯＲＭＡＴＩＯＮは、一つのサブフレーム（ＳＦ）でブラインドデコーディング（ＢＤ）可能な（最大）（ＵＳＳ）ＰＤＣＣＨ（または、ＥＰＤＣＣＨ）候補（ＣＡＮＤＩＤＡＴＥ）個数、一つのＳＦでのＣＣ別（最大）（ＵＳＳ）ＢＤ数を任意の特定値に仮定する時にブラインドデコーディングをサポートすることができるＣＣ個数のうち少なくとも一つを含むことができる。
【０２７０】
ここで、一例として、ＵＥ  ＣＡＴＥＧＯＲＹ別に最小限サポートすべきＢＤ回数（“ＭＩＮＩＭＵＭ  ＢＤ  ＮＵＭＢＥＲ（／ＣＡＰＡＢＩＬＩＴＹ）ＰＥＲ  ＵＥ  ＣＡＴＥＧＯＲＹ”）は、（ＵＥの）キャリアアグリゲーション能力（ＣＡ  ＣＡＰＡＢＩＬＩＴＹ）と独立的に（または、無関係に）定義（または、シグナリング）されることができる。他の例として、ＵＥ  ＣＡＴＥＧＯＲＹ別に最小限サポートすべきＢＤ回数（“ＭＩＮＩＭＵＭ  ＢＤ  ＮＵＭＢＥＲ（／ＣＡＰＡＢＩＬＩＴＹ）ＰＥＲ  ＵＥ  ＣＡＴＥＧＯＲＹ”）が（事前に定義された（または、シグナリングされた））“ＵＮＩＴ  ＢＤ（ＮＵＭＢＥＲ）”と解釈（／定義）されることができ、事前に定義された（ＵＥの）ＣＡ  ＣＡＰＡＢＩＬＩＴＹと“ＵＮＩＴ  ＢＤ（ＮＵＭＢＥＲ）”との間の関係（そして／または関数（例えば、’ＵＮＩＴ  ＢＤ（ＮＵＭＢＥＲ）Ｘ  ＣＡ  ＣＡＰＡＢＩＬＩＴＹ’）そして／または規則）によって、特定ＣＡ  ＣＡＰＡＢＩＬＩＴＹとＵＥ  ＣＡＴＥＧＯＲＹのＵＥが（一つのＳＦ（及びＵＳＳ）で）サポートできる最終（全体）ＢＤ回数が決定（／定義）されることができる。
【０２７１】
他の例として、ＵＥがサポートすべき最小限のＢＤ個数（そして／または能力）は、（ＵＥが（基地局に）報告したまたはＵＥのＵＥ  ＣＡＴＥＧＯＲＹによる）サポート可能なＰＥＡＫ  ＤＡＴＡ  ＲＡＴＥ（／ＳＯＦＴ  ＣＨＡＮＮＥＬ  ＢＩＴ（Ｓ）の全体個数）（そして／またはＢＵＦＦＥＲ  ＣＡＰＡＢＩＬＩＴＹそして／またはＣＡ  ＣＡＰＡＢＩＬＩＴＹ）に比例的に定義（／設定）されることができる。
【０２７２】
また、一例として、ＲＲＭ  ＣＡＰＡＢＩＬＩＴＹ  ＩＮＦＯＲＭＡＴＩＯＮは、同時にＲＲＭ  ＭＥＡＳＵＲＥＭＥＮＴ／ＲＥＰＯＲＴをサポート（ＭＡＮＡＧＥ）することができるＣＣ個数に定義されることができる。また、一例として、前記（一部または全ての）ＩＮＦＯＲＭＡＴＩＯＮ（Ｓ）は、ＰＥＲ  ＢＡＮＤ（または、ＰＥＲ  ＢＡＮＤ  ＰＥＲ  ＢＡＮＤＣＯＭＢＩＮＡＴＩＯＮ）単位で報告するように規則が定義されることができる。また、一例として、ＵＥが、前記（一部または全ての）ＣＡＰＡＢＩＬＩＴＹ  ＩＮＦＯＲＭＡＴＩＯＮ（Ｓ）を各々報告（または、シグナリング）するように規則が定義され、または（事前に設定された（または、シグナリングされた））ＣＡＰＡＢＩＬＩＴＹ  ＩＮＦＯＲＭＡＴＩＯＮ組み合わせを報告（または、シグナリング）するように規則が定義されることができる。
【０２７３】
図１０は、本発明の一実施例による端末の端末能力情報報告方法を例示する。
【０２７４】
図１０を参照すると、端末は、基地局に端末能力情報を報告する（Ｓ５１０）。前述したように、端末能力情報は、端末の能力を基地局に知らせるものであり、サブフレーム別（ＵＳＳ）ダウンリンク制御チャネルデコーディング能力を示すＢＤ  ＣＡＰＡＢＩＬＩＴＹ  ＩＮＦＯＲＭＡＴＩＯＮを含むことができる。端末能力情報を介して、端末は、基地局にサブフレームのＵＳＳでＰＤＣＣＨ／ＥＰＤＣＣＨのようなダウンリンク制御チャネルをブラインドデコーディングすることができる（最大）回数を知らせる。ＢＤ  ＣＡＰＡＢＩＬＩＴＹ  ＩＮＦＯＲＭＡＴＩＯＮは、あらかじめ決められた個数の候補値（例えば、３２個）のうちいずれか一つの値を含むことができる。即ち、端末は、ネットワークにサブフレーム別に（ＵＳＳ）ダウンリンク制御チャネルをデコーディングすることができる能力（ＣＡＰＡＢＩＬＩＴＹ）を報告する。例えば、端末は、サブフレームの端末特定検索空間（ＵＳＳ）でＰＤＣＣＨまたはＥＰＤＣＣＨをブラインドデコーディングすることができる（最大）回数をネットワークに報告することができる。
【０２７５】
基地局は、端末能力情報に基づいてセル別ＵＳＳの各アグリゲーションレベル（ＡＬ）に対する制御チャネル（ＥＰＤＣＣＨまたは／及びＰＤＣＣＨ）候補の個数を決定する（Ｓ５２０）。セル別ＵＳＳの各アグリゲーションレベル（ＡＬ）に対する制御チャネル（ＥＰＤＣＣＨまたは／及びＰＤＣＣＨ）候補の個数を示す情報を制御チャネル候補個数情報ということができる。
【０２７６】
基地局は、前記端末に制御チャネル候補個数情報を送信する（Ｓ５３０）。前述したように、制御チャネル候補個数情報は、セル別ＵＳＳの各アグリゲーションレベル（ＡＬ）に対する制御チャネル（ＥＰＤＣＣＨまたは／及びＰＤＣＣＨ）候補の個数を知らせることができる。例えば、制御チャネル候補個数情報は、ＲＲＣメッセージのような上位階層信号を介して提供されることができる。制御チャネル候補個数情報に対しては図１６でより詳細に説明する。一方、一例として、基地局は、端末から前述した端末能力情報を受信していない場合、前記端末が任意のＣＣをアグリゲーション／スケジューリングしても構わない能力を有していると仮定することができる。
【０２７７】
（例示＃Ａ）ＣＡ  ＣＡＰＡＢＩＬＩＴＹよりＢＤ  ＣＡＰＡＢＩＬＩＴＹが小さい端末タイプの場合、制限されたＢＤ  ＣＡＰＡＢＩＬＩＴＹで多くの数の（ＤＬ）ＣＥＬＬ（Ｓ）をサポートするために、（特定ＳＦ時点での）（Ｅ）ＰＤＣＣＨ受信のための全体ＢＤ個数の減少を考慮することができる。例えば、事前に定義された（または、シグナリングされた）ＣＥＬＬ関連（Ｅ）ＰＤＣＣＨ  ＣＡＮＤＩＤＡＴＥ個数を減少させ、または一つのＤＣＩで複数個のＣＥＬＬ（Ｓ）そして／またはＳＦ（Ｓ）に対するスケジューリングを実行することができる。
【０２７８】
（例示＃Ｂ）ＣＡ  ＣＡＰＡＢＩＬＩＴＹ対比ＬＯＷＥＲ  ＰＥＡＫ  ＲＡＴＥ（例えば、ＳＯＦＴ  ＣＨＡＮＮＥＬ  ＢＩＴ（Ｓ）の全体個数）が考慮される場合、制限されたソフトバッファ大きさで多くの数の（ＤＬ）ＣＥＬＬ（Ｓ）をサポートするために、ＰＤＳＣＨ受信関連追加的な（ＤＬ）ソフトバッファ運営（ＨＡＮＤＬＩＮＧ）が考慮されることができる。例えば、事前に設定された（または、シグナリングされた）ＣＥＬＬ（Ｓ）間にソフトバッファ共有動作をすることができる。
【０２７９】
（例示＃Ｃ）（一つのＵＥ観点で）特定ＣＥＬＬが複数個のＣＥＬＬ（Ｓ）をＣＲＯＳＳ−ＣＡＲＲＩＥＲ  ＳＣＨＥＤＵＬＩＮＧ（ＣＣＳ）するように設定（または、シグナリング）され、または複数のＵＥ（Ｓ）間にＰＣＥＬＬ／ＳＣＨＥＤＵＬＩＮＧ  ＣＥＬＬが同じように設定された（または、シグナリングされた）場合、（複数個のＣＥＬＬ（Ｓ）または複数のＵＥ（Ｓ）関連）ＳＥＡＲＣＨ  ＳＰＡＣＥ（ＳＳ）の単純な連接（ＣＯＮＣＡＴＥＮＡＴＩＯＮ）により、ＩＮＴＲＡ−ＵＥ（Ｅ）ＰＤＣＣＨ  ＢＬＯＣＫＩＮＧ  ＰＲＯＢＡＢＩＬＴＹそして／またはＩＮＴＥＲ−ＵＥ（Ｅ）ＰＤＣＣＨ  ＢＬＯＣＫＩＮＧ  ＰＲＯＢＡＢＩＬＴＹが高まることを緩和させるために、（複数個のＣＥＬＬ（Ｓ）または複数のＵＥ（Ｓ）間に）ＳＳ共有動作が考慮されることができる。
【０２８０】
以下、増加するダウンリンク／アップリンクデータ需要量をサポートするために、多くの個数のＣＥＬＬ（Ｓ）がＣＡ技法により設定された場合、ＣＩＦ（ＣＡＲＲＩＥＲ  ＩＮＤＩＣＡＴＯＲ  ＦＩＥＬＤ）を効率的に定義／運営する方法を提案する。
【０２８１】
ここで、一例として、下記提案規則は、５個より多いセル（搬送波）がアグリゲーションされるＭＡＳＳＩＶＥ  ＣＡ  ＭＯＤＥが設定された場合、ＣＥＬＬ（Ｓ）（または、ＬＣＥＬＬ（Ｓ）またはＵＣＥＬＬ（Ｓ）または（ＵＬ）ＬＣＥＬＬ（Ｓ）／ＵＣＥＬＬ（Ｓ））が事前に定義された（または、シグナリングされた）個数以上に設定された場合、ＣＯＮＦＩＧＵＲＥＤ  ＣＥＬＬ（Ｓ）（または、ＣＯＮＦＩＧＵＲＥＤ  ＬＣＥＬＬ（Ｓ）またはＣＯＮＦＩＧＵＲＥＤ  ＵＣＥＬＬ（Ｓ）またはＣＯＮＦＩＧＵＲＥＤ  ＬＣＥＬＬ（Ｓ）／ＵＣＥＬＬ（Ｓ））が事前に定義された（または、シグナリングされた）個数以上に設定された場合、ＡＣＴＩＶＡＴＥＤ  ＣＥＬＬ（Ｓ）（または、ＡＣＴＩＶＡＴＥＤ  ＬＣＥＬＬ（Ｓ）またはＡＣＴＩＶＡＴＥＤ  ＵＣＥＬＬ（Ｓ）またはＡＣＴＩＶＡＴＥＤ  ＬＣＥＬＬ（Ｓ）／ＵＣＥＬＬ（Ｓ））が事前に定義された（または、シグナリングされた）個数以上に設定された場合、一つのＳＣＨＥＤＵＬＩＮＧ  ＣＥＬＬに設定されたＳＣＨＥＤＵＬＥＤ  ＣＥＬＬ（Ｓ）個数が事前に定義された（または、シグナリングされた）閾値以上である場合、ＣＲＯＳＳ  ＣＡＲＲＩＥＲ  ＳＣＨＥＤＵＬＩＮＧ（ＣＣＳ）技法が設定された場合のように多様な状況のうち一部状況でのみ限定的に適用されるように設定されることもできる。
【０２８２】
提案方式に対する具体的な説明をする前に、既存ＣＡ状況下でＣＥＬＬ別（ＳＥＲＶＩＮＧ）ＣＥＬＬ  ＩＮＤＥＸを指定する方法、ＳＣＥＬＬ別（ＳＥＲＶＩＮＧ）ＣＥＬＬ  ＩＮＤＥＸを指定する方法に対して説明する。
【０２８３】
基地局は、端末に’ＳｅｒｖＣｅｌｌＩｎｄｅｘ’という情報要素（ｉｎｆｏｒｍａｔｉｏｎ  ｅｌｅｍｅｎｔ：ＩＥ）を提供する。’ＳｅｒｖＣｅｌｌＩｎｄｅｘ’は、プライマリセル、セカンダリセルのようなサービングセルの識別に使われる短いＩＤ（ｉｄｅｎｔｉｔｙ）であり、０−７のうちいずれか一つの整数値を有することができる。このとき、０値は、プライマリセルに適用され、余り値は、セカンダリセルに適用される。
【０２８４】
’ＳＣｅｌｌＩｎｄｅｘ’は、セカンダリセルを識別するのに使われる短いＩＤであり、１−７のうち一つの値を有することができる。
【０２８５】
従来搬送波指示フィールド（ＣＡＲＲＩＥＲ  ＩＮＤＩＣＡＴＩＯＮ  ＦＩＥＬＤ：ＣＩＦ）は、特定サービングセルに対するＳｅｒｖＣｅｌｌＩｎｄｅｘ値またはＳＣｅｌｌＩｎｄｅｘ値と同じように設定された。例えば、第１のサービングセルのＳｅｒｖＣｅｌｌＩｎｄｅｘ値が２の場合、前記第１のサービングセルを指示するＣＩＦ値も２になる。既存ＣＡでは最大５個のＣＣがアグリゲーションされてＣＩＦフィールドが３ビットで構成されたため、ＣＡで５個のＣＣがアグリゲーションされてＣＩＦ値とＳｅｒｖＣｅｌｌＩｎｄｅｘ値（または、ＳＣｅｌｌＩｎｄｅｘ値）を同じように使用しても構わない。しかし、８個より多いＣＣがアグリゲーションされることができる将来のＭＡＳＳＩＶＥ  ＣＡでは、このような従来の方法では各ＣＣを正確に指示することができないという問題がある。
【０２８６】
以下、説明の便宜のために、ＣＥＬＬ別（ＳＥＲＶＩＮＧ）ＣＥＬＬ  ＩＮＤＥＸ（ＳｅｒｖＣｅｌｌＩｎｄｅｘ）を“ＣＩＤＸ”と命名し、ＳＣＥＬＬ別（ＳＥＲＶＩＮＧ）ＣＥＬＬ  ＩＮＤＥＸ（ＳＣｅｌｌＩｎｄｅｘ）を“ＳＣＩＤＸ”という。
【０２８７】
［提案方法＃１２］ＣＩＦ  ＳＩＺＥが既存と同じ値に維持（または、固定）される場合、下記の（一部または全ての）規則に基づいて、ＣＩＦが使われることができる。ここで、一例として、既存ＣＩＦ  ＳＩＺＥは、３ＢＩＴ（Ｓ）を意味する。また、一例として、［提案方法＃１２］の適用は、一つのＳＣＨＥＤＵＬＩＮＧ  ＣＥＬＬから交差搬送波スケジューリング（ＣＣＳ）される最大ＳＣＨＥＤＵＬＥＤ  ＣＥＬＬ（Ｓ）個数が５または８（または、ＴＨ＿Ｎ）に限定（または、制限）されると解釈されることができる。
【０２８８】
また、一例として、［提案方法＃１２］が適用される場合、特定（ＳＣＨＥＤＵＬＥＤ）ＣＥＬＬ関連ＳＳ構成／位置は、該当（ＳＣＨＥＤＵＬＥＤ）ＣＥＬＬのＣＩＤＸ（または、ＳＣＩＤＸ）に基づいて決定（即ち、特定（ＳＣＨＥＤＵＬＥＤ）ＣＥＬＬのＣＩＤＸ（または、ＳＣＩＤＸ）がｎＣＩパラメータに代入）されるように規則が定義され、または該当（ＳＣＨＥＤＵＬＥＤ）ＣＥＬＬの（再）マッピングされたＣＩＦ値に基づいて決定（即ち、特定（ＳＣＨＥＤＵＬＥＤ）ＣＥＬＬの（再）マッピングされたＣＩＦ値がｎＣＩパラメータに代入）されるように規則が定義されることができる。
【０２８９】
また、一例として、［提案方法＃１２］が適用される場合、特定（ＳＣＨＥＤＵＬＥＤ）ＣＥＬＬ関連（ＭＡＣ  ＣＯＮＴＲＯＬ  ＥＬＥＭＥＮＴ上の）ＰＨＲ（ＰＯＷＥＲ  ＨＥＡＤＲＯＯＭ  ＲＥＰＯＲＴ）マッピング順序／位置（そして／または（ＰＵＣＣＨまたはＰＵＳＣＨ上の）ＨＡＲＱ−ＡＣＫ（そして／またはＣＳＩ）マッピング順序／位置）は、該当（ＳＣＨＥＤＵＬＥＤ）ＣＥＬＬのＣＩＤＸ（または、ＳＣＩＤＸ）に基づいて決定されるように規則が定義（または、該当（ＳＣＨＥＤＵＬＥＤ）ＣＥＬＬの（再）マッピングされたＣＩＦ値に基づいて決定されるように規則が定義）されることができる。
【０２９０】
（規則＃１２−Ａ）端末に設定されたＣＥＬＬ個数（以下、“ＣＯＮＦ＿Ｎ”という）が事前に定義された（または、シグナリングされた）閾値（以下、“ＴＨ＿Ｎ”という）以下である場合、特定（ＳＣＨＥＤＵＬＥＤ）ＣＥＬＬ関連ＣＩＦ値は、該当（ＳＣＨＥＤＵＬＥＤ）ＣＥＬＬ関連ＣＩＤＸ（または、ＳＣＩＤＸ）値と同じように仮定／設定されることができる。例えば、ＴＨ＿Ｎは、５または８に設定されることができる。また、一例として、このような規則は、ＣＩＦ  ＳＩＺＥとＣＤＩＸ（または、ＳＣＤＩＸ）のＳＩＺＥが同じ場合に適用できる。このとき、ＣＩＦ  ＳＩＺＥは３ＢＩＴＳであり、ＣＤＩＸ（または、ＳＣＤＩＸ）は３ＢＩＴＳに設定されることができる。
【０２９１】
（規則＃１２−Ｂ）ＣＯＮＦ＿ＮがＴＨ＿Ｎより大きい場合、下記の（一部または全ての）方法に基づいて、特定（ＳＣＨＥＤＵＬＥＤ）ＣＥＬＬ関連ＣＩＤＸ（または、ＳＣＩＤＸ）値と該当（ＳＣＨＥＤＵＬＥＤ）ＣＥＬＬ関連ＣＩＦ値との間に（再）マッピング（ＣＤＩＸ（ＳＣＩＤＸ）−ＴＯ−ＣＩＦ  ＭＡＰＰＩＮＧ）が設定／実行されることができる。
【０２９２】
一例として、３ＢＩＴ−ＣＩＦが示すことができる最大（ＳＣＨＥＤＵＬＥＤ）ＣＥＬＬ（Ｓ）個数（または、既存にＣＣＳでサポート可能な最大ＳＣＨＥＤＵＬＥＤ  ＣＥＬＬ（Ｓ）個数）よりＣＡ技法により設定されたＣＯＮＦ＿Ｎが大きい場合、このような方法が適用されることができる。それによって、既存ＣＩＦのＳＩＺＥを変更することなく、特定ＳＣＨＥＤＵＬＩＮＧ  ＣＥＬＬからＣＣＳされるＳＣＨＥＤＵＬＥＤ  ＣＥＬＬ（Ｓ）が効率的に指示されることができる。即ち、このような方法が適用される場合、特定（ＳＣＨＥＤＵＬＥＤ）ＣＥＬＬ関連ＣＩＦ値と該当（ＳＣＨＥＤＵＬＥＤ）ＣＥＬＬのＣＩＤＸ（または、ＳＣＩＤＸ）値が互いに異なる。
【０２９３】
また、一例として、（規則１２−Ｂ）は、３ＢＩＴ−ＣＩＦが示すことができる最大（ＳＣＨＥＤＵＬＥＤ）ＣＥＬＬ（Ｓ）個数（または、既存にＣＣＳでサポート可能な最大ＳＣＨＥＤＵＬＥＤ  ＣＥＬＬ（Ｓ）個数）より高いＣＩＤＸ（または、ＳＣＩＤＸ）値を有する（ＳＣＨＥＤＵＬＥＤ）ＣＥＬＬ（Ｓ）にのみ（限定的に）適用されるように規則が定義されることもできる。例えば、８以上の値をＣＩＤＸ（または、ＳＣＩＤＸ）として有するセルを指示するＣＩＦに対してのみＣＩＤＸ−ＴＯ−ＣＩＦマッピングが定義されることもできる。
【０２９４】
また、一例として、このような規則の適用は、ＣＩＦ  ＳＩＺＥとＣＤＩＸ（または、ＳＣＤＩＸ）が異なる（または、ＣＤＩＸ（または、ＳＣＤＩＸ）がＣＩＦ  ＳＩＺＥより大きい）と解釈されることができる。一例として、ＣＩＦ  ＳＩＺＥは３ＢＩＴＳであり、ＣＤＩＸ（または、ＳＣＤＩＸ）は５ＢＩＴＳである場合である。
【０２９５】
（例示＃１２−Ｂ−１）事前に定義されたシグナルを介して、特定ＳＣＨＥＤＵＬＩＮＧ  ＣＥＬＬから交差搬送波スケジューリング（ＣＣＳ）されるＳＣＨＥＤＵＬＥＤ  ＣＥＬＬ（Ｓ）がどのＣＩＦ値にマッピングまたは再マッピングされるかが設定されることができる。ここで、一例として、該当シグナルは、物理階層シグナルまたはＲＲＣメッセージのような上位階層シグナルに定義されることができる。
【０２９６】
具体的な一例として、１６個のＣＥＬＬ（Ｓ）（即ち、ＣＩＤＸ  ０のＣＥＬＬ（即ち、ＰＣＥＬＬ）、ＳＣＩＤＸ  １のＳＣＥＬＬ、ＳＣＩＤＸ  ２のＳＣＥＬＬ、ＳＣＩＤＸ  ３のＳＣＥＬＬ、ＳＣＩＤＸ  ４のＳＣＥＬＬ、ＳＣＩＤＸ  ５のＳＣＥＬＬ、ＳＣＩＤＸ  ６のＳＣＥＬＬ、ＳＣＩＤＸ  ７のＳＣＥＬＬ、ＳＣＩＤＸ  ８のＳＣＥＬＬ、ＳＣＩＤＸ  ９のＳＣＥＬＬ、ＳＣＩＤＸ  １０のＳＣＥＬＬ、ＳＣＩＤＸ  １１のＳＣＥＬＬ、ＳＣＩＤＸ  １２のＳＣＥＬＬ、ＳＣＩＤＸ  １３のＳＣＥＬＬ、ＳＣＩＤＸ  １４、ＳＣＩＤＸ  １５のＳＣＥＬＬ）がＣＡ技法により設定された場合、もし、ＣＩＤＸ  ０のＣＥＬＬ（即ち、ＳＣＨＥＤＵＬＩＮＧ  ＣＥＬＬ）からＣＣＳされるＣＥＬＬ（Ｓ）（即ち、ＳＣＨＥＤＵＬＥＤ  ＣＥＬＬ（Ｓ））がＳＣＩＤＸ  １のＳＣＥＬＬ、ＳＣＩＤＸ  ３のＳＣＥＬＬ、ＳＣＩＤＸ  １０のＳＣＥＬＬ、ＳＣＩＤＸ  １２のＳＣＥＬＬに設定される場合、（事前に定義されたシグナルを介して）（ＳＣＩＤＸ  １のＳＣＥＬＬ、ＳＣＩＤＸ  ３のＳＣＥＬＬ、）ＳＣＩＤＸ  １０のＳＣＥＬＬ、ＳＣＩＤＸ  １２のＳＣＥＬＬを各々（ＣＩＦ１、ＣＩＦ３）、ＣＩＦ２、ＣＩＦ４に（再）マッピングさせることができる。即ち、一例として、ＳＣＩＤＸ  １０のＳＣＨＥＤＵＬＥＤ  ＳＣＥＬＬ、ＳＣＩＤＸ  １２のＳＣＨＥＤＵＬＥＤ  ＳＣＥＬＬのＣＩＦ値をＣＩＦ１０、ＣＩＦ１２でないＣＩＦ２、ＣＩＦ４に（再）マッピングさせることによって、既存ＣＩＦ  ＳＩＺＥ（即ち、３ＢＩＴＳ）を変更することなく、ＣＩＤＸ  ０のＳＣＨＥＤＵＬＩＮＧ  ＣＥＬＬからＣＣＳされるＳＣＩＤＸ  １０のＳＣＨＥＤＵＬＥＤ  ＳＣＥＬＬ、ＳＣＩＤＸ  １２のＳＣＨＥＤＵＬＥＤ  ＳＣＥＬＬを効果的に指示可能である。
【０２９７】
（例示＃１２−Ｂ−２）事前に定義された規則を介して、特定ＳＣＨＥＤＵＬＩＮＧ  ＣＥＬＬからＣＣＳされるＳＣＨＥＤＵＬＥＤ  ＣＥＬＬ（Ｓ）がどのＣＩＦ値に（再）マッピングされるかが設定されることができる。具体的な一例として、一つのＳＣＨＥＤＵＬＩＮＧ  ＣＥＬＬからＣＣＳされるＳＣＨＥＤＵＬＥＤ  ＣＥＬＬ（Ｓ）は、ＣＤＩＸ（または、ＳＣＤＩＸ（または、ＣＧ  ＩＮＤＥＸ））の昇順（または、降順）にＣＩＦ値が（順次に）（再）マッピングされるように規則が定義されることができる。
【０２９８】
一例として、ＳＣＨＥＤＵＬＩＮＧ  ＣＥＬＬのＣＩＦ値は、事前に定義された（または、シグナリングされた）値（例えば、０）に設定（または、（再）マッピング）され、該当ＳＣＨＥＤＵＬＩＮＧ  ＣＥＬＬからＣＣＳされるＳＣＨＥＤＵＬＥＤ  ＣＥＬＬ（Ｓ）に対してのみＣＤＩＸ（または、ＳＣＤＩＸ（または、ＣＧ  ＩＮＤＥＸ））の昇順（または、降順）にＣＩＦ値が（順次に）（再）マッピングされるように設定されることができる。ここで、一例として、ＳＣＨＥＤＵＬＥＤ  ＣＥＬＬ（Ｓ）に（再）マッピングされるＣＩＦ値は、ＳＣＨＥＤＵＬＩＮＧ  ＣＥＬＬ関連ＣＩＦ値（例えば、０）を除外した残りＣＩＦ値を意味する。
【０２９９】
他の例として、ＳＣＨＥＤＵＬＩＮＧ  ＣＥＬＬのＣＩＦ値は、事前に定義された（または、シグナリングされた）値（例えば、０）に設定（または、（再）マッピング）され、該当ＳＣＨＥＤＵＬＩＮＧ  ＣＥＬＬからＣＣＳされるＳＣＨＥＤＵＬＥＤ  ＣＥＬＬ（Ｓ）に対してのみ’ＣＤＩＸ（または、ＳＣＤＩＸ（または、ＣＧ  ＩＮＤＥＸ））ＭＯＤＵＬＯ  ８’または’ＣＤＩＸ（または、ＳＣＤＩＸ（または、ＣＧ  ＩＮＤＥＸ））ＭＯＤＵＬＯ  ５’にＣＩＦ値が（再）マッピングされるように設定されることができる。Ｎ  ＭＯＤＵＬＯ  Ｍは、ＮをＭで割った余りを意味する。
【０３００】
他の例として、特定ＳＣＨＥＤＵＬＩＮＧ  ＣＥＬＬ＃Ｘと該当ＳＣＨＥＤＵＬＩＮＧ  ＣＥＬＬ＃ＸからＣＣＳされるＳＣＨＥＤＵＬＥＤ  ＣＥＬＬ（Ｓ）は、（全ての）ＣＤＩＸ（または、ＳＣＤＩＸ（または、ＣＧ  ＩＮＤＥＸ））の昇順（または、降順）にＣＩＦ値が（順次に）（再）マッピングされることができる。または、’ＣＤＩＸ（または、ＳＣＤＩＸ（または、ＣＧ  ＩＮＤＥＸ））ＭＯＤＵＬＯ  ８’または’ＣＤＩＸ（または、ＳＣＤＩＸ（または、ＣＧ  ＩＮＤＥＸ））ＭＯＤＵＬＯ  ５’にＣＩＦ値が（再）マッピングされることができる。
【０３０１】
このような規則の適用は、ＳＣＨＥＤＵＬＩＮＧ  ＣＥＬＬそして／またはＳＣＨＥＤＵＬＥＤ  ＣＥＬＬ（Ｓ）関連ＣＩＦ値と該当ＳＣＨＥＤＵＬＩＮＧ  ＣＥＬＬそして／またはＳＣＨＥＤＵＬＥＤ  ＣＥＬＬ（Ｓ）関連（実際）ＣＩＤＸ（または、ＳＣＩＤＸ）値が異なると解釈されることができる。
【０３０２】
（例示＃１２−Ｂ−３）事前に定義されたシグナルを介して、ＳＣＨＥＤＵＬＩＮＧ  ＣＥＬＬそして／またはＳＣＨＥＤＵＬＥＤ  ＣＥＬＬ（Ｓ）関連“ＣＤＩＸ（または、ＳＣＤＩＸ）−ＴＯ−ＣＩＦ  ＶＡＬＵＥ”（再）マッピング情報が（ＵＥに）伝達されるように規則が定義されることができる。ここで、一例として、該当情報は、ＣＣＳ関連情報を知らせる（既存）ＲＲＣ  ＳＩＧＮＡＬＩＮＧ上に共に含まれて送信されるように設定されることができる。
【０３０３】
［提案方法＃１３］ＣＩＦ  ＳＩＺＥが既存と同じ値に維持（または、固定）されない場合、下記の（一部または全ての）規則に基づいて、ＣＩＦが使われることができる。ここで、一例として、既存ＣＩＦ  ＳＩＺＥは、３ＢＩＴ（Ｓ）を意味する。また、一例として、［提案方法＃１３］が適用される場合、特定（ＳＣＨＥＤＵＬＥＤ）ＣＥＬＬ関連ＳＳ構成／位置は、該当（ＳＣＨＥＤＵＬＥＤ）ＣＥＬＬのＣＩＤＸ（または、ＳＣＩＤＸ）に基づいて決定（即ち、特定（ＳＣＨＥＤＵＬＥＤ）ＣＥＬＬのＣＩＤＸ（または、ＳＣＩＤＸ）がｎＣＩパラメータに代入）されるように規則が定義（または、該当（ＳＣＨＥＤＵＬＥＤ）ＣＥＬＬの（再）マッピングされたＣＩＦ値に基づいて決定（即ち、特定（ＳＣＨＥＤＵＬＥＤ）ＣＥＬＬの（再）マッピングされたＣＩＦ値がｎＣＩパラメータに代入）されるように規則が定義）されることができる。
【０３０４】
また、一例として、［提案方法＃１３］が適用される場合、特定（ＳＣＨＥＤＵＬＥＤ）ＣＥＬＬ関連（ＭＡＣ  ＣＯＮＴＲＯＬ  ＥＬＥＭＥＮＴ上の）ＰＨＲマッピング順序／位置（そして／または（ＰＵＣＣＨまたはＰＵＳＣＨ上の）ＨＡＲＱ−ＡＣＫ（そして／またはＣＳＩ）マッピング順序／位置）は、該当（ＳＣＨＥＤＵＬＥＤ）ＣＥＬＬのＣＩＤＸ（または、ＳＣＩＤＸ）に基づいて決定されるように規則が定義され、または該当（ＳＣＨＥＤＵＬＥＤ）ＣＥＬＬの（再）マッピングされたＣＩＦ値に基づいて決定されるように規則が定義されることができる。
【０３０５】
（規則＃１３−Ａ）端末に設定されたＣＥＬＬ個数（以下、“ＣＯＮＦ＿Ｍ”と命名）が事前に定義された（または、シグナリングされた）閾値（以下、“ＴＨ＿Ｍ”と命名）以下である場合、ＣＩＦ  ＳＩＺＥは、既存と同じ値（例えば、３ＢＩＴ（Ｓ））に仮定／設定されることができる。
【０３０６】
ここで、一例として、ＴＨ＿Ｎは、５または８に設定されることができる。また、一例として、（規則＃１３−Ａ）が適用される場合、特定（ＳＣＨＥＤＵＬＥＤ）ＣＥＬＬ関連ＣＩＦ値は、該当（ＳＣＨＥＤＵＬＥＤ）ＣＥＬＬ関連ＣＩＤＸ（または、ＳＣＩＤＸ）値と同じように仮定／設定されることができる。
【０３０７】
また、一例として、このような規則の適用は、ＣＩＦ  ＳＩＺＥとＣＤＩＸ（または、ＳＣＤＩＸ）のＳＩＺＥが同じであると解釈されることができる。ここで、一例として、ＣＩＦ  ＳＩＺＥは３ＢＩＴＳであり、ＣＤＩＸ（または、ＳＣＤＩＸ）は３ＢＩＴＳに設定されることができる。
【０３０８】
（規則＃１３−Ｂ）ＣＯＮＦ＿ＮがＴＨ＿Ｎより大きい場合、下記の（一部または全ての）方法に基づいて、ＣＩＦ  ＳＩＺＥそして／または特定（ＳＣＨＥＤＵＬＥＤ）ＣＥＬＬ関連ＣＩＤＸ（または、ＳＣＩＤＸ）値と該当（ＳＣＨＥＤＵＬＥＤ）ＣＥＬＬ関連ＣＩＦ値との間の（マッピング）関係が仮定／設定されることができる。
【０３０９】
（例示＃１３−Ｂ−１）ＣＩＦ  ＳＩＺＥは、５ＢＩＴ（Ｓ）に仮定／設定されることができる。ここで、一例として、このような方法が適用される場合、特定（ＳＣＨＥＤＵＬＥＤ）ＣＥＬＬ関連ＣＩＦ値は、該当（ＳＣＨＥＤＵＬＥＤ）ＣＥＬＬ関連ＣＩＤＸ（または、ＳＣＩＤＸ）値と同じように仮定／設定されることができる。
【０３１０】
また、一例として、このような規則の適用は、ＣＩＦ  ＳＩＺＥとＣＤＩＸ（または、ＳＣＤＩＸ）ＳＩＺＥが同じであると解釈されることができる。ここで、一例として、ＣＩＦ  ＳＩＺＥは５ＢＩＴＳであり、ＣＤＩＸ（または、ＳＣＤＩＸ）は５ＢＩＴＳに設定されることができる。
【０３１１】
（例示＃１３−Ｂ−２）ＣＩＦ  ＳＩＺＥは、ＳＣＨＥＤＵＬＩＮＧ  ＣＥＬＬ別にＭＡＸ｛ＣＥＩＬＩＮＧ（ｌｏｇ２（ＳＣＨＥＤＵＬＩＮＧ  ＣＥＬＬ別ＳＣＨＥＤＵＬＥＤ  ＣＥＬＬ（Ｓ）個数））、３｝に仮定／設定されることができる。ここで、ＭＡＸ｛Ｘ、Ｙ｝関数は、ＸとＹのうち相対的に大きいまたは同じ値を導出し、また、ＣＥＩＬＩＮＧ（Ｚ）関数は、Ｚより大きいまたは同じ最小整数値を導出する。
【０３１２】
（例示＃１３−Ｂ−２）が適用される場合、異なるＳＣＨＥＤＵＬＥＤ  ＣＥＬＬ（Ｓ）個数を有するＳＣＨＥＤＵＬＩＮＧ  ＣＥＬＬ（Ｓ）からＣＣＳされる（他の）ＳＣＨＥＤＵＬＥＤ  ＣＥＬＬ（Ｓ）は、異なるＣＩＦ  ＳＩＺＥが適用／仮定されることができる。
【０３１３】
（例示＃１３−Ｂ−２）が適用される場合、（例示＃１２−Ｂ−１）そして／または（例示＃１２−Ｂ−２）に基づいて特定（ＳＣＨＥＤＵＬＥＤ）ＣＥＬＬ関連ＣＩＤＸ（または、ＳＣＩＤＸ）値と該当（ＳＣＨＥＤＵＬＥＤ）ＣＥＬＬ関連ＣＩＦ値との間に（再）マッピングが設定／実行されることができる。ここで、一例として、このような規則の適用を介して、特定ＳＣＨＥＤＵＬＩＮＧ  ＣＥＬＬ＃Ｘの観点でＭＡＸ｛ＣＥＩＬＩＮＧ（ｌｏｇ２（ＳＣＨＥＤＵＬＩＮＧ  ＣＥＬＬ＃Ｘ別ＳＣＨＥＤＵＬＥＤ  ＣＥＬＬ（Ｓ）個数））、３｝ＢＩＴ−ＣＩＦが示すことができる最大（ＳＣＨＥＤＵＬＥＤ）ＣＥＬＬ（Ｓ）個数より多くのＳＣＨＥＤＵＬＥＤ  ＣＥＬＬ（Ｓ）がＣＣＳに設定された場合に、該当ＳＣＨＥＤＵＬＩＮＧ  ＣＥＬＬ＃ＸからＣＣＳされるＳＣＨＥＤＵＬＥＤ  ＣＥＬＬ（Ｓ）を効率的に指示することができる。このような規則の適用は、ＣＩＦ  ＳＩＺＥとＣＤＩＸ（または、ＳＣＤＩＸ）ＳＩＺＥが異なる（または、ＣＤＩＸ（または、ＳＣＤＩＸ）がＣＩＦ  ＳＩＺＥより大きい）と解釈されることができる。ここで、一例として、ＣＩＦ  ＳＩＺＥは３ＢＩＴＳであり、ＣＤＩＸ（または、ＳＣＤＩＸ）は５ＢＩＴＳに設定されることができる。
【０３１４】
（例示＃１３−Ｂ−３）ＣＩＦ  ＳＩＺＥは、ＳＣＨＥＤＵＬＩＮＧ  ＣＥＬＬ別にＣＥＩＬＩＮＧ（ｌｏｇ２（ＳＣＨＥＤＵＬＥＤ  ＣＥＬＬ（Ｓ）個数））に仮定／設定されることができる。（例示＃１３−Ｂ−３）が適用される場合、異なるＳＣＨＥＤＵＬＥＤ  ＣＥＬＬ（Ｓ）個数を有するＳＣＨＥＤＵＬＩＮＧ  ＣＥＬＬ（Ｓ）からＣＣＳされる（他の）ＳＣＨＥＤＵＬＥＤ  ＣＥＬＬ（Ｓ）は、異なるＣＩＦ  ＳＩＺＥが適用／仮定されることができる。
【０３１５】
（例示＃１３−Ｂ−３）が適用される場合、（例示＃１２−Ｂ−１）そして／または（例示＃１２−Ｂ−２）に基づいて特定（ＳＣＨＥＤＵＬＥＤ）ＣＥＬＬ関連ＣＩＤＸ（または、ＳＣＩＤＸ）値と該当（ＳＣＨＥＤＵＬＥＤ）ＣＥＬＬ関連ＣＩＦ値との間に（再）マッピングが設定／実行されることができる。ここで、一例として、このような規則の適用を介して、特定ＳＣＨＥＤＵＬＩＮＧ  ＣＥＬＬ＃Ｘの観点でＣＥＩＬＩＮＧ（ｌｏｇ２（ＳＣＨＥＤＵＬＥＤ  ＣＥＬＬ（Ｓ）個数））ＢＩＴ−ＣＩＦが示すことができる最大（ＳＣＨＥＤＵＬＥＤ）ＣＥＬＬ（Ｓ）個数より多くのＳＣＨＥＤＵＬＥＤ  ＣＥＬＬ（Ｓ）がＣＣＳに設定された場合に、該当ＳＣＨＥＤＵＬＩＮＧ  ＣＥＬＬ＃ＸからＣＣＳされるＳＣＨＥＤＵＬＥＤ  ＣＥＬＬ（Ｓ）を効率的に指示することができる。
【０３１６】
また、一例として、このような規則の適用は、ＣＩＦ  ＳＩＺＥとＣＤＩＸ（または、ＳＣＤＩＸ）ＳＩＺＥが異なること（または、ＣＤＩＸ（または、ＳＣＤＩＸ）がＣＩＦ  ＳＩＺＥより大きいこと）と解釈されることができる。ここで、一例として、ＣＩＦ  ＳＩＺＥは３ＢＩＴＳであり、ＣＤＩＸ（または、ＳＣＤＩＸ）は５ＢＩＴＳに設定されることができる。
【０３１７】
（例示＃１３−Ｂ−４）ＣＩＦ  ＳＩＺＥは、ＭＡＸ｛ＣＥＩＬＩＮＧ（ｌｏｇ２（ＣＯＮＦＩＧＵＲＥＤ  ＣＥＬＬ個数））、３｝またはＣＥＩＬＩＮＧ（ｌｏｇ２（ＣＯＮＦＩＧＵＲＥＤ  ＣＥＬＬ個数））に仮定／設定されることができる。
【０３１８】
［提案方法＃１７］ＣＩＦ  ＳＩＺＥが既存と同じ値に維持（または、固定）される場合、下記の（一部または全ての）規則に基づいて、ＣＩＦが使われることができる。既存ＣＩＦ  ＳＩＺＥは３ＢＩＴ（Ｓ）を意味する。
【０３１９】
［提案方法＃１７］の適用は、一つのＳＣＨＥＤＵＬＩＮＧ  ＣＥＬＬからＣＣＳされる最大ＳＣＨＥＤＵＬＥＤ  ＣＥＬＬ（Ｓ）個数が５または８に限定（または、制限）されると解釈されることができる。
【０３２０】
また、［提案方法＃１７］が適用される場合、特定（ＳＣＨＥＤＵＬＥＤ）ＣＥＬＬ関連ＳＳ構成／位置は、該当（ＳＣＨＥＤＵＬＥＤ）ＣＥＬＬのＣＩＤＸ（または、ＳＣＩＤＸ）に基づいて決定（即ち、特定（ＳＣＨＥＤＵＬＥＤ）ＣＥＬＬのＣＩＤＸ（または、ＳＣＩＤＸ）がｎＣＩパラメータに代入）されるように規則が定義されることができる。または、該当（ＳＣＨＥＤＵＬＥＤ）ＣＥＬＬの（再）マッピングされたＣＩＦ値に基づいて決定（即ち、特定（ＳＣＨＥＤＵＬＥＤ）ＣＥＬＬの（再）マッピングされたＣＩＦ値がｎＣＩパラメータに代入）されるように規則が定義されることができる。
【０３２１】
また、［提案方法＃１７］が適用される場合、特定（ＳＣＨＥＤＵＬＥＤ）ＣＥＬＬ関連（ＭＡＣ  ＣＯＮＴＲＯＬ  ＥＬＥＭＥＮＴ上の）ＰＨＲマッピング順序／位置（そして／または（ＰＵＣＣＨまたはＰＵＳＣＨ上の）ＨＡＲＱ−ＡＣＫ（そして／またはＣＳＩ）マッピング順序／位置）は、該当（ＳＣＨＥＤＵＬＥＤ）ＣＥＬＬのＣＩＤＸ（または、ＳＣＩＤＸ）に基づいて決定され、または該当（ＳＣＨＥＤＵＬＥＤ）ＣＥＬＬの（再）マッピングされたＣＩＦ値に基づいて決定されることができる。また、一例として、［提案方法＃１７］は、ＭＡＳＳＩＶＥ  ＣＡ  ＭＯＤＥが設定された場合そして／またはＣＥＬＬ（Ｓ）（または、ＬＣＥＬＬ（Ｓ）またはＵＣＥＬＬ（Ｓ）または（ＵＬ）ＬＣＥＬＬ（Ｓ）／ＵＣＥＬＬ（Ｓ））が事前に定義された（または、シグナリングされた）個数以上に設定された場合（または、ＣＯＮＦＩＧＵＲＥＤ  ＣＥＬＬ（Ｓ）（または、ＣＯＮＦＩＧＵＲＥＤ  ＬＣＥＬＬ（Ｓ）またはＣＯＮＦＩＧＵＲＥＤ  ＵＣＥＬＬ（Ｓ）またはＣＯＮＦＩＧＵＲＥＤ  ＬＣＥＬＬ（Ｓ）／ＵＣＥＬＬ（Ｓ））が事前に定義された（または、シグナリングされた）個数以上に設定された場合）そして／またはＡＣＴＩＶＡＴＥＤ  ＣＥＬＬ（Ｓ）（または、ＡＣＴＩＶＡＴＥＤ  ＬＣＥＬＬ（Ｓ）またはＡＣＴＩＶＡＴＥＤ  ＵＣＥＬＬ（Ｓ）またはＡＣＴＩＶＡＴＥＤ  ＬＣＥＬＬ（Ｓ）／ＵＣＥＬＬ（Ｓ））が事前に定義された（または、シグナリングされた）個数以上に設定された場合そして／または一つのＳＣＨＥＤＵＬＩＮＧ  ＣＥＬＬに設定されたＳＣＨＥＤＵＬＥＤ  ＣＥＬＬ（Ｓ）個数が事前に定義された（または、シグナリングされた）閾値以上である場合でのみ限定的に適用されるように規則が定義されることができる。
【０３２２】
ＭＡＳＳＩＶＥ  ＣＡ  ＭＯＤＥが設定されない場合そして／またはＣＥＬＬ（Ｓ）（または、ＬＣＥＬＬ（Ｓ）またはＵＣＥＬＬ（Ｓ）またはＬＣＥＬＬ（Ｓ）／ＵＣＥＬＬ（Ｓ））が事前に定義された（または、シグナリングされた）個数未満に設定された場合（または、ＣＯＮＦＩＧＵＲＥＤ  ＣＥＬＬ（Ｓ）（または、ＣＯＮＦＩＧＵＲＥＤ  ＬＣＥＬＬ（Ｓ）またはＣＯＮＦＩＧＵＲＥＤ  ＵＣＥＬＬ（Ｓ）またはＣＯＮＦＩＧＵＲＥＤ  ＬＣＥＬＬ（Ｓ）／ＵＣＥＬＬ（Ｓ））が事前に定義された（または、シグナリングされた）個数未満に設定された場合）そして／またはＡＣＴＩＶＡＴＥＤ  ＣＥＬＬ（Ｓ）（または、ＡＣＴＩＶＡＴＥＤ  ＬＣＥＬＬ（Ｓ）またはＡＣＴＩＶＡＴＥＤ  ＵＣＥＬＬ（Ｓ）またはＡＣＴＩＶＡＴＥＤ  ＬＣＥＬＬ（Ｓ）／ＵＣＥＬＬ（Ｓ））が事前に定義された（または、シグナリングされた）個数未満に設定された場合そして／または一つのＳＣＨＥＤＵＬＩＮＧ  ＣＥＬＬに設定されたＳＣＨＥＤＵＬＥＤ  ＣＥＬＬ（Ｓ）個数が事前に定義された（または、シグナリングされた）閾値未満である場合では既存（ＲＥＬ−１２  ＬＴＥ）動作が適用されることができる。
【０３２３】
（規則＃１７−Ａ）（ＣＯＮＦＩＧＵＲＥＤ  ＣＥＬＬ（Ｓ）個数（以下、“ＣＯＮＦ＿Ｎ”と命名）に構わずに）下記の（一部または全ての）方法に基づいて、特定（ＳＣＨＥＤＵＬＥＤ）ＣＥＬＬ関連ＣＩＤＸ（または、ＳＣＩＤＸ）値と該当（ＳＣＨＥＤＵＬＥＤ）ＣＥＬＬ関連ＣＩＦ値との間に（再）マッピング（ＣＤＩＸ（ＳＣＩＤＸ）−ＴＯ−ＣＩＦ  ＭＡＰＰＩＮＧ）が設定／実行されることができる。
【０３２４】
このような規則の適用は、ＣＩＦ  ＳＩＺＥとＣＤＩＸ（または、ＳＣＤＩＸ）ＳＩＺＥが異なること（または、ＣＤＩＸ（または、ＳＣＤＩＸ）ＳＩＺＥがＣＩＦ  ＳＩＺＥより大きいこと）と解釈されることができる。ここで、一例として、ＣＩＦ  ＳＩＺＥは３ＢＩＴＳであり、ＣＤＩＸ（または、ＳＣＤＩＸ）ＳＩＺＥは５ＢＩＴＳに設定されることができる。
【０３２５】
また、一例として、３ＢＩＴ−ＣＩＦが示すことができる最大（ＳＣＨＥＤＵＬＥＤ）ＣＥＬＬ（Ｓ）個数（または、既存にＣＣＳでサポート可能な最大ＳＣＨＥＤＵＬＥＤ  ＣＥＬＬ（Ｓ）個数）よりＣＡ技法により設定されたＣＯＮＦ＿Ｎが大きい場合、このような方法が適用されることによって、（既存ＣＩＦ  ＳＩＺＥを変更することなく）特定ＳＣＨＥＤＵＬＩＮＧ  ＣＥＬＬからＣＣＳされるＳＣＨＥＤＵＬＥＤ  ＣＥＬＬ（Ｓ）が効率的に指示されることができる。即ち、このような方法が適用される場合、特定（ＳＣＨＥＤＵＬＥＤ）ＣＥＬＬ関連ＣＩＦ値と該当（ＳＣＨＥＤＵＬＥＤ）ＣＥＬＬ関連（実際）ＣＩＤＸ（または、ＳＣＩＤＸ）値が異なる。また、（規則１７−Ａ）は、３ＢＩＴ−ＣＩＦが示すことができる最大（ＳＣＨＥＤＵＬＥＤ）ＣＥＬＬ（Ｓ）個数（または、既存にＣＣＳでサポート可能な最大ＳＣＨＥＤＵＬＥＤ  ＣＥＬＬ（Ｓ）個数）より高いＣＩＤＸ（または、ＳＣＩＤＸ）値を有する（ＳＣＨＥＤＵＬＥＤ）ＣＥＬＬ（Ｓ）にのみ（限定的に）適用されることもできる。
【０３２６】
（例示＃１７−Ａ−１）事前に定義されたシグナルを介して、特定ＳＣＨＥＤＵＬＩＮＧ  ＣＥＬＬから交差搬送波スケジューリング（ＣＣＳ）されるＳＣＨＥＤＵＬＥＤ  ＣＥＬＬ（Ｓ）がどのＣＩＦ値に（再）マッピングされるかが設定されることができる。ここで、一例として、該当シグナルは、物理階層シグナルまたは上位階層シグナル（例えば、ＲＲＣシグナリング）である。ここで、一例として、ＳＣＨＥＤＵＬＥＤ  ＣＥＬＬ（Ｓ）に（再）マッピングされるＣＩＦ値は、ＳＣＨＥＤＵＬＩＮＧ  ＣＥＬＬ関連（固定された）ＣＩＦ値（例えば、０）を除外した残りＣＩＦ値に設定（または、限定）されることもできる。
【０３２７】
図１１は、前述した規則＃１７−Ａまたは例示＃１７−Ａ−１による端末の動作方法を示す。
【０３２８】
図１１を参照すると、基地局は、ＳｅｒｖｉｎｇＣｅｌｌＩＤ（または、ＳＣｅｌｌＩＤ）とＣＩＦとの間のマッピングを知らせる上位階層信号を端末に送信する（Ｓ６１０）。前記マッピングに対しては図１２を参照して詳細に説明する。前記上位階層信号は、ＲＲＣメッセージである。
【０３２９】
ここで、一例として、ＳｅｒｖｉｎｇＣｅｌｌＩＤ（または、ＳＣｅｌｌＩＤ）とＣＩＦとの間のマッピングを知らせる上位階層信号は、ＳＣＨＥＤＵＬＥＤ  ＣＥＬＬ（Ｓ）のみを対象にして、ＳＣＨＥＤＵＬＩＮＧ  ＣＥＬＬのＣＩＦ値は、事前に定義された（または、固定されたまたはシグナリングされた）値（例えば、０）に設定（または、マッピング）されることもできる。即ち、セル＃Ａが他のセルのスケジューリング情報を送信するスケジューリングセルであり、セル＃Ｂ及びＣが前記セル＃Ａのスケジューリング情報によりスケジューリングを受けるセルである場合、前記ＳｅｒｖｉｎｇＣｅｌｌＩＤとＣＩＦのマッピングは、前記セル＃Ｂ及びＣのＳｅｒｖｉｎｇＣｅｌｌＩＤとＣＩＦ値との間のマッピングのみを知らせることができる。即ち、前記上位階層信号は、スケジューリングセルであるセル＃Ａに対してはＳｅｒｖｉｎｇＣｅｌｌＩＤとＣＩＦのマッピングを提供せずに、セル＃Ａに対しては常にあらかじめ決められ、または固定されたＣＩＦ値（例えば、０）が割当（マッピング）される。
【０３３０】
または、前記上位階層信号は、前記セル＃Ａに対するＳｅｒｖｉｎｇＣｅｌｌＩＤとＣＩＦ値との間のマッピングも知らせ、前記セル＃Ａに対しては常に固定された値（例えば、０）をマッピングすることもできる。
【０３３１】
前記上位階層信号は、セル＃Ａを介して提供されることもでき、セル＃Ａでない他のセルを介して提供されることもできる。
【０３３２】
基地局は、ＣＩＦを含むＤＣＩを送信する（Ｓ６２０）。
【０３３３】
端末は、前記マッピングに基づいてＣＩＦが指示するセルを識別する（Ｓ６３０）。
【０３３４】
図１１では、ＳｅｒｖｉｎｇＣｅｌｌＩＤとＣＩＦとの間のマッピングを知らせる上位階層信号に基づいてＤＣＩに含まれるＣＩＦが指示するセルを識別する例を説明したが、他の場合にも適用されることができる。
【０３３５】
端末は、搬送波インデックスフィールド（Ｃａｒｒｉｅｒ  Ｉｎｄｅｘ  Ｆｉｅｌｄ：ＣＩＦ）を含むダウンリンク制御情報（Ｄｏｗｎｌｉｎｋ  Ｃｏｎｔｒｏｌ  Ｉｎｆｏｒｍａｔｉｏｎ：ＤＣＩ）を受信し、前記ＣＩＦが指示するサービングセルで前記ＤＣＩに基づいてデータを受信または送信する。このとき、前記ＣＩＦが指示するサービングセルは、（ＳＣＨＥＤＵＬＥＤ  ＣＥＬＬ（Ｓ）の場合には）前記サービングセルのサービングセルインデックス（ＳｅｒｖｉｎｇＣｅｌｌＩＤ）と前記搬送波インデックスフィールドの値との間のマッピングを知らせる上位階層信号に基づいて識別されることができる。そして／またはＳＣＨＥＤＵＬＩＮＧ  ＣＥＬＬの場合には事前に定義された（または、固定されたまたはシグナリングされた）サービングセルのサービングセルインデックス（ＳｅｒｖｉｎｇＣｅｌｌＩＤ）と搬送波インデックスフィールドの値（例えば、０）との間の（マッピング）関係に基づいて識別される。一例として、前述したように、前記ＣＩＦは、３ビットで構成されて０〜７までの値のうち一つを有し、サービングセルインデックスは、０〜３１までの値のうち一つを有することができる。
【０３３６】
一例として、端末には、５個より多いサービングセルが割り当てられることができる。このとき、前記マッピングにより、前記サービングセルを指示する前記ＣＩＦの値は、前記サービングセルのサービングセルインデックス（ＳｅｒｖｉｎｇＣｅｌｌＩＤ）と同じでない値に設定されることができる。ここで、一例として、サービングセルのサービングセルインデックス（ＳｅｒｖｉｎｇＣｅｌｌＩＤ）と搬送波インデックスフィールドの値との間のマッピングは、（ＳＣＨＥＤＵＬＥＤ  ＣＥＬＬ（Ｓ）の場合には）サービングセルのサービングセルインデックス（ＳｅｒｖｉｎｇＣｅｌｌＩＤ）と搬送波インデックスフィールドの値との間のマッピングを知らせる上位階層信号により設定（そして／または（ＳＣＨＥＤＵＬＩＮＧ  ＣＥＬＬの場合には）事前に定義された（または、固定されたまたはシグナリングされた）サービングセルのサービングセルインデックス（ＳｅｒｖｉｎｇＣｅｌｌＩＤ）と搬送波インデックスフィールドの値（例えば、０）との間の（マッピング）関係により設定）されることができる。
【０３３７】
図１２は、ＳｅｒｖｉｎｇＣｅｌｌＩＤ（または、ＳＣｅｌｌＩＤ）とＣＩＦとの間のマッピングを例示する。
【０３３８】
図１２を参照すると、端末にサービングセルインデックス（ＳｅｒｖｉｎｇＣｅｌｌＩＤで表示）０のＣＥＬＬ（即ち、ＰＣＥＬＬ）とサービングセルインデックス１−９のＳＣＥＬＬがアグリゲーション／設定されている状況である。また、ＰＣＥＬＬ上で、ＰＣＥＬＬ（即ち、サービングセルインデックス０）（即ち、セルフスケジューリング）だけでなく、サービングセルインデックス１、３、４、５、６、８、９を有するＳＣＥＬＬが交差搬送波スケジューリングされる状況である。
【０３３９】
この場合、基地局は、上位階層信号を介してスケジューリングされるセル（ＳＣＨＥＤＵＬＥＤ  ＣＥＬＬ）のサービングセルＩＤ（ＳｅｒｖｉｎｇＣｅｌｌＩＤ）とＣＩＦとの間のマッピングを知らせる上位階層信号を送信する。例えば、ＣＩＦ値１、２、３、４、５、６、７が順にサービングセルインデックス１、３、４、５、６、８、９（例えば、ＳＣＨＥＤＵＬＥＤ  ＣＥＬＬ（Ｓ））にマッピングまたは再マッピングされることを端末に知らせることができる。ここで、一例として、ＳＣＨＥＤＵＬＩＮＧ  ＣＥＬＬであるＰＣＥＬＬ（即ち、サービングセルインデックス０）に対しては、事前に定義された（または、固定されたまたはシグナリングされた）ＣＩＦ値０がマッピングされる。即ち、ＳＣＨＥＤＵＬＩＮＧ  ＣＥＬＬであるＰＣＥＬＬに対してはＣＤＩＸ  ＴＯ  ＣＩＦマッピングが提供されずに、あらかじめ固定された／あらかじめ決められた値（例えば、０）を使用し、またはＣＤＩＸ  ＴＯ  ＣＩＦマッピングが提供される場合であるとしも一定のＣＩＦ値（例えば、０）にマッピングされることができる。
【０３４０】
例えば、端末がＣＩＦ値６を有するＤＣＩをＰＣＥＬＬで受信すると、前記ＤＣＩは、サービングセルインデックス８を有するセルに対するスケジューリング情報であることを知ることができる。したがって、３ビットのＣＩＦの大きさを変更することなく、８個より多いセルがアグリゲーションされたＣＡで交差搬送波スケジューリングを実行することができるようになる。
【０３４１】
具体的な一例として、１６個のＣＥＬＬ（Ｓ）（即ち、ＣＩＤＸ  ０のＣＥＬＬ（即ち、ＰＣＥＬＬ）、ＳＣＩＤＸ  １のＳＣＥＬＬ、ＳＣＩＤＸ  ２のＳＣＥＬＬ、ＳＣＩＤＸ  ３のＳＣＥＬＬ、ＳＣＩＤＸ  ４のＳＣＥＬＬ、ＳＣＩＤＸ  ５のＳＣＥＬＬ、ＳＣＩＤＸ  ６のＳＣＥＬＬ、ＳＣＩＤＸ  ７のＳＣＥＬＬ、ＳＣＩＤＸ  ８のＳＣＥＬＬ、ＳＣＩＤＸ  ９のＳＣＥＬＬ、ＳＣＩＤＸ  １０のＳＣＥＬＬ、ＳＣＩＤＸ  １１のＳＣＥＬＬ、ＳＣＩＤＸ  １２のＳＣＥＬＬ、ＳＣＩＤＸ  １３のＳＣＥＬＬ、ＳＣＩＤＸ  １４、ＳＣＩＤＸ  １５のＳＣＥＬＬ）がＣＡ技法により設定された場合、もし、ＣＩＤＸ  ０のＣＥＬＬ（即ち、ＳＣＨＥＤＵＬＩＮＧ  ＣＥＬＬ）からＣＣＳされるＣＥＬＬ（Ｓ）（即ち、ＳＣＨＥＤＵＬＥＤ  ＣＥＬＬ（Ｓ））がＳＣＩＤＸ  １のＳＣＥＬＬ、ＳＣＩＤＸ  ３のＳＣＥＬＬ、ＳＣＩＤＸ  １０のＳＣＥＬＬ、ＳＣＩＤＸ  １２のＳＣＥＬＬに設定される場合、（事前に定義されたシグナルを介して）（ＳＣＩＤＸ  １のＳＣＥＬＬ、ＳＣＩＤＸ  ３のＳＣＥＬＬ、）ＳＣＩＤＸ  １０のＳＣＥＬＬ、ＳＣＩＤＸ  １２のＳＣＥＬＬを各々（ＣＩＦ１、ＣＩＦ３）、ＣＩＦ２、ＣＩＦ４に（再）マッピングさせることができる。即ち、一例として、ＳＣＩＤＸ  １０のＳＣＨＥＤＵＬＥＤ  ＳＣＥＬＬ、ＳＣＩＤＸ  １２のＳＣＨＥＤＵＬＥＤ  ＳＣＥＬＬのＣＩＦ値をＣＩＦ１０、ＣＩＦ１２でないＣＩＦ２、ＣＩＦ４に（再）マッピングさせることによって、既存ＣＩＦ  ＳＩＺＥ（例えば、３ＢＩＴＳ）を変更することなく、ＣＩＤＸ  ０のＳＣＨＥＤＵＬＩＮＧ  ＣＥＬＬからＣＣＳされるＳＣＩＤＸ  １０のＳＣＨＥＤＵＬＥＤ  ＳＣＥＬＬ、ＳＣＩＤＸ  １２のＳＣＨＥＤＵＬＥＤ  ＳＣＥＬＬを効果的に指示可能である。
【０３４２】
（例示＃１７−Ａ−２）事前に定義された規則を介して、特定ＳＣＨＥＤＵＬＩＮＧ  ＣＥＬＬからＣＣＳされるＳＣＨＥＤＵＬＥＤ  ＣＥＬＬ（Ｓ）がどのＣＩＦ値に（再）マッピングされるかが設定されることができる。具体的な一例として、一つのＳＣＨＥＤＵＬＩＮＧ  ＣＥＬＬからＣＣＳされるＳＣＨＥＤＵＬＥＤ  ＣＥＬＬ（Ｓ）は、ＣＤＩＸ（または、ＳＣＤＩＸ（または、ＣＧ  ＩＮＤＥＸ））の昇順（または、降順）にＣＩＦ値が（順次に）（再）マッピング（または、（例示＃１７−Ａ−１）によってＣＩＦ値が（再）マッピング）されるように規則が定義されることができる。ここで、一例として、ＳＣＨＥＤＵＬＩＮＧ  ＣＥＬＬのＣＩＦ値は、事前に定義された（または、シグナリングされた）値（例えば、０）に設定（または、（再）マッピング）され、該当ＳＣＨＥＤＵＬＩＮＧ  ＣＥＬＬからＣＣＳされるＳＣＨＥＤＵＬＥＤ  ＣＥＬＬ（Ｓ）に対してのみＣＤＩＸ（または、ＳＣＤＩＸ（または、ＣＧ  ＩＮＤＥＸ））の昇順（または、降順）にＣＩＦ値が（順次に）（再）マッピング（または、（例示＃１７−Ａ−１）によってＣＩＦ値が（再）マッピング）されるように設定されることができる。
【０３４３】
一例として、ＳＣＨＥＤＵＬＥＤ  ＣＥＬＬ（Ｓ）に（再）マッピングされるＣＩＦ値は、ＳＣＨＥＤＵＬＩＮＧ  ＣＥＬＬ関連ＣＩＦ値（例えば、０）を除外した残りＣＩＦ値を意味する。ここで、他の例として、ＳＣＨＥＤＵＬＩＮＧ  ＣＥＬＬのＣＩＦ値は、事前に定義された（または、シグナリングされた）値（例えば、０）に設定（または、（再）マッピング）され、該当ＳＣＨＥＤＵＬＩＮＧ  ＣＥＬＬからＣＣＳされるＳＣＨＥＤＵＬＥＤ  ＣＥＬＬ（Ｓ）に対してのみ’ＣＤＩＸ（または、ＳＣＤＩＸ（または、ＣＧ  ＩＮＤＥＸ））ＭＯＤＵＬＯ  ８’または’ＣＤＩＸ（または、ＳＣＤＩＸ（または、ＣＧ  ＩＮＤＥＸ））ＭＯＤＵＬＯ  ５’にＣＩＦ値が（再）マッピングされるように設定されることができる。
【０３４４】
他の例として、特定ＳＣＨＥＤＵＬＩＮＧ  ＣＥＬＬ＃Ｘと該当ＳＣＨＥＤＵＬＩＮＧ  ＣＥＬＬ＃ＸからＣＣＳされるＳＣＨＥＤＵＬＥＤ  ＣＥＬＬ（Ｓ）は、（全ての）ＣＤＩＸ（または、ＳＣＤＩＸ（または、ＣＧ  ＩＮＤＥＸ））の昇順（または、降順）にＣＩＦ値が（順次に）（再）マッピング（または、’ＣＤＩＸ（または、ＳＣＤＩＸ（または、ＣＧ  ＩＮＤＥＸ））ＭＯＤＵＬＯ  ８’または’ＣＤＩＸ（または、ＳＣＤＩＸ（または、ＣＧ  ＩＮＤＥＸ））ＭＯＤＵＬＯ  ５’にＣＩＦ値が（再）マッピングまたは（例示＃１７−Ａ−１）によってＣＩＦ値が（再）マッピング）されるように規則が定義されることができる。
【０３４５】
このような規則の適用は、ＳＣＨＥＤＵＬＩＮＧ  ＣＥＬＬそして／またはＳＣＨＥＤＵＬＥＤ  ＣＥＬＬ（Ｓ）関連ＣＩＦ値と該当ＳＣＨＥＤＵＬＩＮＧ  ＣＥＬＬそして／またはＳＣＨＥＤＵＬＥＤ  ＣＥＬＬ（Ｓ）関連（実際）ＣＩＤＸ（または、ＳＣＩＤＸ）値が異なると解釈されることができる。
【０３４６】
（例示＃１７−Ａ−３）あらかじめ定義されたシグナル（例えば、ＲＲＣシグナル）を介して、ＳＣＨＥＤＵＬＩＮＧ  ＣＥＬＬそして／またはＳＣＨＥＤＵＬＥＤ  ＣＥＬＬ（Ｓ）関連“ＣＤＩＸ（または、ＳＣＤＩＸ）−ＴＯ−ＣＩＦ  ＶＡＬＵＥ”（再）マッピング情報が端末に伝達されることができる。一例として、該当情報は、ＣＣＳ関連情報を知らせる（既存）ＲＲＣ  ＳＩＧＮＡＬＩＮＧ上に共に含まれて送信されることができる。
【０３４７】
［提案方法＃１８］ＰＵＣＣＨ送信が設定された（または、許容された）特定ＣＥＬＬ（以下、“ＣＥＬＬ＿ＰＵＣＣＨ”と命名）と連動された（ＣＥＬＬ＿ＰＵＣＣＨを含む（または、含まない））ＣＥＬＬ（Ｓ）アグリゲーション（ＣＧ）を“ＰＵＣＣＨ＿ＣＧ”と命名する時、該当ＰＵＣＣＨ＿ＣＧを構成するＣＥＬＬ個数によって、該当ＰＵＣＣＨ＿ＣＧ構成ＣＥＬＬ（Ｓ）間に設定されるＣＣＳ関連ＣＩＦ  ＳＩＺＥが変更されることができる。
【０３４８】
ＣＩＦ  ＳＩＺＥは、“ＭＡＸ｛ＣＥＩＬＩＮＧ（ｌｏｇ２（ＰＵＣＣＨ＿ＣＧを構成する（ＣＥＬＬ＿ＰＵＣＣＨを含む（または、含まない））ＣＥＬＬ個数））、３｝”または“ＣＥＩＬＩＮＧ（ｌｏｇ２（ＰＵＣＣＨ＿ＣＧを構成する（ＣＥＬＬ＿ＰＵＣＣＨを含む（または、含まない））ＣＥＬＬ個数））”に決定されることができる。
【０３４９】
前者（ＦＯＲＭＥＲ）規則が適用された場合に対する一例として、特定ＰＵＣＣＨ＿ＣＧ＃Ｘが（ＣＥＬＬ＿ＰＵＣＣＨを含んで（または、含まないで））８個のＣＥＬＬ（Ｓ）で構成される場合、該当ＰＵＣＣＨ＿ＣＧ＃Ｘ構成ＣＥＬＬ（Ｓ）間に設定されるＣＣＳ関連ＣＩＦ  ＳＩＺＥは、３ＢＩＴ（Ｓ）に決定され、特定ＰＵＣＣＨ＿ＣＧ＃Ｙが（ＣＥＬＬ＿ＰＵＣＣＨを含んで（または、含まないで））２４個のＣＥＬＬ（Ｓ）で構成される場合、該当ＰＵＣＣＨ＿ＣＧ＃Ｙ構成ＣＥＬＬ（Ｓ）間に設定されるＣＣＳ関連ＣＩＦ  ＳＩＺＥは、５ＢＩＴ（Ｓ）に決定されることができる。
【０３５０】
他の例として、ＣＩＦ  ＳＩＺＥは、ＰＵＣＣＨ＿ＣＧを構成する（ＣＥＬＬ＿ＰＵＣＣＨを含む（または、含まない））ＣＥＬＬ個数が事前に定義された（または、シグナリングされた）閾値（例えば、５または８）以下である場合には、既存と同じ値（例えば、３ＢＩＴ（Ｓ））または“ＭＡＸ｛ＣＥＩＬＩＮＧ（ｌｏｇ２（ＰＵＣＣＨ＿ＣＧを構成するＣＥＬＬ個数））、３｝”に決定され、ＰＵＣＣＨ＿ＣＧを構成する（ＣＥＬＬ＿ＰＵＣＣＨを含む（または、含まない））ＣＥＬＬ個数が事前に定義された（または、シグナリングされた）閾値（例えば、５または８）より大きい場合には、５ＢＩＴ（Ｓ）または“ＣＥＩＬＩＮＧ（ｌｏｇ２（ＰＵＣＣＨ＿ＣＧを構成するＣＥＬＬ個数））”に決定されることができる。
【０３５１】
また、一例として、［提案方法＃１８］が適用される場合、特定（ＳＣＨＥＤＵＬＥＤ）ＣＥＬＬ関連ＣＩＤＸ（または、ＳＣＩＤＸ）値と該当（ＳＣＨＥＤＵＬＥＤ）ＣＥＬＬ関連ＣＩＦ値との間に前記説明した（再）マッピング（ＣＤＩＸ（ＳＣＩＤＸ）−ＴＯ−ＣＩＦ  ＭＡＰＰＩＮＧ）規則を追加的に適用することによって、特定（ＳＣＨＥＤＵＬＥＤ）ＣＥＬＬ関連ＳＳ構成／位置そして／または（ＭＡＣ  ＣＯＮＴＲＯＬ  ＥＬＥＭＥＮＴ上の）ＰＨＲマッピング順序／位置そして／または（ＰＵＣＣＨまたはＰＵＳＣＨ上の）ＨＡＲＱ−ＡＣＫ（そして／またはＣＳＩ）マッピング順序／位置を効率的に管理／制御することができる。
【０３５２】
他の例として、［提案方法＃１８］は、ＭＡＳＳＩＶＥ  ＣＡ  ＭＯＤＥが設定された場合そして／または（ＬＣＥＬＬ（または、ＵＣＥＬＬ）である）ＳＣＥＬＬがＣＥＬＬ＿ＰＵＣＣＨに設定された場合そして／またはＣＥＬＬ＿ＰＵＣＣＨ（または、ＰＵＣＣＨ＿ＣＧ）が事前に定義された（または、シグナリングされた）個数以上に設定された場合そして／または（ＰＵＣＣＨ＿ＣＧを構成する）ＣＥＬＬ（Ｓ）（または、ＬＣＥＬＬ（Ｓ）またはＵＣＥＬＬ（Ｓ）または（ＵＬ）ＬＣＥＬＬ（Ｓ）／ＵＣＥＬＬ（Ｓ））が事前に定義された（または、シグナリングされた）個数以上に設定された場合（または、ＣＯＮＦＩＧＵＲＥＤ  ＣＥＬＬ（Ｓ）（または、ＣＯＮＦＩＧＵＲＥＤ  ＬＣＥＬＬ（Ｓ）またはＣＯＮＦＩＧＵＲＥＤ  ＵＣＥＬＬ（Ｓ）またはＣＯＮＦＩＧＵＲＥＤ  ＬＣＥＬＬ（Ｓ）／ＵＣＥＬＬ（Ｓ））が事前に定義された（または、シグナリングされた）個数以上に設定された場合）そして／または（ＰＵＣＣＨ＿ＣＧを構成する）ＡＣＴＩＶＡＴＥＤ  ＣＥＬＬ（Ｓ）（または、ＡＣＴＩＶＡＴＥＤ  ＬＣＥＬＬ（Ｓ）またはＡＣＴＩＶＡＴＥＤ  ＵＣＥＬＬ（Ｓ）またはＡＣＴＩＶＡＴＥＤ  ＬＣＥＬＬ（Ｓ）／ＵＣＥＬＬ（Ｓ））が事前に定義された（または、シグナリングされた）個数以上に設定された場合そして／または（ＰＵＣＣＨ＿ＣＧを構成する）一つのＳＣＨＥＤＵＬＩＮＧ  ＣＥＬＬに設定されたＳＣＨＥＤＵＬＥＤ  ＣＥＬＬ（Ｓ）個数が事前に定義された（または、シグナリングされた）閾値以上である場合（そして／またはＰＵＣＣＨ＿ＣＧ構成ＣＥＬＬ（Ｓ）間にのみＣＣＳが限定的に設定される場合）でのみ限定的に適用されることもできる。
【０３５３】
ここで、一例として、ＭＡＳＳＩＶＥ  ＣＡ  ＭＯＤＥが設定されない場合そして／または（ＬＣＥＬＬ（または、ＵＣＥＬＬ）である）ＳＣＥＬＬがＣＥＬＬ＿ＰＵＣＣＨに設定されない場合そして／またはＣＥＬＬ＿ＰＵＣＣＨ（または、ＰＵＣＣＨ＿ＣＧ）が事前に定義された（または、シグナリングされた）個数未満に設定された場合そして／または（ＰＵＣＣＨ＿ＣＧを構成する）ＣＥＬＬ（Ｓ）（または、ＬＣＥＬＬ（Ｓ）またはＵＣＥＬＬ（Ｓ）または（ＵＬ）ＬＣＥＬＬ（Ｓ）／ＵＣＥＬＬ（Ｓ））が事前に定義された（または、シグナリングされた）個数未満に設定された場合（または、ＣＯＮＦＩＧＵＲＥＤ  ＣＥＬＬ（Ｓ）（または、ＣＯＮＦＩＧＵＲＥＤ  ＬＣＥＬＬ（Ｓ）またはＣＯＮＦＩＧＵＲＥＤ  ＵＣＥＬＬ（Ｓ）またはＣＯＮＦＩＧＵＲＥＤ  ＬＣＥＬＬ（Ｓ）／ＵＣＥＬＬ（Ｓ））が事前に定義された（または、シグナリングされた）個数未満に設定された場合）そして／または（ＰＵＣＣＨ＿ＣＧを構成する）ＡＣＴＩＶＡＴＥＤ  ＣＥＬＬ（Ｓ）（または、ＡＣＴＩＶＡＴＥＤ  ＬＣＥＬＬ（Ｓ）またはＡＣＴＩＶＡＴＥＤ  ＵＣＥＬＬ（Ｓ）またはＡＣＴＩＶＡＴＥＤ  ＬＣＥＬＬ（Ｓ）／ＵＣＥＬＬ（Ｓ））が事前に定義された（または、シグナリングされた）個数未満に設定された場合そして／または（ＰＵＣＣＨ＿ＣＧを構成する）一つのＳＣＨＥＤＵＬＩＮＧ  ＣＥＬＬに設定されたＳＣＨＥＤＵＬＥＤ  ＣＥＬＬ（Ｓ）個数が事前に定義された（または、シグナリングされた）閾値未満である場合（そして／または互いに異なるＰＵＣＣＨ＿ＣＧ構成ＣＥＬＬ（Ｓ）間にもＣＣＳが設定／許容される場合）では既存（ＲＥＬ−１２  ＬＴＥ）動作が適用されることもできる。
【０３５４】
以下、複数のセル（搬送波）のアグリゲーションをサポートする無線通信システムにおいて、ダウンリンク制御情報（ＤＣＩ）、ＤＣＩをモニタリング／検出する検索空間（ＳＳ）、ＳＳでのアグリゲーションレベル（ＡＬ）とブラインドデコーディング（ＢＤ）を設定する方法に対して説明する。例えば、既存ＣＡでは、最大５個のセルのアグリゲーションのみをサポートしたが、将来のＣＡでは、最大３２個のセルのアグリゲーションをサポートすることができ、このような将来のＣＡをサポートする端末に対して本発明が適用されることができる。ただし、将来のＣＡをサポートする端末であるとしても、５個以下のセルのアグリゲーションも当然サポートすることができ、この場合も本発明が適用されることができる。
【０３５５】
一例として、多くの個数のＣＥＬＬ（Ｓ）がＣＡ技法により設定された環境下で、該当ＣＥＬＬ（Ｓ）関連（ダウンリンク／アップリンク）スケジューリング情報送信のオーバーヘッド（ＯＶＥＲＨＡＥＤ）を減らすために、事前に設定された（または、シグナリングされた）複数個のＣＥＬＬ（Ｓ）関連スケジューリング情報が一つのＤＣＩ（または、制御チャネル）（以下、“ＭＵＣＣ−ＤＣＩ”と命名）を介して送信されることができる。即ち、ＭＵＣＣ−ＤＣＩは、複数のセル関連したスケジューリング情報が含まれる一つのＤＣＩを意味する。
【０３５６】
ここで、一例として、ＭＵＣＣ−ＤＣＩを介して同時にスケジューリングされるＣＥＬＬ（Ｓ）は、同じＣＥＬＬ  ＴＹＰＥそして／またはＴＭそして／またはシステム帯域幅そして／または通信タイプそして／またはＣＧのＣＥＬＬ（Ｓ）に設定（または、限定）されることができる。ここで、一例として、ＣＥＬＬ  ＴＹＰＥは、ＵＣＥＬＬ、ＬＣＥＬＬを意味し、また、通信タイプは、ＦＤＤ、ＴＤＤを意味する。以下、説明の便宜のために、（既存と同じように）一つのＣＥＬＬ関連スケジューリング情報が送信されるＤＣＩ（または、制御チャネル）を“ＳＩＣＣ−ＤＣＩ”と命名する。
【０３５７】
図１３は、ＳＩＣＣ−ＤＣＩとＭＵＣＣ−ＤＣＩを例示する。
【０３５８】
図１３を参照すると、セル＃Ｎ及びＫは、同じ端末に設定された複数のセルのうち２個のセルを示す。セル＃Ｎで送信されるＳＩＣＣ−ＤＣＩは、一つのセル、例えば、セル＃Ｎに対するスケジューリング情報を含むＤＣＩである。それに対し、セル＃Ｎで送信されるＭＵＣＣ−ＤＣＩは、複数のセル、例えば、セル＃Ｎ及びＫに対するスケジューリング情報を含むＤＣＩである。図１３では、ＳＩＣＣ−ＤＣＩ、ＭＵＣＣ−ＤＣＩが両方ともＰＤＣＣＨ領域で送信される例を説明したが、これは制限でなく、全てのＥＰＤＣＣＨ領域で送信され、またはＭＵＣＣ−ＤＣＩ（または、ＳＩＣＣ−ＤＣＩ）のみがＥＰＤＣＣＨ（または、ＰＤＣＣＨ）領域で送信されることができる。また、図１２では、ダウンリンクスケジューリングを例示したが、アップリンクスケジューリングでも同様である。
【０３５９】
以下、ＳＩＣＣ−ＤＣＩ／ＭＵＣＣ−ＤＣＩの長さ（ＳＩＺＥ）そして／またはＳＩＣＣ−ＤＣＩ／ＭＵＣＣ−ＤＣＩが送信される検索空間（ＳＳ）を決定／設定する方法に対して説明する。
【０３６０】
［提案方法＃１４］ＭＵＣＣ−ＤＣＩの対象になる（事前に設定された（または、シグナリングされた））複数個のＣＥＬＬ（Ｓ）に関連したＳＩＣＣ−ＤＣＩ  ＳＩＺＥ（Ｓ）は、該当ＭＵＣＣ−ＤＣＩ  ＳＩＺＥと同じように設定されるように（または、合わせるように）規則が定義されることができる。即ち、ＭＵＣＣ−ＤＣＩの対象になるセルがセル＃１、２、３の場合、前記セル＃１に対するＳＩＣＣ−ＤＣＩ、セル＃２に対するＳＩＣＣ−ＤＣＩ及びセル＃３に対するＳＩＣＣ−ＤＣＩは、前記ＭＵＣＣ−ＤＣＩと長さが同じように設定される。もし、ＭＵＣＣ−ＤＣＩの対象になる特定ＣＥＬＬ関連ＳＩＣＣ−ＤＣＩ  ＳＩＺＥがＭＵＣＣ−ＤＣＩ  ＳＩＺＥより小さい場合、該当ＭＵＣＣ−ＤＣＩ  ＳＩＺＥと同じようになる時まで（ＳＩＣＣ−ＤＣＩに）ゼロパディングが適用されることができる。このような方法の適用を介して、端末が一つのサブフレーム上でＭＵＣＣ−ＤＣＩとＳＩＣＣ−ＤＣＩを同時にブラインドデコーディング（ＢＤ）しなければならない時、ＢＤ回数増加を防止することができる。
【０３６１】
また、一例として、ＭＵＣＣ−ＤＣＩの対象になる（事前に設定された（または、シグナリングされた））複数個のＣＥＬＬ（Ｓ）関連ＳＩＣＣ−ＤＣＩ  ＳＩＺＥ（Ｓ）は、該当複数個のＣＥＬＬ（Ｓ）関連ＳＩＣＣ−ＤＣＩ  ＳＩＺＥ（Ｓ）のうち最も長いものまたは最も短いものに合わせるようにすることができる。または、ＭＵＣＣ−ＤＣＩの対象になる（事前に設定された（または、シグナリングされた））複数個のＣＥＬＬ（Ｓ）関連ＳＩＣＣ−ＤＣＩ  ＳＩＺＥ（Ｓ）は、事前に設定された（または、シグナリングされた）特定ＣＥＬＬ関連ＳＩＣＣ−ＤＣＩ  ＳＩＺＥまたは事前に設定された（または、シグナリングされた）ＤＣＩ  ＳＩＺＥと同じように設定されるように（または、合わせるように）規則が定義されることができる。このような方法の適用を介して、一つのサブフレーム上でＭＵＣＣ−ＤＣＩの対象になる（事前に設定された（または、シグナリングされた））複数個のＣＥＬＬ（Ｓ）関連ＳＩＣＣ−ＤＣＩ（Ｓ）のブラインドデコーディング（ＢＤ）に要求されるＢＤ回数増加を防止することができる。
【０３６２】
［提案方法＃１５］ＭＵＣＣ−ＤＣＩの対象になる（事前に設定された（または、シグナリングされた））複数個のＣＥＬＬ（Ｓ）関連ＳＩＣＣ−ＤＣＩ（Ｓ）は、前記説明した提案方法（例えば、［提案方法＃１］〜［提案方法＃１４］）によって定義された一つの共通された検索空間（または、共有された検索空間、以下、“ＳＨＡＲＥＤ  ＳＳ”と命名）上で送信されることができる。
【０３６３】
該当ＳＨＡＲＥＤ  ＳＳは、ＭＵＣＣ−ＤＣＩの対象になる（事前に設定された（または、シグナリングされた））複数個のＣＥＬＬ（Ｓ）のうち最も低い（または、高い）ＣＩＤＸ（または、ＳＣＩＤＸ）を有するＣＥＬＬまたは事前に設定された（または、シグナリングされた）特定ＣＥＬＬやＰＵＣＣＨ送信が設定されたＣＥＬＬ上に設定されることができる。
【０３６４】
または、ＳＨＡＲＥＤ  ＳＳは、前記ＳＨＡＲＥＤ  ＳＳが設定されるＣＥＬＬのＣＩＤＸ（または、ＳＣＩＤＸまたはＣＩＦ値）でない事前に設定された（または、シグナリングされた）ＣＩＦ値（そして／またはＲＮＴＩ値）に基づいて構成（前述した［提案方法＃１］参照）されることができる。
【０３６５】
また、一例として、該当ＳＨＡＲＥＤ  ＳＳで送信されるＭＵＣＣ−ＤＣＩの対象になる特定ＣＥＬＬ関連ＳＩＣＣ−ＤＣＩにはＣＩＦが新しく定義されることができ、また、該当ＣＩＦ値は、特定ＣＥＬＬのＣＩＤＸ（または、ＳＣＩＤＸ）（または、前記［提案方法＃１２］／［提案方法＃１３］によって（再）マッピングされたＣＩＦ値）に定義されることができる。
【０３６６】
また、一例として、ＭＵＣＣ−ＤＣＩの対象になる（事前に設定された（または、シグナリングされた））複数個のＣＥＬＬ（Ｓ）関連ＳＩＣＣ−ＤＣＩ（Ｓ）が送信されるＳＨＡＲＥＤ  ＳＳ上に、該当ＭＵＣＣ−ＤＣＩも（共に）送信されることができる。
【０３６７】
ここで、一例として、該当ＭＵＣＣ−ＤＣＩは、Ｃ−ＲＮＴＩに基づいてブラインドデコーディングされるＳＩＣＣ−ＤＣＩとは違って、事前に（新しく）設定され、またはシグナリングされたＲＮＴＩ値に基づいてブラインドデコーディングされ、またはＳＩＣＣ−ＤＣＩと同じようにＣ−ＲＮＴＩに基づいてブラインドデコーディングされることができる。
【０３６８】
また、一例として、ＭＵＣＣ−ＤＣＩは、ＭＵＣＣ−ＤＣＩの対象になる（事前に設定された（または、シグナリングされた））複数個のＣＥＬＬ（Ｓ）関連ＳＩＣＣ−ＤＣＩ（Ｓ）が送信されるＳＨＡＲＥＤ  ＳＳでない、事前に定義された（または、シグナリングされた）他のＣＥＬＬ上のＳＳで送信され、または該当ＳＨＡＲＥＤ  ＳＳが設定されたＣＥＬＬ上で前記ＣＥＬＬのＣＩＤＸ（または、ＳＣＩＤＸまたはＣＩＦ値）でない、事前に（新しく）設定された（または、シグナリングされた）ＣＩＦ値（そして／またはＲＮＴＩ値）に基づいて構成されたＳＳで送信されることもできる。
【０３６９】
また、一例として、ＭＵＣＣ−ＤＣＩは、ＭＵＣＣ−ＤＣＩの対象になる（事前に設定された（または、シグナリングされた））複数個のＣＥＬＬ（Ｓ）のうち最も低い（または、高い）ＣＩＤＸ（または、ＳＣＩＤＸ）を有するＣＥＬＬ上のＳＳ（または、事前に設定された（または、シグナリングされた）特定ＣＥＬＬ上のＳＳまたはＰＵＣＣＨ送信が設定されたＣＥＬＬ上のＳＳ）で送信されることができる。
【０３７０】
また、一例として、ＭＵＣＣ−ＤＣＩは、ＭＵＣＣ−ＤＣＩの対象になる（事前に設定された（または、シグナリングされた））複数個のＣＥＬＬ（Ｓ）でない事前に定義された（または、シグナリングされた）他のＣＥＬＬ上のＳＳで送信されることもできる。
【０３７１】
ここで、他の例として、ＭＵＣＣ−ＤＣＩが送信される該当他のＣＥＬＬは、ＭＵＣＣ−ＤＣＩ送信専用のＣＥＬＬ（以下、“ＣＥＬＬ＃ＭＸ”と命名）に指定（または、解釈）されることができる。また、一例として、ＣＥＬＬ＃ＭＸで送信されるＭＵＣＣ−ＤＣＩ（Ｓ）は、該当ＭＵＣＣ−ＤＣＩ（Ｓ）の対象になるセルグループ（ＣＧ）ＩＮＤＥＸ（Ｓ）に基づいて構成された（ＣＥＬＬ＃ＭＸ）ＳＳ（Ｓ）上で送信されることもできる。
【０３７２】
［提案方法＃１６］（（前述した［提案方法＃１２］〜［提案方法＃１５］によって）一つのサブフレーム上で実行される）ＭＵＣＣ−ＤＣＩ、ＳＩＣＣ−ＤＣＩブラインドデコーディング関連アグリゲーションレベル（ＡＬ）候補構成そして／またはＡＬ別ブラインドデコーディング（ＢＤ）回数が異なるように設定されることができる。
【０３７３】
前記提案方法＃１６は、一般的にＳＩＣＣ−ＤＣＩ（ＰＡＹＬＯＡＤ）ＳＩＺＥよりＭＵＣＣ−ＤＣＩ（ＰＡＹＬＯＡＤ）ＳＩＺＥが相対的に大きいということを考慮した。前記提案方法＃１６の適用を介して、ＭＵＣＣ−ＤＣＩ（ＰＡＹＬＯＡＤ）ＳＩＺＥを考慮した（適応的な）ＡＬ候補構成そして／またはＡＬ別ＢＤ回数設定が可能であり、最終的にＭＵＣＣ−ＤＣＩ送信の信頼度を高めることができる。
【０３７４】
具体的な一例として、ＳＩＣＣ−ＤＣＩ、ＭＵＣＣ−ＤＣＩブラインドデコーディング関連アグリゲーションレベル（ＡＬ）候補は、（｛ＡＬ１、ＡＬ２、ＡＬ４、ＡＬ８｝、｛ＡＬ４、ＡＬ８｝）または（｛ＡＬ１、ＡＬ２、ＡＬ４、ＡＬ８｝、｛ＡＬ２、ＡＬ４、ＡＬ８、ＡＬ１６｝）である。（｛｝、｛｝）表記において、前者の｛｝はＳＩＣＣ−ＤＣＩのＡＬ候補を示し、後者の｛｝はＭＵＣＣ−ＤＣＩのＡＬ候補を示す。これはＭＵＣＣ−ＤＣＩがＳＩＣＣ−ＤＣＩに比べて相対的に高いＡＬ候補に基づいてブラインドデコーディングが実行されると解釈することができる。または、ＳＩＣＣ−ＤＣＩ、ＭＵＣＣ−ＤＣＩブラインドデコーディング関連アグリゲーションレベル（ＡＬ）候補は、（｛ＡＬ１、ＡＬ２、ＡＬ４、ＡＬ８｝、｛ＡＬ１、ＡＬ２｝）である。これはＭＵＣＣ−ＤＣＩがＳＩＣＣ−ＤＣＩに比べて相対的に低いＡＬ候補に基づいてブラインドデコーディングが実行されると解釈することができる。
【０３７５】
他の例として、ＭＵＣＣ−ＤＣＩのブラインドデコーディングのために、（ＳＩＣＣ−ＤＣＩに比べて）事前に定義された（または、シグナリングされた）相対的に低いＡＬ（Ｓ）の（一部または全ての）ＢＤ回数を相対的に高いＡＬ（Ｓ）のＢＤ回数で再割り当てることができる。
【０３７６】
具体的な一例として、ＳＩＣＣ−ＤＣＩ関連’ＡＬ｛１、２、４、８｝’別ＢＤ回数が’ＢＤ｛６、６、２、２｝’に定義された状況下で、ＢＤ回数を再割り当てる場合、ＭＵＣＣ−ＤＣＩ関連’ＡＬ｛１、２、４、８｝’別ＢＤ回数は、’ＢＤ｛４、４、４、４｝’（即ち、既存ＡＬ’１’に対する２回のＢＤ回数がＡＬ’４’に再割り当てされ、既存ＡＬ’２’に対する２回のＢＤ回数がＡＬ’８’に再割り当てされたものである）に変更されることができる。または、’ＡＬ｛１、２、４、８｝’別ＢＤ回数は、’ＢＤ｛２、６、６、２｝’（即ち、既存ＡＬ’１’の４回のＢＤ回数がＡＬ’４’に再割り当てされたものである）または’ＢＤ｛０、６、６、４｝’（即ち、既存ＡＬ’１’の全体６回のＢＤ回数のうち、４回のＢＤ回数はＡＬ’４’に再割り当てされ、既存２回のＢＤ回数は、ＡＬ’８’に再割り当てされたものである）に変更されることができる。
【０３７７】
他の例として、ＭＵＣＣ−ＤＣＩの信頼度が高い送／受信のために、（ＭＵＣＣ−ＤＣＩ検出関連）ＭＩＮＩＭＵＭ  ＡＬ値そして／または一つの（Ｅ）ＣＣＥを構成する（Ｅ）ＲＥＧ個数などが（再）定義されることができる。具体的な一例として、’ＡＬ｛１、２、４、８｝’別ＢＤ回数が’ＢＤ｛６、６、２、２｝’に定義された状況下で、前記規則が適用される場合、ＭＩＮＩＭＵＭ  ＡＬ値が’１’から’２’に増加されることによって、’ＢＤ｛６、６、２、２｝’のＢＤ回数を有するＡＬセットが’ＡＬ｛２、４、８、１６｝’に変更されることができる。（Ｅ）ＰＤＣＣＨ領域上のリソース量が相対的に高い複数個のＡＬ（Ｓ）をサポートするのに十分な場合、（全体）ＢＤ回数が維持されるように設定されることもできる。または、’ＢＤ｛３、３、１、１｝’のＢＤ回数を有するＡＬ集合が’ＡＬ｛２、４、８、１６｝’に変更されることができる。即ち、（Ｅ）ＰＤＣＣＨ領域上のリソース量が相対的に高い複数個のＡＬ（Ｓ）をサポートするのに十分でない場合、（全体）ＢＤ回数を（半に）減らすように設定されることもできる。
【０３７８】
他の例として、前記規則が適用される場合、一つの（Ｅ）ＣＣＥを構成する（Ｅ）ＲＥＧ個数が’４’から’８’に変更されることができる。
【０３７９】
［提案方法＃２０］（前記（一部または全ての）提案方法（例えば、［提案方法＃１２］〜［提案方法＃１６］）によって）事前に設定された（または、シグナリングされた）複数個のＣＥＬＬ（Ｓ）関連ＤＣＩ  ＦＯＲＭＡＴ  １Ａベースのスケジューリング情報が（一つの）ＭＵＣＣ−ＤＣＩ（これを、“ＭＵＣＣ−ＤＣＩ  １Ａ”と命名）を介して送信される場合、該当各々のＣＥＬＬ関連ＤＣＩ  ＦＯＲＭＡＴ  ０  ＳＩＺＥ（即ち、ＳＩＣＣ−ＤＣＩ）は、各々のＣＥＬＬ関連ＤＣＩ  ＦＯＲＭＡＴ  １Ａ  ＳＩＺＥ（即ち、ＳＩＣＣ−ＤＣＩ）に比べて、（事前に定義された規則またはシグナリングを介して）相対的に小さく設定されることができる。
【０３８０】
それに対し、既存ＬＴＥシステムの場合、特定ＣＥＬＬ関連（同じＳＳで送信される）ＤＣＩ  ＦＯＲＭＡＴ  ０  ＳＩＺＥとＤＣＩ  ＦＯＲＭＡＴ  １Ａ  ＳＩＺＥは、常に同じであった。即ち、ＤＣＩ  ＦＯＲＭＡＴ  ０とＤＣＩ  ＦＯＲＭＡＴ  １Ａのうち（相対的に）小さいＳＩＺＥのＤＣＩ  ＦＯＲＭＡＴが（相対的に）大きいＳＩＺＥのＤＣＩ  ＦＯＲＭＡＴにＺＥＲＯ−ＰＡＤＤＩＮＧを介して合わせた。
【０３８１】
前記提案方式の適用を介して、ＭＵＣＣ−ＤＣＩ  １Ａが設定された複数個のＣＥＬＬ（Ｓ）関連ＤＣＩ  ＦＯＲＭＡＴ  ０  ＦＡＬＳＥ  ＤＥＴＥＣＴＩＯＮ確率を低くすることができる。ここで、一例として、ＤＣＩ  ＦＯＲＭＡＴ  ０  ＳＩＺＥの縮小は、事前に定義された（または、シグナリングされた）フィールド（ら）（例えば、ＤＣＩ  ＦＯＲＭＡＴ  ０／１Ａを区分するフィールドである’ＦＬＡＧ  ＦＯＲ  ＦＯＲＭＡＴ  ０／ＦＯＲＭＡＴ  １Ａ  ＤＩＦＦＥＲＥＮＴＩＡＴＩＯＮ’フィールド）の省略で行われることができる。
【０３８２】
［提案方法＃２１］（前記［提案方法＃２０］が適用される場合（または、［提案方法＃２０］の適用可否に関わらず））もし、端末がＭＵＣＣ−ＤＣＩ  １Ａが設定された特定ＣＥＬＬ（Ｓ）に関連したＤＣＩ  ＦＯＲＭＡＴ  １Ａ（即ち、ＳＩＣＣ−ＤＣＩ）を受信（／検出）する場合、該当受信（／検出）されたＤＣＩ  ＦＯＲＭＡＴ  １Ａ（即ち、ＳＩＣＣ−ＤＣＩ）を誤検出（ＦＡＬＳＥ  ＤＥＴＥＣＴＩＯＮ）と見なすことができる。
【０３８３】
他の例として、もし、端末が（特定サブフレーム時点で）ＭＵＣＣ−ＤＣＩ  １Ａが設定された特定ＣＥＬＬ（Ｓ）関連ＤＣＩ  ＦＯＲＭＡＴ  １Ａ（即ち、ＳＩＣＣ−ＤＣＩ）とＭＵＣＣ−ＤＣＩ  １Ａを同時に受信（／検出）する場合、該当受信（／検出）されたＤＣＩ  ＦＯＲＭＡＴ  １Ａ（即ち、ＳＩＣＣ−ＤＣＩ）（そして／またはＭＵＣＣ−ＤＣＩ  １Ａ）をＦＡＬＳＥ  ＤＥＴＥＣＴＩＯＮと見なし、ＭＵＣＣ−ＤＣＩ  １ＡとＤＣＩ  ＦＯＲＭＡＴ  １Ａを両方とも捨てるように（ＤＩＳＣＡＲＤ）規則が定義され、またはＤＣＩ  ＦＯＲＭＡＴ  １ＡのみをＤＩＳＣＡＲＤし、ＭＵＣＣ−ＤＣＩ  １Ａは有効であると見なし、またはＭＵＣＣ−ＤＣＩ  １ＡのみをＤＩＳＣＡＲＤし、ＤＣＩ  ＦＯＲＭＡＴ  １Ａは有効であると見なすことができる。
【０３８４】
［提案方法＃２３］’ＭＵＣＣ−ＤＣＩ’は、事前に設定された（または、シグナリングされた）複数個のＣＥＬＬ（Ｓ）関連（ＵＬ  ＧＲＡＮＴ（Ｓ）でない）ＤＬ  ＧＲＡＮＴ（Ｓ）のみを一つのＤＣＩ（または、制御チャネル）を介して送信する用途で限定的に利用されることができる。これはＢＤ減少効果がある。
【０３８５】
他の例として、ＭＵＣＣ−ＤＣＩは、事前に設定された（または、シグナリングされた）複数個のＣＥＬＬ（Ｓ）関連（ＤＬ  ＧＲＡＮＴ（Ｓ）でない）ＵＬ  ＧＲＡＮＴ（Ｓ）のみを一つのＤＣＩ（または、制御チャネル）を介して送信する用途で限定的に利用されることができる。これもＢＤ減少効果がある。
【０３８６】
［提案方法＃２４］ＤＣＩ  ＦＯＲＭＡＴ（受信）関連’ＦＡＬＳＥ  ＤＥＴＥＣＴＩＯＮ確率’を減らすための一つ方法により’ＣＲＣ  ＳＩＺＥ’を増やすことが考慮されることができる。該当’ＣＲＣ  ＳＩＺＥ  ＥＸＴＥＮＳＩＯＮ’動作は、（ＵＬ  ＧＲＡＮＴ（Ｓ）でない）ＤＬ  ＧＲＡＮＴ（Ｓ）にのみ限定的に適用されることができる。または、’ＣＲＣ  ＳＩＺＥ  ＥＸＴＥＮＳＩＯＮ’動作は、（ＤＬ  ＧＲＡＮＴ（Ｓ）でない）ＵＬ  ＧＲＡＮＴ（Ｓ）にのみ限定的に適用されることができる。
【０３８７】
図１４は、前述した提案方法＃１４、提案方法＃１５、提案方法＃１６、提案方法＃２０、提案方法＃２１、提案方法＃２３、提案方法＃２４を適用する時、端末の動作方法を示す。
【０３８８】
図１４を参照すると、基地局は、端末にＭＵＣＣ−ＤＣＩ設定情報を提供する（Ｓ１００）。例えば、ＭＵＣＣ−ＤＣＩ設定情報は、下記のうち少なくとも一つを設定することができる。
【０３８９】
１）ＭＵＣＣ−ＤＣＩの対象になる複数個のセルと関連したＳＩＣＣ−ＤＣＩの大きさを該当ＭＵＣＣ−ＤＣＩの大きさと同じように設定（提案方法＃１４参照）、
【０３９０】
２）ＭＵＣＣ−ＤＣＩが送信されることができるセル及び検索空間を設定（提案方法＃１５参照）、
【０３９１】
３）一つのサブフレーム上で実行されるＭＵＣＣ−ＤＣＩ、ＳＩＣＣ−ＤＣＩに対するブラインドデコーディング関連アグリゲーションレベル候補構成及び／またはアグリゲーションレベル別ブラインドデコーディング回数設定（提案方法＃１６参照）。
【０３９２】
例えば、ＭＵＣＣ−ＤＣＩ設定情報は、複数のサービングセルのうち前記共有検索空間が位置するサービングセルを知らせることができる。
【０３９３】
基地局は、端末にＭＵＣＣ−ＤＣＩを送信する（Ｓ１１０）。基地局は、ＭＵＣＣ−ＤＣＩ情報を介して端末に設定したセル、検索空間、アグリゲーションレベル候補構成、ブラインドデコーディング回数設定などを考慮してＭＵＣＣ−ＤＣＩを送信することができる。前述したように、一つのＭＵＣＣ−ＤＣＩには一つのサービングセルをスケジューリングする制御情報を複数個含むことができる。
【０３９４】
端末は、ＭＵＣＣ−ＤＣＩ設定情報によって決定された共有された検索空間（ＳＨＡＲＥＤ  ＳＳ）でＭＵＣＣ−ＤＣＩを検出／モニタリングする（Ｓ１２０）。ＭＵＣＣ−ＤＣＩ検出／モニタリング時に考慮すべき規則／設定に対しては、提案方法＃２０、２１、２３、２４で既に説明した。
【０３９５】
例えば、共有検索空間で、ＭＵＣＣ−ＤＣＩと一つのサービングセルをスケジューリングするダウンリンク制御情報であるＳＩＣＣ−ＤＣＩは、同じビットサイズを有するように設定されることができる。また、例えば、ＭＵＣＣ−ＤＣＩがダウンリンクグラントにのみ使われると、アップリンクグラント検出のためのモニタリングは不要である。
【０３９６】
また、ＭＵＣＣ−ＤＣＩのＣＲＣ大きさが既存ＳＩＣＣ−ＤＣＩに比べて増加されると、これを考慮してＭＵＣＣ−ＤＣＩをモニタリングすることができる。また、端末は、前記共有検索空間で、複数のサービングセルに関連したスケジューリング情報を含むことができるＭＵＣＣ−ＤＣＩのみをブラインドデコーディングすることもでき、ＭＵＣＣ−ＤＣＩ及びＳＩＣＣ−ＤＣＩを両方ともブラインドデコーディングすることもできる。
【０３９７】
ＭＵＣＣ−ＤＣＩをブラインドデコーディングする時、アグリゲーションレベル（Ａｇｇｒｅｇａｔｉｏｎ  Ｌｅｖｅｌ：ＡＬ）候補と、一つのサービングセルをスケジューリングするダウンリンク制御情報であるＳＩＣＣ−ＤＣＩをブラインドデコーディングする時、アグリゲーションレベル候補は、互いに異なるように設定されることができる。ＭＵＣＣ−ＤＣＩをブラインドデコーディングする時の各アグリゲーションレベルでのブラインドデコーディング回数と、ＳＩＣＣ−ＤＣＩをブラインドデコーディングする時の各アグリゲーションレベルでのブラインドデコーディング回数は、互いに異なるように設定されることができる。各アグリゲーションレベルにおいて、ＭＵＣＣ−ＤＣＩに対してあらかじめ決められたブラインドデコーディング回数は、再設定／再割り当てられることができる。これに対する具体的な実施例に対しては前述した（例えば、提案方法＃１６）。また、ＭＵＣＣ−ＤＣＩには一つのサービングセルをスケジューリングするダウンリンク制御情報であるＳＩＣＣ−ＤＣＩより長いＣＲＣ（ｃｙｃｌｉｃ  ｒｅｄｕｎｄａｎｃｙ  ｃｈｅｃｋ）が付加されることができることを前提にしてブラインドデコーディングを実行することができる。
【０３９８】
以下、ｅＩＭＴＡ  ＤＣＩを効率的に送信する方法に対して説明する。ｅＩＭＴＡは、ＴＤＤで動作するセルがアグリゲーションされた状況で、各セルのＴＤＤ  ＵＬ−ＤＬ  ＣＯＮＦＩＧＵＲＡＴＩＯＮが互いに異なる場合を意味する。既存５個より多くの個数のＣＥＬＬ（Ｓ）がＣＡ技法により設定された環境下で、（既存に比べて）相対的に多くのＣＥＬＬ（Ｓ）がｅＩＭＴＡ  ＭＯＤＥで動作される場合、（該当ｅＩＭＴＡ  ＣＥＬＬＳ（Ｓ）関連）ｅＩＭＴＡ  ＤＣＩを効率的に送信する方法が必要である。
【０３９９】
一例として、（該当ｅＩＭＴＡ  ＣＥＬＬＳ（Ｓ）関連）ｅＩＭＴＡ  ＤＣＩは、事前に定義された（または、シグナリングされた）ＣＥＬＬ上のＳＳ（ＳＥＡＲＣＨ  ＳＰＡＣＥ）（例えば、ＰＣＥＬＬ  ＣＳＳ（ＣＯＭＭＯＮ  ＳＥＡＲＣＨ  ＳＰＡＣＥ）またはＣＥＬＬ＿ＰＵＣＣＨと連動されたＤ  ＬＣＥＬＬ（Ｃ）ＳＳ）を介して送信されることができる。
【０４００】
一例として、下記方法の適用を介して、（１）限定された個数のＵＬ−ＤＬ  ＣＯＮＦＩＧＵＲＡＴＩＯＮ  ＩＮＤＩＣＡＴＯＲ（例えば、３ビット）のみが（一つの）ｅＩＭＴＡ  ＤＣＩを介して送信されることができる問題そして／または（２）ｅＩＭＴＡ  ＤＣＩが送信される事前に定義された（または、シグナリングされた）特定ＣＥＬＬ上のＳＳ（例えば、ＰＣＥＬＬ  ＣＳＳまたはＣＥＬＬ＿ＰＵＣＣＨと連動されたＤ  ＬＣＥＬＬ（Ｃ）ＳＳ）の混雑（ＣＯＮＧＥＳＴＩＯＮ）問題などを緩和させることができる。
【０４０１】
また、一例として、下記［提案方法＃１９］は、５より多いセルがアグリゲーションされるＭＡＳＳＩＶＥ  ＣＡ  ＭＯＤＥが設定された場合そして／または（ｅＩＭＴＡ）ＣＥＬＬ（Ｓ）（または、（ｅＩＭＴＡ）ＬＣＥＬＬ（Ｓ）または（ｅＩＭＴＡ）ＵＣＥＬＬ（Ｓ）または（ｅＩＭＴＡ）ＬＣＥＬＬ（Ｓ）／ＵＣＥＬＬ（Ｓ））が事前に定義された（または、シグナリングされた）個数以上に設定された場合（または、ＣＯＮＦＩＧＵＲＥＤ（ｅＩＭＴＡ）ＣＥＬＬ（Ｓ）（または、ＣＯＮＦＩＧＵＲＥＤ（ｅＩＭＴＡ）ＬＣＥＬＬ（Ｓ）またはＣＯＮＦＩＧＵＲＥＤ（ｅＩＭＴＡ）ＵＣＥＬＬ（Ｓ）またはＣＯＮＦＩＧＵＲＥＤ（ｅＩＭＴＡ）ＬＣＥＬＬ（Ｓ）／ＵＣＥＬＬ（Ｓ））が事前に定義された（または、シグナリングされた）個数以上に設定された場合）そして／またはＡＣＴＩＶＡＴＥＤ（ｅＩＭＴＡ）ＣＥＬＬ（Ｓ）（または、ＡＣＴＩＶＡＴＥＤ（ｅＩＭＴＡ）ＬＣＥＬＬ（Ｓ）またはＡＣＴＩＶＡＴＥＤ（ｅＩＭＴＡ）ＵＣＥＬＬ（Ｓ）またはＡＣＴＩＶＡＴＥＤ（ｅＩＭＴＡ）ＬＣＥＬＬ（Ｓ）／ＵＣＥＬＬ（Ｓ））が事前に定義された（または、シグナリングされた）個数以上に設定された場合でのみ限定的に適用されることもできる。
【０４０２】
ここで、一例として、ＭＡＳＳＩＶＥ  ＣＡ  ＭＯＤＥが設定されない場合そして／または（ｅＩＭＴＡ）ＣＥＬＬ（Ｓ）（または、（ｅＩＭＴＡ）ＬＣＥＬＬ（Ｓ）または（ｅＩＭＴＡ）ＵＣＥＬＬ（Ｓ）または（ｅＩＭＴＡ）ＬＣＥＬＬ（Ｓ）／ＵＣＥＬＬ（Ｓ））が事前に定義された（または、シグナリングされた）個数未満に設定された場合（または、ＣＯＮＦＩＧＵＲＥＤ（ｅＩＭＴＡ）ＣＥＬＬ（Ｓ）（または、ＣＯＮＦＩＧＵＲＥＤ（ｅＩＭＴＡ）ＬＣＥＬＬ（Ｓ）またはＣＯＮＦＩＧＵＲＥＤ（ｅＩＭＴＡ）ＵＣＥＬＬ（Ｓ）またはＣＯＮＦＩＧＵＲＥＤ（ｅＩＭＴＡ）ＬＣＥＬＬ（Ｓ）／ＵＣＥＬＬ（Ｓ））が事前に定義された（または、シグナリングされた）個数未満に設定された場合）そして／またはＡＣＴＩＶＡＴＥＤ（ｅＩＭＴＡ）ＣＥＬＬ（Ｓ）（または、ＡＣＴＩＶＡＴＥＤ（ｅＩＭＴＡ）ＬＣＥＬＬ（Ｓ）またはＡＣＴＩＶＡＴＥＤ（ｅＩＭＴＡ）ＵＣＥＬＬ（Ｓ）またはＡＣＴＩＶＡＴＥＤ（ｅＩＭＴＡ）ＬＣＥＬＬ（Ｓ）／ＵＣＥＬＬ（Ｓ））が事前に定義された（または、シグナリングされた）個数未満に設定された場合では、既存（ＲＥＬ−１２  ＬＴＥ）動作が適用されるように規則が定義されることができる。
【０４０３】
［提案方法＃１９］ｅＩＭＴＡ  ＣＥＬＬ（ＧＲＯＵＰ）別に関連ｅＩＭＴＡ  ＤＣＩが受信されるサブフレーム位置情報が（一部または全て）異なるように規則が定義され、（以下、“ＯＰＴＩＯＮ＃Ａ”）そして／または（ｅＩＭＴＡ  ＤＣＩ受信／デコーディングに使われる）（ｅＩＭＴＡ−）ＲＮＴＩ（以下、“ＯＰＴＩＯＮ＃Ｂ”）情報が（一部または全て）異なるように規則が定義されることができる。そして／または（ｅＩＭＴＡ  ＣＥＬＬ（ＧＲＯＵＰ）の）ＵＰＤＡＴＥＤ  ＵＬ−ＤＬ  ＣＯＮＦＩＧＵＲＡＴＩＯＮが受信されるｅＩＭＴＡ  ＤＣＩ上のフィールド位置情報が（一部または全て）異なるように規則が定義され、そして／またはＲＥＣＯＮＦＩＧＵＲＡＴＩＯＮ  ＰＥＲＩＯＤＩＣＩＴＹ情報が（一部または全て）異なるように規則が定義そして／またはｅＩＭＴＡ  ＤＣＩが受信されるＣＥＬＬそして／またはＳＳ種類が（一部または全て）異なるように規則が定義されることもできる。
【０４０４】
ここで、このような規則が適用された場合に対する一例として、ｅＩＭＴＡ  ＣＥＬＬ（ＧＲＯＵＰ）別に異なるｅＩＭＴＡ  ＤＣＩ受信サブフレーム位置情報と、異なる（ｅＩＭＴＡ  ＤＣＩ受信／デコーディングに使われる）（ｅＩＭＴＡ−）ＲＮＴＩ情報とを設定し、または（ｅＩＭＴＡ  ＣＥＬＬ（ＧＲＯＵＰ間に）共通されたｅＩＭＴＡ  ＤＣＩ受信サブフレーム位置情報と、ｅＩＭＴＡ  ＣＥＬＬ（ＧＲＯＵＰ）別に異なる（ｅＩＭＴＡ  ＤＣＩ受信／デコーディングに使われる）（ｅＩＭＴＡ−）ＲＮＴＩ情報とを設定し、または（ｅＩＭＴＡ  ＣＥＬＬ（ＧＲＯＵＰ間に）共通された（ｅＩＭＴＡ  ＤＣＩ受信／デコーディングに使われる）ｅＩＭＴＡ  ＲＮＴＩ情報と、ｅＩＭＴＡ  ＣＥＬＬ（ＧＲＯＵＰ）別に異なるｅＩＭＴＡ  ＤＣＩ受信サブフレーム位置情報と、を設定することができる。
【０４０５】
他の例として、ネットワーク（または、基地局）は、（１）（現在システム帯域幅下で）（一つの）ｅＩＭＴＡ  ＤＣＩを介していくつかのＵＬ−ＤＬ  ＣＯＮＦＩＧＵＲＡＴＩＯＮ  ＩＮＤＩＣＡＴＯＲ（例えば、３ビット）が（同時に）送信されることができるかそして／または（２）ｅＩＭＴＡ  ＤＣＩが送信される事前に定義された（または、シグナリングされた）特定ＣＥＬＬ上のＳＳ（例えば、ＰＣＥＬＬ  ＣＳＳまたはＣＥＬＬ＿ＰＵＣＣＨと連動されたＤ  ＬＣＥＬＬ（Ｃ）ＳＳ）がある程度混雑するかなどの要素を考慮し、ＯＰＴＩＯＮ＃Ａ規則とＯＰＴＩＯＮ＃Ｂ規則のうち適用される一つの規則を、事前に定義されたシグナル（例えば、上位階層シグナルまたは物理階層シグナル）を介して端末に知らせる（ＣＯＮＦＩＧＵＲＡＢＩＬＩＴＹ）ことができる。
【０４０６】
以下、前記（一部または全ての）提案方法ベースのＣＥＬＬ別（最大）ＢＤ（ＢＬＩＮＤ  ＤＥＣＯＤＩＮＧ）回数を効率的に設定（／シグナリング）する方法に対して説明する。
【０４０７】
［提案方法＃２５］互いに異なるＴＤＤ  ＵＬ−ＤＬ  ＣＯＮＦＩＧＵＲＡＴＩＯＮ（Ｓ）が設定されたＴＤＤ  ＣＥＬＬがＣＡに設定された時（または、ＴＤＤ  ＣＥＬＬ（Ｓ）とＦＤＤ  ＣＥＬＬ（Ｓ）がＣＡに設定された時）、サブフレーム別に’ＤＬ  ＳＦ（ＳＵＢＦＲＡＮＥ）ＣＥＬＬ個数’が異なる。したがって、これを考慮して、サブフレーム別に特定ＣＥＬＬ関連ＢＤ回数が独立的に（または、（一部または全て）異なるように）設定されることができる。このような方法が適用される場合、特定時点でＵＬ  ＳＦ  ＣＥＬＬ（Ｓ）関連ＢＤ回数をＤＬ  ＳＦ  ＣＥＬＬ（Ｓ）に（再）割り当てさせることができる。
【０４０８】
［提案方法＃２６］（特定ＣＥＬＬ（例えば、ＳＣＥＬＬ）の場合）ＤＣＩ  ＦＯＲＭＡＴ別に（ＵＳＳ）ＢＤ回数が独立的に（または、（一部または全て）異なるように）設定されることができる。例えば、ＴＭ−ＤＥＰＥＮＤＥＮＴ  ＤＣＩ  ＦＯＲＭＡＴであるＤＣＩ  ＦＯＲＭＡＴ  ２Ｄ（／４）とＦＡＬＬＢＡＣＫ  ＤＣＩ  ＦＯＲＭＡＴであるＤＣＩ  ＦＯＲＭＡＴ  １Ａ（／０）の各々に対して（ＵＳＳ）ＢＤ回数が独立的に設定されることができる。一例として、極端的に、特定ＣＥＬＬ（例えば、ＳＣＥＬＬ）関連特定ＤＣＩ  ＦＯＲＭＡＴ（例えば、ＤＣＩ  ＦＯＲＭＡＴ  １Ａ／０）に対する（ＵＳＳ）ＢＤ回数を０に設定して前記特定セル（例えば、ＳＣＥＬＬ）関連特定ＤＣＩ  ＦＯＲＭＡＴ（例えば、ＤＣＩ  ＦＯＲＭＡＴ  １Ａ／０）に対しては（ＵＳＳ）モニタリング（または、ＢＤ）をしないこともある。
【０４０９】
ここで、一例として、このような方法が適用される場合、相対的に大きいペイロード大きさ（／サイズ）のＤＣＩ  ＦＯＲＭＡＴに相対的に多くのＢＤ回数を割り当てることによって、送信機会を高め、またはＢＬＯＣＫＩＮＧ  ＰＲＯＢＡＢＩＬＩＴＹを下げることができる。これは信頼度が高い送信のために、ペイロード大きさが大きいＤＣＩ  ＦＯＲＭＡＴ送信に相対的に高いＡＬ（ＡＧＧＲＥＧＡＴＩＯＮ  ＬＥＶＥＬ）が使われる可能性が高いということを考慮したことである。
【０４１０】
他の例として、ＤＬ  ＤＣＩ（ＦＯＲＭＡＴ）ＦＡＬＳＥ  ＤＥＴＥＣＴＩＯＮがシステムに与える悪影響（例えば、ＬＡＲＧＥ  ＳＩＺＥ  ＰＵＣＣＨ  ＦＯＲＭＡＴ  ＴＸ（ＴＲＡＮＳＭＩＳＳＩＯＮ）誘発）がＵＬ  ＤＣＩ（ＦＯＲＭＡＴ）ＦＡＬＳＥ  ＤＥＴＥＣＴＩＯＮの場合に比べて相対的に大きいため、特定ＣＥＬＬの場合、ＤＬ  ＤＣＩ  ＦＯＲＭＡＴとＵＬ  ＤＣＩ  ＦＯＲＭＡＴのためのＢＤ回数が独立的に（または、（一部または全て）異なるように）設定されることができる。
【０４１１】
［提案方法＃２７］基地局は、セル別に、ＢＤが実際実行される’特定ＡＬの（Ｅ）ＰＤＣＣＨ  ＣＡＮＤＩＤＡＴＥ個数／位置’を’ＦＵＬＬ  ＢＩＴＭＡＰ’形態で知らせることができる。
【０４１２】
例えば、特定ＣＥＬＬのＵＳＳに対し、アグリゲーションレベル（ＡＬ）１に対してブラインドデコーディング回数（ＢＤ）６、ＡＬ２に対してＢＤ６、ＡＬ４に対してＢＤ２、ＡＬ８に対してＢＤ２と仮定する。そして、ＡＬ１、２、４、８に対して順序に（Ｅ）ＰＤＣＣＨ  ＣＡＮＤＩＤＡＴＥの個数が６、６、２、２と仮定する。この場合、基地局は、ＢＤが実際に実行される’特定アグリゲーションレベル（ＡＬ）の（Ｅ）ＰＤＣＣＨ  ＣＡＮＤＩＤＡＴＥ個数／位置’を１６ビットのＢＩＴＭＡＰで知らせることができる。
【０４１３】
例えば、’１０１０００  ０１０１００  １０  ０１’のＢＩＴＭＡＰがシグナリングされると、端末は、アグリゲーションレベル（ＡＬ）１に対する総６個の（Ｅ）ＰＤＣＣＨ  ＣＡＮＤＩＤＡＴＥ（Ｓ）のうち１番目／３番目の（Ｅ）ＰＤＣＣＨ  ＣＡＮＤＩＤＡＴＥ（Ｓ）、ＡＬ２に対する総６個の（Ｅ）ＰＤＣＣＨ  ＣＡＮＤＩＤＡＴＥ（Ｓ）のうち２番目の／４番目の（Ｅ）ＰＤＣＣＨ  ＣＡＮＤＩＤＡＴＥ（Ｓ）、ＡＬ４に対する総２個の（Ｅ）ＰＤＣＣＨ  ＣＡＮＤＩＤＡＴＥ（Ｓ）のうち１番目の（Ｅ）ＰＤＣＣＨ  ＣＡＮＤＩＤＡＴＥ、ＡＬ８に対する総２個の（Ｅ）ＰＤＣＣＨ  ＣＡＮＤＩＤＡＴＥ（Ｓ）のうち２番目の（Ｅ）ＰＤＣＣＨ  ＣＡＮＤＩＤＡＴＥに対してＢＤを実際に実行することができる。
【０４１４】
［提案方法＃２８］’ＰＥＲ  ＣＥＬＬ’単位でブラインドデコーディング（ＢＤ）が（実際）実行される’特定アグリゲーションレベル（ＡＬ）の（Ｅ）ＰＤＣＣＨ  ＣＡＮＤＩＤＡＴＥ個数’（関連情報）を知らせることができる。
【０４１５】
例えば、このような提案方法は、’ＰＥＲ  ＣＥＬＬ’単位で（Ｅ）ＰＤＣＣＨ  ＵＳＳ上の特定アグリゲーションレベル（ＡＬ）関連（Ｅ）ＰＤＣＣＨ  ＣＡＮＤＩＤＡＴＥ個数（関連情報）を知らせるための用途で限定的に使われることもできる。例えば、特定ＣＥＬＬのＵＳＳにおいて、アグリゲーションレベル（ＡＬ）１に対してブラインドデコーディング回数（ＢＤ）が６、ＡＬ２に対してＢＤ６、ＡＬ４に対してＢＤ２、ＡＬ８に対してＢＤ２の場合を仮定する。この場合、基地局は、１０ビットビットマップを介して’（特定ＣＥＬＬ関連）特定ＡＬの（Ｅ）ＰＤＣＣＨ  ＣＡＮＤＩＤＡＴＥ個数’（関連情報）を知らせることができる。例えば、前記１０ビットビットマップにおいて、最初３ビットはＡＬ１に対するＢＤ回数を示し、その次の３ビットはＡＬ２に対するＢＤ回数を示し、その次の２ビットはＡＬ４に対するＢＤ回数を示し、余り２ビットはＡＬ８に対するＢＤ回数を示すことができる。
【０４１６】
前記ビットマップを利用して知らせることは例示にすぎない。即ち、基地局は、ＲＲＣシグナルのような上位階層信号を介して各セルのアグリゲーションレベル（ＡＬ）別（ＵＳＳ）ＰＤＣＣＨ候補個数または（ＵＳＳ）ＥＰＤＣＣＨ候補個数を知らせることもできる。このとき、各セルのアグリゲーションレベル（ＡＬ）別（ＵＳＳ）ＰＤＣＣＨ候補個数または（ＵＳＳ）ＥＰＤＣＣＨ候補個数を明示的に知らせることもできるが、各セルのアグリゲーションレベル（ＡＬ）別既存（ＵＳＳ）ＰＤＣＣＨ候補個数または（ＵＳＳ）ＥＰＤＣＣＨ候補個数をある程度減らすかを（各セルのアグリゲーションレベル（ＡＬ）別）減少比率値（例えば、’ＲＯＵＮＤ（減少比率値＊既存（ＵＳＳ）（Ｅ）ＰＤＣＣＨ候補個数）’の計算を介して（アグリゲーションレベル（ＡＬ）別）最終適用（Ｅ）ＰＤＣＣＨ候補個数を導出することができる）を知らせることによって具現されることもできる。
【０４１７】
例えば、端末に８個のセル（セル＃１−８）がアグリゲーションされて交差搬送波スケジューリングが設定されて一つのセル（セル＃１）を介して８個のセルに対するスケジューリング情報が送信されると仮定する。この場合、セル＃１のＵＳＳでセル別に各々のアグリゲーションレベル（ＡＬ）に対して実行されるべき（ＵＳＳ）ブラインドデコーディング回数（ＢＤ）が決められることができる。例えば、特定セル＃Ｘ関連ＡＬ＃Ｋに対してＮＫという（ＵＳＳ）ブラインドデコーディング回数が決められると仮定する。前記ＮＫは、既存（ＵＳＳ）ＰＤＣＣＨ候補個数または（ＵＳＳ）ＥＰＤＣＣＨ候補個数を示すと見なされる。
【０４１８】
しかし、端末が（ＵＥ  ＣＡＰＡＢＩＬＩＴＹで報告した）（サブフレーム別）最大サポート（または、実行）できる（ＵＳＳ）ブラインドデコーディング回数（ＢＤ）制限によって、一部セル関連一部（ＵＳＳ）ブラインドデコーディング回数（ＢＤ）を減少させる必要がある。このような場合、一例として、前記［提案方法＃２８］が適用されると、セル別送信モード（Ｔｒａｎｓｍｉｓｓｉｏｎ  ｍｏｄｅ）（例えば、ＤＣＩのペイロードサイズに影響を与える）そして／または（制御）チャネル状態などを考慮した、最適の（セル別）（Ｅ）ＰＤＣＣＨ  ＵＳＳ上の特定アグリゲーションレベル（ＡＬ）別（Ｅ）ＰＤＣＣＨ  ＣＡＮＤＩＤＡＴＥ個数（関連情報）設定が可能になる。
【０４１９】
このような場合、基地局は、前記セル＃Ｘ関連ＡＬ＃Ｋに対する（ＵＳＳ）ブラインドデコーディング回数（即ち、（ＵＳＳ）（Ｅ）ＰＤＣＣＨ候補の個数）であるＮＫをある程度減らすかを知らせる情報を端末に提供することができる。例えば、前記情報は、２ビットで構成され、’００’の時はＮＫの０％、即ち、ＡＬ＃Ｋに対しては（ＵＳＳ）（Ｅ）ＰＤＣＣＨ候補が無いことを示し、’０１’の時はＮＫの３３％、’１０’の時はＮＫの６６％、’１１’の時はＮＫの１００％（即ち、ＮＫと同じ）のように知らせることができる。最終導出される（ＵＳＳ）ＢＤ回数（または、（ＵＳＳ）（Ｅ）ＰＤＣＣＨ候補の個数）は、整数（ＩＮＴＥＧＥＲ）で表すことが便利なため、’減少比率値＊既存（ＵＳＳ）（Ｅ）ＰＤＣＣＨ候補個数’値に対してＲＯＵＮＤ（／ＦＬＯＯＲ／ＣＥＩＬ）などの関数を適用した結果値に定めることもできる。この例示では、セル＃Ｘ関連ＡＬ＃Ｋに対する（ＵＳＳ）ブラインドデコーディング回数に対してのみ説明したが、これは制限でなく、基地局は、セル別に各々のアグリゲーションレベル（ＡＬ）に対して前記２ビット情報を提供することができる。
【０４２０】
図１５は、端末が特定セル関連既存（ＵＳＳ）（Ｅ）ＰＤＣＣＨ候補のうちシグナリングされた情報に基づいて一部（Ｅ）ＰＤＣＣＨ候補のみをブラインドデコーディングする例を示す。
【０４２１】
図１５を参照すると、特定セル関連アグリゲーションレベル（ＡＬ）＃Ｍに対し、既存（ＵＳＳ）（Ｅ）ＰＤＣＣＨ候補の個数がＫ個であるが、ＢＤが実際実行されるべき（ＵＳＳ）（Ｅ）ＰＤＣＣＨ  ＣＡＮＤＩＤＡＴＥ個数が’Ｐ’として導出（または、シグナリング）された場合である。例えば、基地局は、２ビット情報で特定セルのアグリゲーションレベル（ＡＬ）＃Ｍ関連（ＵＳＳ）（Ｅ）ＰＤＣＣＨ  ＣＡＮＤＩＤＡＴＥ個数であるＫを３３％に該当するように減少させることができ、このとき、ＲＯＵＮＤ（Ｋ＊０．３３）＝Ｐである。
【０４２２】
この場合、端末は、特定セルのＡＬ＃Ｍ関連総’Ｋ’個の（ＵＳＳ）（Ｅ）ＰＤＣＣＨ  ＣＡＤＩＤＡＴＥ（Ｓ）のうち、１番目の（ＵＳＳ）（Ｅ）ＰＤＣＣＨ  ＣＡＮＤＩＤＡＴＥから（順次に（または、（（ＵＳＳ）（Ｅ）ＰＤＣＣＨ  ＣＡＮＤＩＤＡＴＥ  ＩＮＤＥＸ）昇順に））Ｐ番目の（ＵＳＳ）（Ｅ）ＰＤＣＣＨ  ＣＡＮＤＩＤＡＴＥまでを（実際）ＢＤするようになる。
【０４２３】
ここで、他の例として、基地局は、端末に事前に定義された（追加的な）シグナル（例えば、上位階層シグナル、物理階層シグナル）（“ＯＲＤＥＲ＿ＩＮＤＩ”と命名）を伝達することによって、特定ＡＬ関連総’Ｋ’個の（ＵＳＳ）（Ｅ）ＰＤＣＣＨ  ＣＡＤＩＤＡＴＥ（Ｓ）のうちシグナリングされた（該当特定ＡＬ関連）’Ｐ’個の（ＵＳＳ）（Ｅ）ＰＤＣＣＨ  ＣＡＮＤＩＤＡＴＥ（Ｓ）がどんな方式（／方向）に選ばれるかを知らせることもできる。
【０４２４】
具体的な一例として、ＯＲＤＥＲ＿ＩＮＤＩ（例えば、１ビット）を介して、特定ＡＬ関連総’Ｋ’個の（ＵＳＳ）（Ｅ）ＰＤＣＣＨ  ＣＡＤＩＤＡＴＥ（Ｓ）のうちシグナリングされた（該当特定ＡＬ関連）’Ｐ’個の（ＵＳＳ）（Ｅ）ＰＤＣＣＨ  ＣＡＮＤＩＤＡＴＥ（Ｓ）が（ＵＳＳ）（Ｅ）ＰＤＣＣＨ  ＣＡＮＤＩＤＡＴＥ  ＩＮＤＥＸの昇順に選ばれるもの（例えば、１番目の（ＵＳＳ）（Ｅ）ＰＤＣＣＨ  ＣＡＮＤＩＤＡＴＥから順次に（または、（ＵＳＳ）（Ｅ）ＰＤＣＣＨ  ＣＡＮＤＩＤＡＴＥ  ＩＮＤＥＸ昇順に）Ｐ番目の（ＵＳＳ）（Ｅ）ＰＤＣＣＨ  ＣＡＮＤＩＤＡＴＥまでを（実際）ＢＤするようになる）か、または降順に選ばれるもの（例えば、Ｋ番目の（ＵＳＳ）（Ｅ）ＰＤＣＣＨ  ＣＡＮＤＩＤＡＴＥから逆順に（または、（ＵＳＳ）（Ｅ）ＰＤＣＣＨ  ＣＡＮＤＩＤＡＴＥ  ＩＮＤＥＸ降順に）（Ｋ−Ｐ＋１）番目の（ＵＳＳ）（Ｅ）ＰＤＣＣＨ  ＣＡＮＤＩＤＡＴＥまでを（実際）ＢＤするようになる）かを知らせることができる。
【０４２５】
他の例として、（ＢＤが（実際）実行されなければならない’ＡＬ４’そして／または’ＡＬ８’関連（ＵＳＳ）（Ｅ）ＰＤＣＣＨ  ＣＡＮＤＩＤＡＴＥ（Ｓ）個数情報を知らせる時、例外的に、（［提案方法＃２７］ベースの）’（ＦＵＬＬ）ＢＩＴＭＡＰ’形態が使われることもきる。それによって、（関連）ビットマップの大きさ（例えば、２ビット）に変化無しで、（ＢＤが（実際）実行されなければならない）’ＡＬ４’そして／または’ＡＬ８’の（ＵＳＳ）（Ｅ）ＰＤＣＣＨ  ＣＡＮＤＩＤＡＴＥ個数／位置を詳細に（または、具体的に）知らせることができる。
【０４２６】
図１６は、前述した提案方法＃２８を適用する例を示す。
【０４２７】
図１６を参照すると、端末は、基地局に端末能力情報を報告する（Ｓ７１０）。前述したように、端末能力情報は、サブフレーム別（ＵＳＳ）ダウンリンク制御チャネルデコーディング能力（または、（最大）個数）を示す’ＢＤ  ＣＡＰＡＢＩＬＩＴＹ  ＩＮＦＯＲＭＡＴＩＯＮ’を含むことができる。即ち、端末は、ネットワークにサブフレーム別に（ＵＳＳ）ダウンリンク制御チャネルをデコーディングすることができる能力（ＣＡＰＡＢＩＬＩＴＹ）（または、（最大）個数）を報告する。例えば、端末は、サブフレーム別端末特定検索空間（ＵＳＳ）でＰＤＣＣＨそして／またはＥＰＤＣＣＨをブラインドデコーディングすることができる（最大）回数をネットワークに報告することができる。ここで、一例として、端末は、５個より多いセル（搬送波）のアグリゲーションをサポートすることができる。
【０４２８】
基地局は、該当端末能力情報に基づいてセル別ＵＳＳの各ＡＬに対するＰＤＣＣＨ（及び／またはＥＰＤＣＣＨ）候補の個数を決定する（Ｓ７２０）。
【０４２９】
基地局は、端末に制御チャネル候補個数情報を提供する（Ｓ７３０）。
【０４３０】
制御チャネル候補個数情報は、ＲＲＣメッセージのような上位階層信号を介して端末に提供されることができる。前述したように、制御チャネル候補個数情報は、セル別（ｐｅｒ  ｃｅｌｌ）検索空間（ｓｅａｒｃｈ  ｓｐａｃｅ：ＳＳ）の各アグリゲーションレベル（ａｇｇｒｅｇａｔｉｏｎ  ｌｅｖｅｌ：ＡＬ）に対する制御チャネル候補の個数を知らせる。
【０４３１】
例えば、制御チャネル候補個数情報は、（端末が（実際に）実行すべき）各セルの端末特定検索空間（ＵＳＳ）で各アグリゲーションレベル（ＡＬ）に対するＰＤＣＣＨ候補及び／またはＥＰＤＣＣＨ候補の個数を知らせる情報であり、既存（Ｅ）ＰＤＣＣＨ候補の個数をある程度減らすかを知らせる２ビット情報が（セル別端末特定検索空間（ＵＳＳ）の）各アグリゲーションレベル別に提供されることができる。即ち、制御チャネル候補個数情報は、端末が実際にモニタリングすべき最初一部の制御チャネル候補の個数をセル別（端末特定）検索空間の各アグリゲーションレベル別既存制御チャネル候補の個数に対する比率（ｒａｔｉｏ）で知らせる。前記２ビットが’００’、’０１’、’１０’または’１１’である場合、順序に表す比率は０、０．３３、０．６６、１である。これに対しては詳細に記述した。
【０４３２】
本例では、特定セルのアグリゲーションレベル＃Ｍに対して既存（ＵＳＳ）（Ｅ）ＰＤＣＣＨ候補の個数がＫ個のとき、（前記説明した方法に基づいて）該当セル関連（ＵＳＳ）（Ｅ）ＰＤＣＣＨ候補個数情報がＰ（Ｋ＞Ｐ）として導出（または、シグナリング）されたと仮定する。
【０４３３】
基地局は、前記端末にスケジューリング情報を送信する（Ｓ７４０）。基地局は、端末に提供した制御チャネル候補個数情報（Ｓ７３０）に基づいて、各々のセルに対するスケジューリング情報を前記端末に送信することができる。
【０４３４】
端末は、特定セル関連ＤＣＩを検出するために、該当セル関連制御チャネル候補個数情報（Ｓ７３０）に基づいて、アグリゲーションレベル＃Ｍ関連既存（Ｅ）ＰＤＣＣＨ候補（Ｋ個）のうち最初Ｐ個の（Ｅ）ＰＤＣＣＨ候補をモニタリングする（Ｓ７５０）。
【０４３５】
［提案方法＃２９］’ＰＥＲ  ＣＥＬＬ’単位で（アグリゲーションレベル区分無しで）ＢＤが（実際）実行される総（Ｅ）ＰＤＣＣＨ  ＣＡＮＤＩＤＡＴＥ個数を知らせることができる。
【０４３６】
ここで、具体的な一例として、特定ＣＥＬＬのＵＳＳに対し、ＡＬ１に対してブラインドデコーディング回数（ＢＤ）が６、ＡＬ２に対してＢＤが６、ＡＬ４に対してＢＤが２、ＡＬ８に対してＢＤが２と仮定する。この場合、４ビット（ビットマップ）でＢＤが（実際）実行される総（Ｅ）ＰＤＣＣＨ  ＣＡＮＤＩＤＡＴＥ個数を知らせることができる。例えば、ＢＤが（実際）実行される総（Ｅ）ＰＤＣＣＨ  ＣＡＮＤＩＤＡＴＥ個数が１０個にシグナリングされた場合、（全体）１６個のＵＳＳ（Ｅ）ＰＤＣＣＨ  ＣＡＮＤＩＤＡＴＥ（Ｓ）の中から、ＡＬ１の１番目の（Ｅ）ＰＤＣＣＨ  ＣＡＮＤＩＤＡＴＥから順次に（または、（ＡＬ  ＩＮＤＥＸそして／または（Ｅ）ＰＤＣＣＨ  ＣＡＮＤＩＤＡＴＥ  ＩＮＤＥＸ）昇順に）１０個の（Ｅ）ＰＤＣＣＨ  ＣＡＮＤＩＤＡＴＥ（Ｓ）を選択及び（実際）ＢＤすることができる。
【０４３７】
［提案方法＃３０］端末は、報告した、サポート可能な最大ＢＤ回数を“ＭＡＸ＿ＢＤＣＡＰＡ＿ＮＵＭ”と命名し、事前に定義された（または、シグナリングされた）閾値未満のＦＡＬＳＥ  ＤＥＴＥＣＴＩＯＮ（発生）確率関連（最大）ＢＤ回数を“ＭＡＸ＿ＦＡＬＢＤ＿ＮＵＭ”と命名する。一例として、Ｎ個のＣＥＬＬ（Ｓ）がＣＡに設定された状況で、既存ＢＤ方式／規則によって算出される全体ＢＤ回数（即ち、’Ｎ＊Ｋ’、ここで、’Ｋ’は、既存方式によるＣＥＬＬ当たりＢＤ回数（例えば、’３２ＢＤ（Ｓ）ＰＥＲ（Ｓ）ＣＥＬＬ’））を“ＴＯＴＡＬ＿ＢＤ＿ＮＵＭ”と命名する時、下記の（一部または全ての）規則が適用されることができる。
【０４３８】
（規則＃３０−１）’ＭＡＸ＿ＢＤＣＡＰＡ＿ＮＵＭ＞＝ＴＯＴＡＬ＿ＢＤ＿ＮＵＭ’と’ＭＡＸ＿ＦＡＬＢＤ＿ＮＵＭ＞＝ＴＯＴＡＬ＿ＢＤ＿ＮＵＭ’を同時に満たすＣＡ（即ち、Ｎ）に対しては別途の“ＣＥＬＬ別ＢＤ回数”（再）設定（／シグナリング）することなく、既存方式による“ＴＯＴＡＬ＿ＢＤ＿ＮＵＭ”によってＢＤを実行することができる。
【０４３９】
（規則＃３０−２）’ＭＡＸ＿ＢＤＣＡＰＡ＿ＮＵＭ＜ＴＯＴＡＬ＿ＢＤ＿ＮＵＭ’または’ＭＡＸ＿ＦＡＬＢＤ＿ＮＵＭ＜ＴＯＴＡＬ＿ＢＤ＿ＮＵＭ’になるＣＡ（即ち、Ｎ）に対しては新しくシグナリング（／定義）された前記’ＣＥＬＬ別ＢＤ回数’（再）設定によってＢＤを実行することができる。
【０４４０】
［提案方法＃３１］一例として、互いに異なるＣＯＮＴＲＯＬ  ＣＨＡＮＮＥＬ  ＳＴＲＵＣＴＵＲＥ／ＣＯＮＴＲＯＬ  ＣＨＡＮＮＥＬ  ＳＥＴ（例えば、ＰＤＣＣＨとＥＰＤＣＣＨ（ＳＥＴ＃１／２））の同じそして／または異なるアグリゲーションレベル（ＡＬ）（“ＡＬ  ＴＹＰＥ”と命名）に対するＢＤ値（または、（Ｅ）ＰＤＣＣＨ  ＣＡＮＤＩＤＡＴＥ個数）シグナリング（／設定）のために、各々のＡＬ  ＴＹＰＥ別に事前に設定（／シグナリング）された制限された’Ｎ’個（例えば、２個）のビットが使われることができる（ＯＰＴＩＯＮ＃３１−Ａ）。即ち、各々のＡＬ  ＴＹＰＥ別に該当ＡＬ  ＴＹＰＥのＢＤ値（または、（Ｅ）ＰＤＣＣＨ  ＣＡＮＤＩＤＡＴＥ個数）を割り当てるために’Ｎ’個（例えば、２個）ビットが使われることができる。
【０４４１】
以下の表は、事前に定義（または、シグナリング）されたＡＬ  ＴＹＰＥ別に各々のＣＯＮＴＲＯＬ  ＣＨＡＮＮＥＬ  ＳＴＲＵＣＴＵＲＥ／ＣＯＮＴＲＯＬ  ＣＨＡＮＮＥＬ  ＳＥＴが有することができる総（最大）ＢＤ値候補（または、（Ｅ）ＰＤＣＣＨ  ＣＡＮＤＩＤＡＴＥ個数候補）を示す。
【０４４２】
【表２２】
2019165461.tif 000027
【０４４３】
ここで、一例として、ＰＤＣＣＨの場合に“１番目のＡＬ  ＴＹＰＥ、２番目のＡＬ  ＴＹＰＥ、３番目のＡＬ  ＴＹＰＥ、４番目のＡＬ  ＴＹＰＥ、５番目のＡＬ  ＴＹＰＥ”は、各々、“ＡＬ１、ＡＬ２、ＡＬ４、ＡＬ８、Ｎ／Ａ”に定義（／解釈）されることができ、また、ＥＰＤＣＣＨの場合に“１番目のＡＬ  ＴＹＰＥ、２番目のＡＬ  ＴＹＰＥ、３番目のＡＬ  ＴＹＰＥ、４番目のＡＬ  ＴＹＰＥ、５番目のＡＬ  ＴＹＰＥ”は、各々、“ＡＬ１、ＡＬ２、ＡＬ４、ＡＬ８、ＡＬ１６”（そして／または“ＡＬ２、ＡＬ４、ＡＬ８、ＡＬ１６、ＡＬ３２”）に定義（／解釈）されることができる。前記説明した（ＯＰＴＩＯＮ＃３１−Ａ）が適用される場合、一例として、もし、（ＵＥが設定を受けた）互いに異なるＣＯＮＴＲＯＬ  ＣＨＡＮＮＥＬ  ＳＴＲＵＣＴＵＲＥ／ＣＯＮＴＲＯＬ  ＣＨＡＮＮＥＬ  ＳＥＴ（例えば、ＰＤＣＣＨとＥＰＤＣＣＨ（ＳＥＴ＃１／２））関連総（最大）ＰＤＣＣＨ／ＥＰＤＣＣＨ  ＣＡＮＤＩＤＡＴＥ個数（または、ＢＤ値）が前記（特定）ＡＬ  ＴＹＰＥ内の全てのＡＬ（Ｓ）に対して’Ｎ’以下になる場合、（該当（特定）ＡＬ  ＴＹＰＥ内で）’Ｎ’個のビットは、［提案方法＃２７］（即ち、’ＰＥＲ  ＣＥＬＬ’単位でＢＤが（実際）実行される’特定ＡＬのＰＤＣＣＨ／ＥＰＤＣＣＨ  ＣＡＮＤＩＤＡＴＥ個数／位置’を’ＦＵＬＬ  ＢＩＴＭＡＰ’形態で知らせる方法）によって解釈されることができる。
【０４４４】
ここで、一例として、このような規則は、’Ｎ’が’２’に定義（／シグナリング）されてＰＤＣＣＨと事前に設定（／シグナリング）された一つのＥＰＤＣＣＨ  ＳＥＴの３番目のＡＬ  ＴＹＰＥ関連総（最大）ＢＤ値（または、（Ｅ）ＰＤＣＣＨ  ＣＡＮＤＩＤＡＴＥ個数）が各々’２’、’２’（そして／または’１’）に設定された場合（または、ＰＤＣＣＨと事前に設定（／シグナリング）された１番目／２番目のＥＰＤＣＣＨ  ＳＥＴの３番目のＡＬ  ＴＹＰＥ関連総（最大）ＢＤ値（または、（Ｅ）ＰＤＣＣＨ  ＣＡＮＤＩＤＡＴＥ個数）が各々’２’、’２／２’（そして／または’１／２’そして／または’２／１’そして／または’１／１’）に設定された場合）に適用されることができる。
【０４４５】
このような場合、一例として、該当２ビットは、ＢＤが（実際）実行される３番目のＡＬ  ＴＹＰＥ関連ＰＤＣＣＨ／ＥＰＤＣＣＨ  ＣＡＮＤＩＤＡＴＥ個数／位置（例えば、’００’、’０１’、’１０’、’１１’は、各々、’（実際）ＢＤが実行されるＰＤＣＣＨ／ＥＰＤＣＣＨ  ＣＡＮＤＩＤＡＴＥ個数（／位置）が無い’、’（実際）ＢＤが実行されるＰＤＣＣＨ／ＥＰＤＣＣＨ  ＣＡＮＤＩＤＡＴＥ個数／位置は、１個／１番目のＰＤＣＣＨ／ＥＰＤＣＣＨ  ＣＡＮＤＩＤＡＴＥである’’（実際）ＢＤが実行されるＰＤＣＣＨ／ＥＰＤＣＣＨ  ＣＡＮＤＩＤＡＴＥ個数／位置は、１個／２番目のＰＤＣＣＨ／ＥＰＤＣＣＨ  ＣＡＮＤＩＤＡＴＥである’’（実際）ＢＤが実行されるＰＤＣＣＨ／ＥＰＤＣＣＨ  ＣＡＮＤＩＤＡＴＥ個数／位置は、２個／１番目と２番目のＰＤＣＣＨ／ＥＰＤＣＣＨ  ＣＡＮＤＩＤＡＴＥ（Ｓ）である’）を直接的に知らせるようになる。
【０４４６】
それに対し、一例として、もし、（ＵＥが設定を受けた）互いに異なるＣＯＮＴＲＯＬ  ＣＨＡＮＮＥＬ  ＳＴＲＵＣＴＵＲＥ／ＣＯＮＴＲＯＬ  ＣＨＡＮＮＥＬ  ＳＥＴ（例えば、ＰＤＣＣＨとＥＰＤＣＣＨ（ＳＥＴ＃１／２））関連総（最大）ＰＤＣＣＨ／ＥＰＤＣＣＨ  ＣＡＮＤＩＤＡＴＥ個数（または、ＢＤ値）（“ＰＤＣＣＨ＿ＭＡＸＢＤＮＵＭ”、“ＥＰＤＣＣＨ＿ＭＡＸＢＤＮＵＭ”と命名）が前記（特定）ＡＬ  ＴＹＰＥ内の最小限一つのＡＬ（または、全てのＡＬ（Ｓ））に対して’Ｎ’超過になると、（該当（特定）ＡＬ  ＴＹＰＥ内で）’Ｎ’個のビットは、事前に定義（／シグナリング）されたパーセント値を示す用途で使用（例えば、’００’、’０１’、’１０’、’１１’は、各々、’０％’、’３３％’、’６６％’、’１００％’を示すように設定）されることができる。ここで、一例として、このような規則は、’Ｎ’が’２’に定義（／シグナリング）されてＰＤＣＣＨと事前に設定（／シグナリング）された一つのＥＰＤＣＣＨ  ＳＥＴの２番目のＡＬ  ＴＹＰＥ関連総（最大）ＢＤ値（または、（Ｅ）ＰＤＣＣＨ  ＣＡＮＤＩＤＡＴＥ個数）が各々’６’、’４’に設定された場合に適用されることができる。
【０４４７】
このような場合、一例として、もし、該当２ビットが’０１’にシグナリング（／設定）されると、（実際）ＢＤが実行されるＰＤＣＣＨ／ＥＰＤＣＣＨ  ＣＡＮＤＩＤＡＴＥ個数（／位置）は、（ＰＤＣＣＨ／ＥＰＤＣＣＨ  ＣＡＮＤＩＤＡＴＥ  ＩＮＤＥＸの昇順（または、降順）に）各々’ＲＯＵＮＤ（６＊０．３３）’（または、’ＦＬＯＯＲ（６＊０．３３）’または’ＣＥＩＬＩＮＧ（６＊０．３３）’）、’ＲＯＵＮＤ（４＊０．３３）’（または、’ＦＬＯＯＲ（４＊０．３３）’または’ＣＥＩＬＩＮＧ（４＊０．３３）’）となる。
【０４４８】
他の例として、前記説明した（ＯＰＴＩＯＮ＃３１−Ａ）が適用される場合、一例として、もし、（ＵＥが設定を受けた）互いに異なるＣＯＮＴＲＯＬ  ＣＨＡＮＮＥＬ  ＳＴＲＵＣＴＵＲＥ／ＣＯＮＴＲＯＬ  ＣＨＡＮＮＥＬ  ＳＥＴ（例えば、ＰＤＣＣＨとＥＰＤＣＣＨ（ＳＥＴ＃１／２））関連総（最大）ＰＤＣＣＨ／ＥＰＤＣＣＨ  ＣＡＮＤＩＤＡＴＥ個数（または、ＢＤ値）が前記（特定）ＡＬ  ＴＹＰＥ内の一部ＡＬ（Ｓ）に対して’Ｎ’以下になると、（該当（特定）ＡＬ  ＴＹＰＥ内の）一部ＡＬ（Ｓ）に対してのみ’Ｎ’個のビットを［提案方法＃２７］（即ち、’ＰＥＲ  ＣＥＬＬ’単位でＢＤが（実際）実行される’特定ＡＬのＰＤＣＣＨ／ＥＰＤＣＣＨ  ＣＡＮＤＩＤＡＴＥ個数／位置’を’ＦＵＬＬ  ＢＩＴＭＡＰ’形態で知らせる方法）によって解釈するように設定（例えば、（該当（特定）ＡＬ  ＴＹＰＥ内の）余りＡＬ（Ｓ）に対しては’Ｎ’個のビットを事前に定義（／シグナリング）されたパーセント値を示す用途で使用）されることもできる。
【０４４９】
以下の表２３は、前記表２２で事前に設定（／シグナリング）された複数個のＡＬ  ＴＹＰＥ（Ｓ）を一つの（代表）ＡＬ  ＴＹＰＥで（再）定義（／（再）統合）した（または、結合した）場合に対する一例を示す。
【０４５０】
【表２３】
2019165461.tif 000028
【０４５１】
前記表２３は、前記表２２において’４番目のＡＬ  ＴＹＰＥ’と’５番目のＡＬ  ＴＹＰＥ’を一つの（代表）ＡＬ  ＴＹＰＥ（例えば、（代表）４番目のＡＬ  ＴＹＰＥ（表２３））に（再）定義（／（再）統合）した場合を示す。ここで、一例として、表２２の５番目のＡＬ  ＴＹＰＥ関連総（最大）ＢＤ値（または、（Ｅ）ＰＤＣＣＨ  ＣＡＮＤＩＤＡＴＥ個数）は、設定され、または設定されない。したがって、表２３の（代表）４番目のＡＬ  ＴＹＰＥ関連（特定）総（最大）ＢＤ値（または、（Ｅ）ＰＤＣＣＨ  ＣＡＮＤＩＤＡＴＥ個数）は、（表２２において）一部（または、全て）異なるＡＬ（Ｓ）関連総（最大）ＢＤ値（または、（Ｅ）ＰＤＣＣＨ  ＣＡＮＤＩＤＡＴＥ個数）の和で構成（ＣＡＳＥ＃３１−１）され、または同じＡＬ（Ｓ）関連総（最大）ＢＤ値（または、（Ｅ）ＰＤＣＣＨ  ＣＡＮＤＩＤＡＴＥ個数）の和で構成（ＣＡＳＥ＃３１−２）されることができる。
【０４５２】
ここで、一例として、（ＣＡＳＥ＃３２−１）（そして／または（ＣＡＳＥ＃３２−２））の場合に、［提案方法＃２７］（即ち、’ＰＥＲ  ＣＥＬＬ’単位でＢＤが（実際）実行される’特定ＡＬのＰＤＣＣＨ／ＥＰＤＣＣＨ  ＣＡＮＤＩＤＡＴＥ個数／位置’を’ＦＵＬＬ  ＢＩＴＭＡＰ’形態で知らせる方法）によって’Ｎ’個のビットが使われ、そして／または’Ｎ’個のビットが事前に定義（／シグナリング）されたパーセント値を示す用途で使用される（例えば、’００’、’０１’、’１０’、’１１’は、各々、’０％’、’３３％’、’６６％’、’１００％’を示すように設定されることができる）時、下記の（一部または全ての）インターリービング規則が適用された後に、（実際）ＢＤが実行される最終ＥＰＤＣＣＨ  ＣＡＮＤＩＤＡＴＥ個数／位置が決定（／選定）されることができる。
【０４５３】
以下、説明の便宜のために、（（再）定義（／（再）統合）された）一つのＥＰＤＣＣＨ  ＳＥＴ関連（代表）４番目のＡＬ  ＴＹＰＥの総（最大）ＢＤ値（または、ＥＰＤＣＣＨ  ＣＡＮＤＩＤＡＴＥ個数）が’ＡＬ８関連２個のＥＰＤＣＣＨ  ＣＡＮＤＩＤＡＴＥ（Ｓ）（例えば、ＡＬ８＿ＥＰＤＣＣＨ  ＣＡＮＤＩ＃１、ＡＬ８＿ＥＰＤＣＣＨ  ＣＡＮＤＩ＃２）’と’ＡＬ１６関連１個のＥＰＤＣＣＨ  ＣＡＮＤＩＤＡＴＥ（Ｓ）（例えば、ＡＬ１６＿ＥＰＤＣＣＨ  ＣＡＮＤＩ＃１）’で構成された場合を仮定する。
【０４５４】
（規則＃３１−１）一例として、相対的に高い（または、低い）ＡＬの（Ｅ）ＰＤＣＣＨ  ＣＡＮＤＩＤＡＴＥ（Ｓ）が前方に位置するように規則が定義されることができる。
【０４５５】
（規則＃３１−２）一例として、相対的に低い（または、高い）（Ｅ）ＰＤＣＣＨ  ＣＡＮＤＩＤＡＴＥ  ＩＮＤＥＸの（Ｅ）ＰＤＣＣＨ  ＣＡＮＤＩＤＡＴＥが前方に位置するように規則が定義されることができる。このような規則は、同じＡＬ関連（Ｅ）ＰＤＣＣＨ  ＣＡＮＤＩＤＡＴＥ（Ｓ）間に配置順序を（再）定義するために使われることができる。前記仮定した例示状況で、（規則＃３１−１）そして／または（規則＃３１−２）ベースのインターリービング規則（ら）が適用される場合、’ＡＬ１６＿ＥＰＤＣＣＨ  ＣＡＮＤＩ＃１、ＡＬ８＿ＥＰＤＣＣＨＣＡＮＤＩ＃１、ＡＬ８＿ＥＰＤＣＣＨＣＡＮＤＩ＃２（即ち、相対的に高いＡＬの（Ｅ）ＰＤＣＣＨ  ＣＡＮＤＩＤＡＴＥ（Ｓ）と相対的に低い（Ｅ）ＰＤＣＣＨ  ＣＡＮＤＩＤＡＴＥ  ＩＮＤＥＸの（Ｅ）ＰＤＣＣＨ  ＣＡＮＤＩＤＡＴＥが前方に位置するように設定された場合）’（または、’ＡＬ８＿ＥＰＤＣＣＨＣＡＮＤＩ＃１、ＡＬ８＿ＥＰＤＣＣＨＣＡＮＤＩ＃２、ＡＬ１６＿ＥＰＤＣＣＨＣＡＮＤＩ＃１’（即ち、相対的に低いＡＬの（Ｅ）ＰＤＣＣＨ  ＣＡＮＤＩＤＡＴＥ（Ｓ）と相対的に低い（Ｅ）ＰＤＣＣＨ  ＣＡＮＤＩＤＡＴＥ  ＩＮＤＥＸの（Ｅ）ＰＤＣＣＨ  ＣＡＮＤＩＤＡＴＥが前方に位置するように設定された場合））の形態で混合されるようになる。
【０４５６】
［提案方法＃３２］もし、（［提案方法＃３１］が適用される場合）二つのＥＰＤＣＣＨ  ＳＥＴ（Ｓ）が設定され、’Ｎ’個（例えば、２個）のビットが示す事前に定義（／シグナリング）されたパーセント値（例えば、’００’、’０１’、’１０’、’１１’は、各々、’０％’、’３３％’、’６６％’、’１００％’を示すように設定されることができる）が二つのＥＰＤＣＣＨ  ＳＥＴ（Ｓ）関連総（最大）ＢＤ値（または、ＥＰＤＣＣＨ  ＣＡＮＤＩＤＡＴＥ個数）和に適用されると、下記の（一部または全ての）規則によってＥＰＤＣＣＨ  ＣＡＮＤＩＤＡＴＥ（Ｓ）をインターリービングした後に、（実際）ＢＤが実行される最終ＥＰＤＣＣＨ  ＣＡＮＤＩＤＡＴＥ個数／位置が決定（／選定）されることができる。
【０４５７】
以下、説明の便宜のために、１番目／２番目のＥＰＤＣＣＨ  ＳＥＴの総（最大）ＢＤ値（または、ＥＰＤＣＣＨ  ＣＡＮＤＩＤＡＴＥ個数）が各々’６（例えば、ＦＩＲＳＴＳＥＴ＿ＩＤＸ＃１、ＦＩＲＳＴＳＥＴ＿ＩＤＸ＃２、ＦＩＲＳＴＳＥＴ＿ＩＤＸ＃３、ＦＩＲＳＴＳＥＴ＿ＩＤＸ＃４、ＦＩＲＳＴＳＥＴ＿ＩＤＸ＃５、ＦＩＲＳＴＳＥＴ＿ＩＤＸ＃６）’、’３（例えば、ＳＥＣＯＮＤＳＥＴ＿ＩＤＸ＃１、ＳＥＣＯＮＤＳＥＴ＿ＩＤＸ＃２、ＳＥＣＯＮＤＳＥＴ＿ＩＤＸ＃３）’に設定され、’Ｎ＝２’のビットが’０１’にシグナリング（／設定）された状況を仮定する。
【０４５８】
（規則＃３２−１）相対的に大きい’総（最大）ＢＤ値（または、ＥＰＤＣＣＨ  ＣＡＮＤＩＤＡＴＥ個数）（“ＬＡＲＧＥＲ＿ＢＤＮＵＭ”と命名）’を有するＥＰＤＣＣＨ  ＳＥＴ関連ＥＰＤＣＣＨ  ＣＡＮＤＩＤＡＴＥ（Ｓ）間に、相対的に小さい’総（最大）ＢＤ値（または、ＥＰＤＣＣＨ  ＣＡＮＤＩＤＡＴＥ個数）（“ＳＭＡＬＬＥＲ＿ＢＤＮＵＭ”と命名）’を有するＥＰＤＣＣＨ  ＳＥＴ関連ＥＰＤＣＣＨ  ＣＡＮＤＩＤＡＴＥ（Ｓ）が’ＦＬＯＯＲ（ＬＡＲＧＥＲ＿ＢＤＮＵＭ／ＳＭＡＬＬＥＲ＿ＢＤＮＵＭ）’（または、’ＦＬＯＯＲ（ＬＡＲＧＥＲ＿ＢＤＮＵＭ／ＳＭＡＬＬＥＲ＿ＢＤＮＵＭ）’または’ＣＥＩＬＩＮＧ（ＬＡＲＧＥＲ＿ＢＤＮＵＭ／ＳＭＡＬＬＥＲ＿ＢＤＮＵＭ）’）のオフセット（／間隔）（または、事前にシグナリング（／設定）されたオフセット（／間隔））を有して挿入されるように定義されることができる。
【０４５９】
ここで、一例として、前記仮定した例示状況でこのようなインターリービング規則が適用される場合、二つのＥＰＤＣＣＨ  ＳＥＴ（Ｓ）関連ＥＰＤＣＣＨ  ＣＡＮＤＩＤＡＴＥ（Ｓ）は、’ＦＩＲＳＴＳＥＴ＿ＩＤＸ＃１、ＦＩＲＳＴＳＥＴ＿ＩＤＸ＃２、ＳＥＣＯＮＤＳＥＴ＿ＩＤＸ＃１、ＦＩＲＳＴＳＥＴ＿ＩＤＸ＃３、ＦＩＲＳＴＳＥＴ＿ＩＤＸ＃４、ＳＥＣＯＮＤＳＥＴ＿ＩＤＸ＃２、ＦＩＲＳＴＳＥＴ＿ＩＤＸ＃５、ＦＩＲＳＴＳＥＴ＿ＩＤＸ＃６、ＳＥＣＯＮＤＳＥＴ＿ＩＤＸ＃３’の形態で混合されるようになり、シグナリング（／設定）された’０１’（即ち、’３３％’）のビットにより、（実際）ＢＤが実行される最終ＥＰＤＣＣＨ  ＣＡＮＤＩＤＡＴＥ個数／位置は、’ＲＯＵＮＤ（９＊０．３３）（＝３）’／’ＦＩＲＳＴＳＥＴ＿ＩＤＸ＃１、ＦＩＲＳＴＳＥＴ＿ＩＤＸ＃２、ＳＥＣＯＮＤＳＥＴ＿ＩＤＸ＃１’（または、’ＦＬＯＯＲ（９＊０．３３）（＝２）’／’ＦＩＲＳＴＳＥＴ＿ＩＤＸ＃１、ＦＩＲＳＴＳＥＴ＿ＩＤＸ＃２’または’ＣＥＩＬＩＮＧ（９＊０．３３）（＝３）’／’ＦＩＲＳＴＳＥＴ＿ＩＤＸ＃１、ＦＩＲＳＴＳＥＴ＿ＩＤＸ＃２、ＳＥＣＯＮＤＳＥＴ＿ＩＤＸ＃１’）になる。
【０４６０】
前記仮定した例示状況でこのようなインターリービング規則が適用される場合、二つのＥＰＤＣＣＨ  ＳＥＴ（Ｓ）関連ＥＰＤＣＣＨ  ＣＡＮＤＩＤＡＴＥ（Ｓ）は、’ＳＥＣＯＮＤＳＥＴ＿ＩＤＸ＃１、ＦＩＲＳＴＳＥＴ＿ＩＤＸ＃１、ＦＩＲＳＴＳＥＴ＿ＩＤＸ＃２、ＳＥＣＯＮＤＳＥＴ＿ＩＤＸ＃２、ＦＩＲＳＴＳＥＴ＿ＩＤＸ＃３、ＦＩＲＳＴＳＥＴ＿ＩＤＸ＃４、ＳＥＣＯＮＤＳＥＴ＿ＩＤＸ＃３、ＦＩＲＳＴＳＥＴ＿ＩＤＸ＃５、ＦＩＲＳＴＳＥＴ＿ＩＤＸ＃６’の形態で混合されるようになり、シグナリング（／設定）された’０１’（即ち、’３３％’）のビットにより、（実際）ＢＤが実行される最終ＥＰＤＣＣＨ  ＣＡＮＤＩＤＡＴＥ個数／位置は、’ＲＯＵＮＤ（９＊０．３３）（＝３）’／’ＳＥＣＯＮＤＳＥＴ＿ＩＤＸ＃１、ＦＩＲＳＴＳＥＴ＿ＩＤＸ＃１、ＦＩＲＳＴＳＥＴ＿ＩＤＸ＃２’（または、’ＦＬＯＯＲ（９＊０．３３）（＝２）’／’ＳＥＣＯＮＤＳＥＴ＿ＩＤＸ＃１、ＦＩＲＳＴＳＥＴ＿ＩＤＸ＃１’または’ＣＥＩＬＩＮＧ（９＊０．３３）（＝３）’／’ＳＥＣＯＮＤＳＥＴ＿ＩＤＸ＃１、ＦＩＲＳＴＳＥＴ＿ＩＤＸ＃１、ＦＩＲＳＴＳＥＴ＿ＩＤＸ＃２’）となる。
【０４６１】
前記説明した提案方式に対する実施例も本発明の具現方法のうち一つとして含まれることができるため、一種の提案方式であると見なされることができることは明白である。また、前記説明した提案方式は、独立的に具現されることもできるが、一部提案方式の組み合わせ（または、併合）形態で具現されることもできる。
【０４６２】
他の例として、前記説明した一部（または、全ての）提案方式は、ＣＲＯＳＳ−ＣＡＲＲＩＥＲ  ＳＣＨＥＤＵＬＩＮＧ（ＣＣＳ）（そして／またはＳＥＬＦ−ＳＣＨＥＤＵＬＩＮＧ（ＳＦＳ））状況でのみ限定的に適用されるように規則が定義されることができる。
【０４６３】
また、一例として、前記説明した一部（または、全ての）提案方式は、（ＰＣＥＬＬでない）ＳＣＥＬＬ  ＰＵＣＣＨ  ＴＲＡＮＳＭＩＳＳＩＯＮ  ＭＯＤＥが設定された場合にのみ限定的に適用されるように規則が定義されることができる。
【０４６４】
また、一例として、前記説明した一部（または、全ての）提案方式は、ＬＣＥＬＬ（Ｓ）とＬＣＥＬＬ（Ｓ）（または、ＬＣＥＬＬ（Ｓ）とＵＣＥＬＬ（Ｓ）またはＵＣＥＬＬ（Ｓ）とＵＣＥＬＬ（Ｓ））との間にも拡張適用されることができる。また、一例として、前記説明した提案方式（例えば、（ＭＡＸＩＭＵＭ）ＢＤ（ＮＵＭＢＥＲ）ＲＥＤＵＣＴＩＯＮ方法、ＳＳ  ＳＨＡＲＩＮＧ方法）は、ＭＡＳＳＩＶＥ  ＣＡ  ＭＯＤＥが設定された場合そして／またはＣＥＬＬ（Ｓ）（または、ＬＣＥＬＬ（Ｓ）またはＵＣＥＬＬ（Ｓ）または（ＵＬ）ＬＣＥＬＬ（Ｓ）／ＵＣＥＬＬ（Ｓ））が事前に定義された（または、シグナリングされた）個数以上に設定された場合（または、ＣＯＮＦＩＧＵＲＥＤ  ＣＥＬＬ（Ｓ）（または、ＣＯＮＦＩＧＵＲＥＤ  ＬＣＥＬＬ（Ｓ）またはＣＯＮＦＩＧＵＲＥＤ  ＵＣＥＬＬ（Ｓ）またはＣＯＮＦＩＧＵＲＥＤ  ＬＣＥＬＬ（Ｓ）／ＵＣＥＬＬ（Ｓ））が事前に定義された（または、シグナリングされた）個数以上に設定された場合）そして／またはＡＣＴＩＶＡＴＥＤ  ＣＥＬＬ（Ｓ）（または、ＡＣＴＩＶＡＴＥＤ  ＬＣＥＬＬ（Ｓ）またはＡＣＴＩＶＡＴＥＤ  ＵＣＥＬＬ（Ｓ）またはＡＣＴＩＶＡＴＥＤ  ＬＣＥＬＬ（Ｓ）／ＵＣＥＬＬ（Ｓ））が事前に定義された（または、シグナリングされた）個数以上に設定された場合そして／または一つのＳＣＨＥＤＵＬＩＮＧ  ＣＥＬＬに設定されたＳＣＨＥＤＵＬＥＤ  ＣＥＬＬ（Ｓ）個数が事前に定義された（または、シグナリングされた）閾値以上である場合でのみ限定的に適用されるように規則が定義されることもできる。
【０４６５】
ここで、一例として、ＭＡＳＳＩＶＥ  ＣＡ  ＭＯＤＥが設定されない場合そして／またはＣＥＬＬ（Ｓ）（または、ＬＣＥＬＬ（Ｓ）またはＵＣＥＬＬ（Ｓ）またはＬＣＥＬＬ（Ｓ）／ＵＣＥＬＬ（Ｓ））が事前に定義された（または、シグナリングされた）個数未満に設定された場合（または、ＣＯＮＦＩＧＵＲＥＤ  ＣＥＬＬ（Ｓ）（または、ＣＯＮＦＩＧＵＲＥＤ  ＬＣＥＬＬ（Ｓ）またはＣＯＮＦＩＧＵＲＥＤ  ＵＣＥＬＬ（Ｓ）またはＣＯＮＦＩＧＵＲＥＤ  ＬＣＥＬＬ（Ｓ）／ＵＣＥＬＬ（Ｓ））が事前に定義された（または、シグナリングされた）個数未満に設定された場合）そして／またはＡＣＴＩＶＡＴＥＤ  ＣＥＬＬ（Ｓ）（または、ＡＣＴＩＶＡＴＥＤ  ＬＣＥＬＬ（Ｓ）またはＡＣＴＩＶＡＴＥＤ  ＵＣＥＬＬ（Ｓ）またはＡＣＴＩＶＡＴＥＤ  ＬＣＥＬＬ（Ｓ）／ＵＣＥＬＬ（Ｓ））が事前に定義された（または、シグナリングされた）個数未満に設定された場合そして／または一つのＳＣＨＥＤＵＬＩＮＧ  ＣＥＬＬに設定されたＳＣＨＥＤＵＬＥＤ  ＣＥＬＬ（Ｓ）個数が事前に定義された（または、シグナリングされた）閾値未満である場合では、既存（ＲＥＬ−１２  ＬＴＥ）動作が適用されるように規則が定義されることができる。
【０４６６】
また、一例として、本発明において“ＣＧ”という用語は、ＰＵＣＣＨ送信が設定された（または、許容された）特定ＣＥＬＬ（即ち、“ＣＥＬＬ＿ＰＵＣＣＨ”と命名）と連動されたＣＥＬＬ（Ｓ）を通称すると解釈されることができる。ここで、一例として、一つのＣＧは、特定ＣＥＬＬ＿ＰＵＣＣＨと該当ＣＥＬＬ＿ＰＵＣＣＨを介して（ＰＵＣＣＨベースの）ＵＣＩが送信されるＣＥＬＬ（Ｓ）を（共に）示すと解釈され、または一つのＣＧは、（特定ＣＥＬＬ＿ＰＵＣＣＨを含まないで）該当ＣＥＬＬ＿ＰＵＣＣＨを介して（ＰＵＣＣＨベースの）ＵＣＩが送信されるＣＥＬＬ（Ｓ）のみを示すことと解釈されることができる。
【０４６７】
図１７は、基地局及び端末を示すブロック図である。
【０４６８】
基地局１００は、プロセッサ（ｐｒｏｃｅｓｓｏｒ）１１０、メモリ（ｍｅｍｏｒｙ）１２０及びＲＦ部（ＲＦ（ｒａｄｉｏ  ｆｒｅｑｕｅｎｃｙ）ｕｎｉｔ）１３０を含む。プロセッサ１１０は、提案された機能、過程及び／または方法を具現する。メモリ１２０は、プロセッサ１１０と連結され、プロセッサ１１０を駆動するための多様な情報を格納する。ＲＦ部１３０は、プロセッサ１１０と連結され、無線信号を送信及び／または受信する。
【０４６９】
端末２００は、プロセッサ２１０、メモリ２２０及びＲＦ部２３０を含む。プロセッサ２１０は、提案された機能、過程及び／または方法を具現する。メモリ２２０は、プロセッサ２１０と連結され、プロセッサ２１０を駆動するための多様な情報を格納する。ＲＦ部２３０は、プロセッサ２１０と連結され、無線信号を送信及び／または受信する。
【０４７０】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１３０、２３０は、無線信号を送信及び／または受信する一つ以上のアンテナを含むことができる。実施例がソフトウェアで具現される時、前述した技法は、前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部または外部にあり、よく知られた多様な手段でプロセッサ１１０、２１０と連結されることができる。
【図１】
2019165461.tif 000029
【図２】
2019165461.tif 000030
【図３】
2019165461.tif 000031
【図４】
2019165461.tif 000032
【図５】
2019165461.tif 000033
【図６】
2019165461.tif 000034
【図７】
2019165461.tif 000035
【図８】
2019165461.tif 000036
【図９】
2019165461.tif 000037
【図１０】
2019165461.tif 000038
【図１１】
2019165461.tif 000039
【図１２】
2019165461.tif 000040
【図１３】
2019165461.tif 000041
【図１４】
2019165461.tif 000042
【図１５】
2019165461.tif 000043
【図１６】
2019165461.tif 000044
【図１７】
2019165461.tif 000045